(57)【要約】本出願は、端末デバイスがＬＡＤＮ  ＳＡの外へ移動した場合にダウンリンクＬＡＤＮデータを依然として受信することができるという問題を解決するための通信方法および通信装置を開示し、上記問題を解決するための通信分野に関連する。本出願における方法は、ＲＡＮノードによって、ＡＭＦノードから第１のメッセージを受信するステップであって、第１のメッセージは、端末デバイスの特定領域関連情報を含み、特定領域関連情報は、端末デバイスの特定領域を示すために使用される、ステップと、ＲＡＮノードが、端末デバイスの特定領域関連情報および第１の位置情報に基づいて、端末デバイスは特定領域の外へ移動したと決定した場合、ＲＡＮノードによって、第１の位置情報または第１のインジケーション情報をＡＭＦノードまたはセッション管理機能ＳＭＦノードへ送るステップであって、第１のインジケーション情報は、端末デバイスが特定領域の外へ既に移動したことを示すために使用される、ステップとを含む。本出願は、５Ｇ通信手続きに対して適用可能である。
2020532182.tif 000002
【特許請求の範囲】
【請求項１】
無線アクセスネットワークＲＡＮノードによって、アクセスおよびモビリティ管理機能ＡＭＦノードから第１のメッセージを受信するステップであって、前記第１のメッセージは、端末デバイスの特定領域関連情報を含み、前記特定領域関連情報は、前記端末デバイスの特定領域を示すために使用される、ステップと、
前記ＲＡＮノードが、前記端末デバイスの前記特定領域関連情報および第１の位置情報に基づいて、前記端末デバイスは前記特定領域の外へ移動したと決定した場合、前記ＲＡＮノードによって、前記第１の位置情報または第１のインジケーション情報を前記ＡＭＦノードまたはセッション管理機能ＳＭＦノードへ送るステップであって、前記第１のインジケーション情報は、前記端末デバイスが前記特定領域の外へ既に移動したことを示すために使用される、ステップと
を含む通信方法。
【請求項２】
前記特定領域は、ローカルエリアデータネットワークサービスエリアＬＡＤＮ  ＳＡ、位置報告領域、または前記ＳＭＦノードの関心領域である請求項１に記載の通信方法。
【請求項３】
前記ＲＡＮノードによって、前記端末デバイスの前記特定領域関連情報および前記第１の位置情報に基づいて、前記端末デバイスは前記特定領域の外へ移動したと前記決定することの前に、前記方法は、
前記ＲＡＮノードが、前記端末デバイスを無線リソース制御ＲＲＣ接続状態から無線リソース制御休止ＲＲＣ休止状態に切り替えることを決定した場合、前記ＲＡＮノードによって、前記端末デバイスの第２の位置情報および前記特定領域関連情報に基づいて、前記端末デバイスの無線アクセスネットワーク通知領域ＲＮＡを決定するステップと、
前記ＲＡＮノードによって、第２のメッセージを前記端末デバイスへ送るステップであって、前記第２のメッセージは、前記端末デバイスと前記ＲＡＮノードとの間のＲＲＣ接続を解放するために使用され、前記第２のメッセージは、前記ＲＮＡを搬送する、ステップと
をさらに含む請求項１または２に記載の通信方法。
【請求項４】
前記特定領域関連情報は、前記特定領域に対応する位置領域識別子リストを含み、
前記ＲＡＮノードによって、前記端末デバイスの第２の位置情報および前記特定領域関連情報に基づいて、前記端末デバイスのＲＮＡを前記決定するステップは、
前記第２の位置情報によって示される位置が、前記特定領域に対応する前記位置領域識別子リストによって示される領域内にある場合、前記ＲＡＮノードによって、第１の参照情報に基づいて、前記ＲＮＡを決定するステップであって、前記ＲＮＡは、前記特定領域に含まれ、前記第１の参照情報は、少なくとも、前記端末デバイスの登録領域情報を含む、ステップ
を含む請求項３に記載の通信方法。
【請求項５】
前記特定領域関連情報は、ＬＡＤＮ  ＳＡ関連情報を含み、前記ＬＡＤＮ  ＳＡ関連情報は、前記ＬＡＤＮ  ＳＡに対応するデータネットワーク名ＤＮＮを含み、
前記ＲＡＮノードによって、前記端末デバイスの第２の位置情報および前記特定領域関連情報に基づいて、前記端末デバイスのＲＮＡを前記決定するステップは、
前記ＲＡＮノードによって、前記ＤＮＮ、および前記ＤＮＮと前記ＬＡＤＮ  ＳＡに対応する位置領域識別子リストとの間のマッピング関係に基づいて、前記ＬＡＤＮ  ＳＡに対応する前記位置領域識別子リストを決定するステップと、
前記第２の位置情報によって示される位置が、前記ＬＡＤＮ  ＳＡに対応する前記位置領域識別子リストによって示される領域内にある場合、前記ＲＡＮノードによって、第２の参照情報に基づいて、前記ＲＮＡを決定するステップであって、前記第２の参照情報は、少なくとも、前記端末デバイスの登録領域情報を含み、前記ＲＮＡは、前記ＬＡＤＮ  ＳＡに含まれる、ステップと
を含む請求項３に記載の通信方法。
【請求項６】
前記ＲＡＮノードによって、前記端末デバイスの前記特定領域関連情報および前記第１の位置情報に基づいて、前記端末デバイスは前記特定領域の外へ移動したと前記決定することの前に、前記方法は、
前記ＲＡＮノードによって、前記端末デバイスからの第３のメッセージ受信するステップであって、前記第３のメッセージは、前記端末デバイスが前記ＲＮＡの外へ移動した場合、前記端末デバイスと前記ＲＡＮノードとの間の前記ＲＲＣ接続を回復することを要求するために使用される、ステップと、
前記ＲＡＮノードによって、前記端末デバイスの位置情報を前記第１の位置情報に更新するステップと
をさらに含む請求項３乃至５のいずれか一項に記載の通信方法。
【請求項７】
前記ＲＡＮノードによって、前記端末デバイスの前記特定領域関連情報および前記第１の位置情報に基づいて、前記端末デバイスは前記特定領域の外へ移動したと前記決定することは、
前記第１の位置情報によって示される位置が、前記特定領域に対応する前記位置領域識別子リストにおいて位置領域識別子によって示される領域内にない場合、前記ＲＡＮノードによって、前記端末デバイスは前記特定領域の外へ移動したと決定するステップ
を含む請求項１乃至６のいずれか一項に記載の通信方法。
【請求項８】
無線アクセスネットワークＲＡＮノードによって、アクセスおよびモビリティ管理機能ＡＭＦノードから第１のメッセージを受信するステップであって、前記第１のメッセージは、前記ＲＡＮノードが端末デバイスを無線リソース制御ＲＲＣ接続状態から無線リソース制御休止ＲＲＣ休止状態へ切り替えることを決定した場合、前記端末デバイスの状態を通知するために使用される通知メッセージを前記ＡＭＦノードへ送るように指示するために使用される、ステップと、
前記ＲＡＮノードが、前記端末デバイスを前記ＲＲＣ接続状態から前記ＲＲＣ休止状態に切り替えることを決定した場合、前記ＲＡＮノードによって、前記第１のメッセージに基づいて、前記通知メッセージを前記ＡＭＦノードへ送るステップと
を含む通信方法。
【請求項９】
前記第１のメッセージは、第１のインジケーション情報を搬送し、前記第１のインジケーション情報は、前記ＲＡＮノードが前記端末デバイスを前記ＲＲＣ接続状態から前記ＲＲＣ休止状態に切り替えることを決定した場合、前記通知メッセージを前記ＡＭＦノードへ送るように、前記ＲＡＮノードに指示するために使用される請求項８に記載の通信方法。
【請求項１０】
前記第１のインジケーション情報は、特定領域関連情報を含み、前記特定領域関連情報は、前記端末デバイスの特定領域を示すために使用される請求項９に記載の通信方法。
【請求項１１】
前記特定領域は、ローカルエリアデータネットワークサービスエリアＬＡＤＮ  ＳＡ、位置報告領域、またはセッション管理機能ＳＭＦノードの関心領域である請求項１０に記載の通信方法。
【請求項１２】
前記特定領域関連情報は、前記特定領域に対応する位置領域識別子リストを含み、または、
前記特定領域関連情報は、ＬＡＤＮ  ＳＡ関連情報を含み、前記ＬＡＤＮ  ＳＡ関連情報は、前記ＬＡＤＮ  ＳＡに対応する位置領域識別子リストを含み、または、
前記特定領域関連情報は、ＬＡＤＮ  ＳＡ関連情報を含み、前記ＬＡＤＮ  ＳＡ関連情報は、前記ＬＡＤＮ  ＳＡに対応するデータネットワーク名ＤＮＮを含む請求項１１に記載の通信方法。
【請求項１３】
ＲＡＮノードによって、ＡＭＦノードから第１のメッセージを受信する前記ステップの後、前記方法は、
前記ＲＡＮノードが前記端末デバイスを前記ＲＲＣ接続状態から前記ＲＲＣ休止状態に切り替えることを決定した場合、前記ＲＡＮノードによって、前記端末デバイスの位置情報に基づいて、前記端末デバイスの無線アクセスネットワーク通知領域ＲＮＡを決定するステップと、
前記ＲＡＮノードによって、第２のメッセージを前記端末デバイスへ送るステップであって、前記第２のメッセージは、前記ＲＡＮノードへのＲＲＣ接続を解放するように前記端末デバイスに指示するために使用され、前記第２のメッセージは、前記ＲＮＡを搬送する、ステップと
をさらに含む請求項８乃至１２のいずれか一項に記載の通信方法。
【請求項１４】
前記ＲＡＮノードによって、前記第１のメッセージに基づいて、前記通知メッセージを前記ＡＭＦノードへ前記送るステップの後、前記方法は、
前記ＲＡＮノードによって、前記ＡＭＦノードから第３のメッセージを受信するステップであって、前記第３のメッセージは、パケットデータユニットＰＤＵセッション識別子を搬送し、前記第３のメッセージは、前記ＰＤＵセッション識別子に対応するＰＤＵセッションリソースを解放するように、前記ＲＡＮノードに指示するために使用される、ステップと、
前記ＲＡＮノードによって、前記第３のメッセージに基づいて、前記ＰＤＵセッションリソースを解放するステップと
をさらに含む請求項８乃至１３のいずれか一項に記載の通信方法。
【請求項１５】
前記第１のメッセージは、前記特定領域関連情報を搬送し、前記特定領域関連情報は、前記端末デバイスの前記特定領域を示すために使用され、前記方法は、
前記ＲＡＮノードによって、前記ＡＭＦノードから第４のメッセージを受信するステップであって、前記第４のメッセージは、前記端末デバイスと前記ＲＡＮノードとの間の前記ＲＲＣ接続を確立することを要求するために使用される、ステップと、
前記ＲＡＮノードによって、前記端末デバイスと前記ＲＡＮノードとの間の前記ＲＲＣ接続を確立するように、前記端末デバイスに指示するステップと、
前記ＲＡＮノードが、前記特定領域関連情報および前記端末デバイスの前記位置情報に基づいて、前記端末デバイスは前記特定領域の外へ移動したと決定した場合、前記ＲＡＮノードによって、前記端末デバイスの前記位置情報または第１のインジケーション情報を前記ＡＭＦノードまたは前記ＳＭＦノードへ送るステップであって、前記第１のインジケーション情報は、前記端末デバイスが前記特定領域の外へ既に移動したことを示すために使用される、ステップと
さらに含む請求項１４に記載の通信方法。
【請求項１６】
無線アクセスネットワークＲＡＮノードによって、端末デバイスが無線リソース制御ＲＲＣ接続状態から無線リソース制御休止ＲＲＣ休止状態に切り替わると決定するステップと、
前記ＲＡＮノードによって、前記端末デバイスの状態を通知するために使用される通知メッセージを、アクセスおよびモビリティ管理機能ＡＭＦノードへ送るステップと
を含む通信方法。
【請求項１７】
ＲＡＮノードによって、端末デバイスはＲＲＣ接続状態からＲＲＣ休止状態に切り替わると前記決定するステップの前に、前記方法は、
前記ＲＡＮノードによって、前記端末デバイスの位置情報に基づいて、前記端末デバイスの無線アクセスネットワーク通知領域ＲＮＡを決定するステップと、
前記ＲＡＮノードによって、第１のメッセージを前記端末デバイスへ送るステップであって、前記第１のメッセージは、前記ＲＡＮノードへのＲＲＣ接続を解放するように前記端末デバイスに指示するために使用され、前記第１のメッセージは、前記ＲＮＡを搬送する、ステップと
をさらに含む請求項１６に記載の通信方法。
【請求項１８】
アクセスおよびモビリティ管理機能ＡＭＦノードによって、第１のメッセージを無線アクセスネットワークＲＡＮノードへ送るステップであって、前記第１のメッセージは、前記ＲＡＮノードが端末デバイスを無線リソース制御ＲＲＣ接続状態から無線リソース制御休止ＲＲＣ休止状態に切り替えることを決定した場合、前記端末デバイスの状態を通知するために使用される第１の通知メッセージを前記ＡＭＦノードへ送るように、前記ＲＡＮノードに指示するために使用される、ステップと、
前記ＡＭＦノードによって、前記ＲＡＮノードから前記第１の通知メッセージを受信するステップと、
前記ＡＭＦノードによって、前記第１の通知メッセージに基づいて、第２の通知メッセージをセッション管理機能ＳＭＦノードへ送るステップであって、前記第２の通知メッセージは、前記端末デバイスの前記状態を前記ＳＭＦノードに通知するために使用される、ステップと
を含む通信方法。
【請求項１９】
前記ＡＭＦノードによって、第２の通知メッセージをＳＭＦノードへ前記送るステップの後、前記方法は、
前記ＡＭＦノードによって、前記ＳＭＦノードから第２のメッセージを受信するステップであって、前記第２のメッセージは、パケットデータユニットＰＤＵセッション識別子を搬送し、前記第２のメッセージは、前記ＰＤＵセッション識別子に対応するＰＤＵセッションリソースを解放するように前記ＲＡＮノードに指示するために、前記ＡＭＦノードに指示するために使用される、ステップと
前記ＡＭＦノードによって、第３のメッセージを前記ＲＡＮノードへ送るステップであって、前記第３のメッセージは、前記ＰＤＵセッション識別子を搬送し、前記第３のメッセージは、前記ＰＤＵセッション識別子に対応するＰＤＵセッションリソースを解放するように、前記ＲＡＮノードに指示するために使用される、ステップと
をさらに含む請求項１８に記載の通信方法。
【請求項２０】
前記ＡＭＦノードによって、第４のメッセージをＲＡＮノードへ送るステップであって、前記第４のメッセージは、前記端末デバイスと前記ＲＡＮノードとの間のＲＲＣ接続を確立することを要求するために使用される、ステップ
をさらに含む請求項１８または１９に記載の通信方法。
【請求項２１】
前記ＡＭＦノードによって、第４のメッセージを前記ＲＡＮノードへ前記送るステップの後、前記方法は、
前記ＡＭＦノードによって、前記ＲＡＮノードから前記端末デバイスの位置情報を受信するステップと、前記端末デバイスの特定領域関連情報および前記位置情報に基づいて、前記端末デバイスは特定領域の外へ移動したと決定した場合、前記ＡＭＦノードによって、第１のインジケーション情報を前記ＳＭＦノードへ送るステップであって、前記第１のインジケーション情報は、前記端末デバイスが前記特定領域の外へ既に移動したことを示すために使用され、前記特定領域関連情報は、前記端末デバイスの前記特定領域を示すために使用される、ステップ、または、
前記ＡＭＦノードによって、前記ＲＡＮノードから第１のインジケーション情報を受信するステップと、前記第１のインジケーション情報を前記ＳＭＦノードへ送るステップであって、前記第１のインジケーション情報は、前記端末デバイスが前記端末デバイスの特定領域の外へ既に移動したことを示すために使用される、ステップ、または
前記ＡＭＦノードによって、前記ＲＡＮノードから前記第４のメッセージの応答メッセージを受信するステップであって、前記第４のメッセージの前記応答メッセージは、前記端末デバイスと前記ＲＡＮノードとの間の前記ＲＲＣ接続の確立を拒否するために、前記ＲＡＮノードによって使用される、ステップ
をさらに含む請求項２０に記載の通信方法。
【請求項２２】
セッション管理機能ＳＭＦノードによって、アクセスおよびモビリティ管理機能ＡＭＦノードからのものであり、前記端末デバイスの状態を通知するために使用される通知メッセージを受信するステップと、
前記通知メッセージが、前記端末デバイスの前記状態は無線リソース制御休止ＲＲＣ休止状態であることを通知するために使用される場合、前記ＳＭＦノードによって、第１のメッセージをユーザプレーン機能ＵＰＦノードへ送るステップであって、前記第１のメッセージは、前記端末デバイスのパケットデータユニットＰＤＵセッションリソースを解放することを前記ＵＰＦノードに要求するために使用される、ステップと、
前記ＳＭＦノードによって、前記ＵＰＦノードから第２のメッセージを受信するステップであって、前記第２のメッセージは、前記ＵＰＦノードが前記端末デバイスの前記ＰＤＵセッションリソースを既に解放したことを前記ＳＭＦノードに通知するために使用され、前記第２のメッセージは、前記端末デバイスのＰＤＵセッションのＰＤＵセッション識別子を搬送する、ステップと、
前記ＳＭＦノードによって、第３のメッセージを前記ＡＭＦノードへ送るステップであって、前記第３のメッセージは、前記ＰＤＵセッション識別子を搬送し、前記第３のメッセージは、前記ＰＤＵセッション識別子に対応するＰＤＵセッションリソースを解放するように前記ＲＡＮノードに指示するために、前記ＡＭＦノードをトリガするために使用される、ステップと
を含む通信方法。
【請求項２３】
通信装置であって、前記装置は、無線アクセスネットワークＲＡＮノードに対して適用され、前記装置は、
アクセスおよびモビリティ管理機能ＡＭＦノードから第１のメッセージを受信するように構成された受信モジュールであって、前記第１のメッセージは、端末デバイスの特定領域関連情報を含み、前記特定領域関連情報は、前記端末デバイスの特定領域を示すために使用される、受信モジュールと、
前記受信モジュールによって受信された前記第１のメッセージ内の前記特定領域関連情報、および前記端末デバイスの第１の位置情報に基づいて、前記端末デバイスは前記特定領域の外へ移動したと決定するように構成された決定モジュールと、
前記決定モジュールが、前記端末デバイスの前記特定領域関連情報および前記第１の位置情報に基づいて、前記端末デバイスは前記特定領域の外へ移動したと決定した場合、前記第１の位置情報または第１のインジケーション情報を前記ＡＭＦノードまたはセッション管理機能ＳＭＦノードへ送るように構成された送信モジュールであって、前記第１のインジケーション情報は、前記端末デバイスが前記特定領域の外へ既に移動したことを示すために使用される、送信モジュールと
を備える通信装置。
【請求項２４】
前記特定領域は、ローカルエリアデータネットワークサービスエリアＬＡＤＮ  ＳＡ、位置報告領域、またはＳＭＦノードの関心領域である請求項２３に記載の通信装置。
【請求項２５】
前記決定モジュールは、前記端末デバイスを無線リソース制御ＲＲＣ接続状態から無線リソース制御休止のＲＲＣ休止状態に切り替えることを決定した場合、前記端末デバイスの第２の位置情報および前記特定領域関連情報に基づいて、前記端末デバイスの無線アクセスネットワーク通知領域ＲＮＡを決定するようにさらに構成され、
前記送信モジュールは、第２のメッセージを前記端末デバイスへ送るようにさらに構成され、前記第２のメッセージは、前記端末デバイスと前記ＲＡＮノードとの間のＲＲＣ接続を解放するために使用され、前記第２のメッセージは、前記ＲＮＡを搬送する請求項２３または２４に記載の通信装置。
【請求項２６】
前記特定領域関連情報は、前記特定領域に対応する位置領域識別子リストを含み、
前記決定モジュールは、前記第２の位置情報によって示される位置が、前記特定領域に対応する前記位置領域識別子リストによって示される領域内にある場合、第１の参照情報に基づいて、前記ＲＮＡを決定するように特に構成され、前記ＲＮＡは、前記特定領域に含まれ、前記第１の参照情報は、少なくとも、前記端末デバイスの登録領域情報を含む請求項２５に記載の通信装置。
【請求項２７】
前記特定領域関連情報は、ＬＡＤＮ  ＳＡ関連情報を含み、前記ＬＡＤＮ  ＳＡ関連情報は、前記ＬＡＤＮ  ＳＡに対応するデータネットワーク名ＤＮＮを含み、
前記決定モジュールは、前記ＤＮＮ、および前記ＤＮＮと前記ＬＡＤＮ  ＳＡに対応する位置領域識別子リストとの間のマッピング関係に基づいて、前記ＬＡＤＮ  ＳＡに対応する前記位置領域識別子リストを決定し、前記第２の位置情報によって示される位置が、前記ＬＡＤＮ  ＳＡに対応する前記位置領域識別子リストによって示される領域内にある場合、第２の参照情報に基づいて、前記ＲＮＡを決定するように特に構成され、前記第２の参照情報は、少なくとも、前記端末デバイスの登録領域情報を含み、前記ＲＮＡは、前記ＬＡＤＮ  ＳＡに含まれる請求項２５に記載の通信装置。
【請求項２８】
前記装置は、更新モジュールをさらに含み、
前記受信モジュールは、前記端末デバイスから第３のメッセージを受信するようにさらに構成され、前記第３のメッセージは、前記端末デバイスが前記ＲＮＡの外へ移動した場合、前記端末デバイスと前記ＲＡＮノードとの間の前記ＲＲＣ接続を回復することを要求するために使用され、
前記更新モジュールは、前記端末デバイスの位置情報を前記第１の位置情報に更新するように構成される請求項２５乃至２７のいずれか一項に記載の通信装置。
【請求項２９】
前記決定モジュールは、前記第１の位置情報によって示される位置が、前記特定領域に対応する前記位置領域識別子リストにおいて位置領域識別子によって示される領域内にない場合、前記端末デバイスは前記特定領域の外へ移動したと決定するように特に構成される請求項２３乃至２８のいずれか一項に記載の通信装置。
【請求項３０】
通信装置であって、前記装置は、無線アクセスネットワークＲＡＮノードに対して適用され、前記装置は、
アクセスおよびモビリティ管理機能ＡＭＦノードから第１のメッセージを受信するように構成された受信モジュールであって、前記第１のメッセージは、前記ＲＡＮノードが端末デバイスを無線リソース制御ＲＲＣ接続状態から無線リソース制御休止ＲＲＣ休止状態に切り替えることを決定した場合、前記端末デバイスの状態を通知するために使用される通知メッセージを前記ＡＭＦノードへ送信するように指示するために使用される、受信モジュールと、
前記端末デバイスをＲＲＣ接続状態からＲＲＣ休止状態に切り替えることを決定するように構成された決定モジュールと、
前記決定モジュールが、前記端末デバイスを前記ＲＲＣ接続状態から前記ＲＲＣ休止状態に切り替えることを決定した場合、前記受信モジュールによって受信された前記第１のメッセージに基づいて、前記通知メッセージを前記ＡＭＦノードへ送るように構成された送信モジュールと
を備える通信装置。
【請求項３１】
前記第１のメッセージは、第１のインジケーション情報を搬送し、前記第１のインジケーション情報は、前記ＲＡＮノードが前記端末デバイスを前記ＲＲＣ接続状態から前記ＲＲＣ休止状態に切り替えることを決定した場合、前記通知メッセージを前記ＡＭＦノードへ送るように、前記ＲＡＮノードに指示するために使用される請求項３０に記載の通信装置。
【請求項３２】
前記第１のインジケーション情報は、特定領域関連情報を含み、前記特定領域関連情報は、前記端末デバイスの特定領域を示すために使用される請求項３１に記載の通信装置。
【請求項３３】
前記特定領域は、ローカルエリアデータネットワークサービスエリアＬＡＤＮ  ＳＡ、位置報告領域、またはセッション管理機能ＳＭＦノードの関心領域である請求項３２に記載の通信装置。
【請求項３４】
前記特定領域関連情報は、前記特定領域に対応する位置領域識別子リストを含み、または
前記特定領域関連情報は、ＬＡＤＮ  ＳＡ関連情報を含み、前記ＬＡＤＮ  ＳＡ関連情報は、前記ＬＡＤＮ  ＳＡに対応する位置領域識別子リストを含み、または、
前記特定領域関連情報は、ＬＡＤＮ  ＳＡ関連情報を含み、前記ＬＡＤＮ  ＳＡ関連情報は、前記ＬＡＤＮ  ＳＡに対応するデータネットワーク名ＤＮＮを含む請求項３３に記載の通信装置。
【請求項３５】
前記決定モジュールは、前記端末デバイスを前記ＲＲＣ接続状態から前記ＲＲＣ休止状態に切り替えることを決定した場合、前記端末デバイスの位置情報に基づいて、前記端末デバイスの無線アクセスネットワーク通知領域ＲＮＡを決定するようにさらに構成され、
前記送信モジュールは、前記決定モジュールが前記端末デバイスの前記ＲＮＡを決定した後、第２のメッセージを前記端末デバイスへ送るようにさらに構成され、前記第２のメッセージは、前記ＲＡＮノードへのＲＲＣ接続を解放するように前記端末デバイスに指示するために使用され、前記第２のメッセージは、前記ＲＮＡを搬送する請求項３０乃至３４のいずれか一項に記載の通信装置。
【請求項３６】
前記装置は、解放モジュールをさらに含み、
前記受信モジュールは、前記ＡＭＦノードから第３のメッセージを受信するようにさらに構成され、前記第３のメッセージは、パケットデータユニットＰＤＵセッション識別子を搬送し、前記第３のメッセージは、前記ＰＤＵセッション識別子に対応するＰＤＵセッションリソースを解放するように、前記ＲＡＮノードに指示するために使用され、
前記解放モジュールは、前記受信モジュールによって受信された前記第３のメッセージに基づいて、前記ＰＤＵセッションリソースを解放するように構成される請求項３０乃至３４のいずれか一項に記載の通信装置。
【請求項３７】
前記第１のメッセージは、前記特定領域関連情報を搬送し、前記特定領域関連情報は、前記端末デバイスの前記特定領域を示すために使用され、前記装置は、通知モジュールをさらに含み、
前記受信モジュールは、前記ＡＭＦノードから第４のメッセージを受信するようにさらに構成され、前記第４のメッセージは、前記端末デバイスと前記ＲＡＮノードとの間のＲＲＣ接続を確立することを要求するために使用され、
前記通知モジュールは、前記受信モジュールが前記第４のメッセージを受信した後、前記端末デバイスと前記ＲＡＮノードとの間の前記ＲＲＣ接続を確立するように、前記端末デバイスに指示するように構成され、
前記送信モジュールは、前記決定モジュールが、前記端末デバイスの前記特定領域関連情報および前記位置情報に基づいて、前記端末デバイスは前記特定領域の外へ移動したと決定した場合、前記端末デバイスの前記位置情報または第１のインジケーション情報を前記ＡＭＦノードまたは前記ＳＭＦノードへ送るようにさらに構成され、前記第１のインジケーション情報は、前記端末デバイスが前記特定領域の外へ既に移動したことを示すために使用される請求項３６に記載の通信装置。
【請求項３８】
通信装置であって、前記装置は、アクセスおよびモビリティ管理機能ＡＭＦノードに対して適用され、前記装置は、
第１のメッセージを無線アクセスネットワークＲＡＮノードへ送るように構成された送信モジュールであって、前記第１のメッセージは、前記ＲＡＮノードが端末デバイスを無線リソース制御ＲＲＣ接続状態から無線リソース制御休止ＲＲＣ休止状態に切り替えることを決定した場合、前記端末デバイスの状態を通知するために使用される第１の通知メッセージを前記ＡＭＦノードへ送るように、前記ＲＡＮノードに指示するために使用される、送信モジュールと、
前記ＲＡＮノードから前記第１の通知メッセージを受信するように構成された受信モジュールと
を備え、
前記送信モジュールは、前記受信モジュールによって受信された前記第１の通知メッセージに基づいて、第２の通知メッセージをセッション管理機能ＳＭＦノードへ送るようにさらに構成され、前記第２の通知メッセージは、前記端末デバイスの前記状態を前記ＳＭＦノードに通知するために使用される、通信装置。
【請求項３９】
前記受信モジュールは、前記ＳＭＦノードから第２のメッセージを受信するようにさらに構成され、前記第２のメッセージは、パケットデータユニットＰＤＵセッション識別子を搬送し、前記第２のメッセージは、前記ＰＤＵセッション識別子に対応するＰＤＵセッションリソースを解放するように前記ＲＡＮノードに指示するために、前記ＡＭＦノードに指示するために使用され、
前記送信モジュールは、前記第２のメッセージに基づいて、第３のメッセージを前記ＲＡＮノードへ送るようにさらに構成され、前記第３のメッセージは、前記ＰＤＵセッション識別子を搬送し、前記第３のメッセージは、前記ＰＤＵセッション識別子に対応するＰＤＵセッションリソースを解放するように、前記ＲＡＮノードに指示するために使用される請求項３８に記載の通信装置。
【請求項４０】
前記送信モジュールは、第４のメッセージを前記ＲＡＮノードへ送るようにさらに構成され、前記第４のメッセージは、前記端末デバイスと前記ＲＡＮノードとの間のＲＲＣ接続を確立することを要求するために使用される請求項３８または３９に記載の通信装置。
【請求項４１】
前記装置は、決定モジュールをさらに含み、前記受信モジュールは、前記ＲＡＮノードから前記端末デバイスの位置情報を受信するようにさらに構成され、前記決定モジュールは、特定領域関連情報、および前記受信モジュールによって受信される前記端末デバイスの前記位置情報に基づいて、前記端末デバイスは特定領域の外へ移動したと決定するように構成され、前記送信モジュールは、前記特定領域関連情報および前記端末デバイスの前記位置情報に基づいて、前記端末デバイスは前記特定領域の外へ移動したと前記決定モジュールが決定した場合、第１のインジケーション情報を前記ＳＭＦノードへ送るように構成され、前記第１のインジケーション情報は、前記端末デバイスが前記特定領域の外へ既に移動したことを示すために使用され、前記特定領域関連情報は、前記端末デバイスの前記特定領域を示すために使用され、または、
前記受信モジュールは、前記ＲＡＮノードから第１のインジケーション情報を受信するようにさらに構成され、前記送信モジュールは、前記第１のインジケーション情報を前記ＳＭＦノードへ送るように構成され、前記第１のインジケーション情報は、前記端末デバイスが前記端末デバイスの特定領域の外へ既に移動したことを示すために使用され、または、
前記受信モジュールは、前記ＲＡＮノードから前記第４のメッセージの応答メッセージを受信するようにさらに構成され、前記第４のメッセージの前記応答メッセージは、前記端末デバイスと前記ＲＡＮノードとの間の前記ＲＲＣ接続の確立を拒否するために、前記ＲＡＮノードによって使用される請求項４０に記載の通信装置。
【請求項４２】
通信装置であって、前記装置は、セッション管理機能ＳＭＦノードに対して適用され、前記装置は、
アクセスおよびモビリティ管理機能ＡＭＦノードからのものであり、前記端末デバイスの状態を通知するために使用される通知メッセージを受信するように構成された受信モジュールと、
前記受信モジュールによって受信された通知メッセージが、前記端末デバイスの前記状態は無線リソース制御休止ＲＲＣ休止状態であると通知するために使用される場合、第１のメッセージをユーザプレーン機能ＵＰＦノードへ送るように構成された送信モジュールとを備え、前記第１のメッセージは、前記端末デバイスのパケットデータユニットＰＤＵセッションリソースを解放するように、前記ＵＰＦノードに要求するために使用され、
前記受信モジュールは、前記ＵＰＦノードから第２のメッセージを受信するようにさらに構成され、前記第２のメッセージは、前記ＵＰＦノードが前記端末デバイスの前記ＰＤＵセッションリソースを既に解放したことを前記通信装置に通知するために使用され、前記第２のメッセージは、前記端末デバイスのＰＤＵセッションのＰＤＵセッション識別子を搬送し、
前記送信モジュールは、第３のメッセージを前記ＡＭＦノードへ送るようにさらに構成され、前記第３のメッセージは、前記ＰＤＵセッション識別子を搬送し、前記第３のメッセージは、前記ＰＤＵセッション識別子に対応するＰＤＵセッションリソースを解放するように前記ＲＡＮノードに指示するために、前記ＡＭＦノードをトリガするために使用される、通信装置。
【発明の詳細な説明】
【技術分野】
【０００１】
本出願は、ワイヤレス通信技術の分野、特に、通信方法および通信装置に関する。
【背景技術】
【０００２】
本出願は、２０１７年８月１５日に中国特許庁に出願され、「ＣＯＭＭＵＮＩＣＡＴＩＯＮＳ  ＭＥＴＨＯＤ  ＡＮＤ  ＡＰＰＡＲＡＴＵＳ」と題された中国特許出願第２０１７１０６９８７３３．０号の優先権を主張し、この中国特許出願は、その全体が参照によって本明細書に組み込まれている。
【０００３】
ローカルエリアデータネットワーク（Ｌｏｃａｌ  Ａｒｅａ  Ｄａｔａ  Ｎｅｔｗｏｒｋ、ＬＡＤＮ）の概念が、５Ｇシステムにおいて導入されている。端末デバイスは、ＬＡＤＮサービスエリア（ＬＡＤＮ  Ｓｅｒｖｉｃｅ  Ａｒｅａ、ＬＡＤＮ  ＳＡ）内に端末デバイスがある場合にのみ、ＬＡＤＮにアクセスすることができ、そうでない場合、端末デバイスは、ＬＡＤＮにアクセスすることができない。
【０００４】
データネットワーク（Ｄａｔａ  Ｎｅｔｗｏｒｋ、ＤＮ）ノードが、ダウンリンクデータ、例えば、端末デバイスへ送られるべきダウンリンクＬＡＤＮデータを有する場合、ＤＮノードは、ユーザプレーン機能（Ｕｓｅｒ  Ｐｌａｎｅ  Ｆｕｎｃｔｉｏｎ、ＵＰＦ）ノードを使用することによって、送られるべきダウンリンクデータを無線アクセスネットワーク（Ｒａｄｉｏ  Ａｃｃｅｓｓ  Ｎｅｔｗｏｒｋ、ＲＡＮ）ノードへ送り、次いで、ＲＡＮノードは、データを端末デバイスへ送る。
【０００５】
しかしながら、ＬＡＤＮ  ＳＡは、ＲＡＮノードのサービス範囲とは異なることがある。図１に示されるように、端末デバイスが位置１にある場合、それは端末デバイスがＬＡＤＮ  ＳＡとＲＡＮノードのサービス範囲との両方の内部にあることを示す。この場合において、端末デバイスに固有のダウンリンクＬＡＤＮデータを受信した場合、ＲＡＮノードは、ダウンリンクＬＡＤＮデータを端末デバイスへ送り得る。しかしながら、端末デバイスが位置１から位置２に移動した場合、端末デバイスは、既にＬＡＤＮ  ＳＡの外へ移動したが、依然としてＲＡＮのサービス範囲内にあることが学習され得る。この場合において、ＲＡＮノードが、端末デバイスに固有のダウンリンクＬＡＤＮデータを受信した場合、ＲＡＮノードは、ダウンリンクＬＡＤＮデータを端末デバイスへ依然として送る。結果的に、端末デバイスは、ＬＡＤＮ  ＳＡの外へ移動した後に、ダウンリンクＬＡＤＮデータを依然として受信することができる。
【発明の概要】
【０００６】
本出願の実施形態は、端末デバイスがＬＡＤＮ  ＳＡの外へ移動した場合にダウンリンクＬＡＤＮデータを依然として受信することができるという問題を解決するための通信方法を提供する。
【０００７】
前述の目的を達成するために、以下の技術的解決策が、本出願の実施形態において使用される。
【０００８】
第１の態様によれば、本出願の一実施形態は、通信方法を提供する。本方法は、無線アクセスネットワークＲＡＮノードによって、アクセスおよびモビリティ管理機能ＡＭＦノードから第１のメッセージを受信するステップであって、第１のメッセージは、端末デバイスの特定領域関連情報を含み、特定領域関連情報は、端末デバイスの特定領域を示すために使用される、ステップと、ＲＡＮノードが、端末デバイスの特定領域関連情報および第１の位置情報に基づいて、端末デバイスは特定領域の外へ移動したと決定した場合、ＲＡＮノードによって、第１の位置情報または第１のインジケーション情報をＡＭＦノードまたはセッション管理機能ＳＭＦノードへ送るステップであって、第１のインジケーション情報は、端末デバイスが特定領域の外へ既に移動したことを示すために使用される、ステップとを含む。
【０００９】
本方法によれば、ＡＭＦノードは、端末デバイスの特定領域関連情報をＲＡＮノードへ送ってもよく、さらに、端末デバイスが特定領域の外へ移動したと決定した場合、ＲＡＮノードは、第１の位置情報または第１のインジケーション情報をＡＭＦノードまたはＳＭＦノードへ送ってもよく、その結果、ＡＭＦノードまたはＳＭＦノードは、端末デバイスが特定領域の外へ既に移動したことを学習することができ、それにより、特定されたサービスが特定領域内でのみ実装されることができることを確保する。例えば、特定領域がＬＡＤＮ  ＳＡである場合、端末デバイスがＬＡＤＮ  ＳＡの外へ移動したと決定した場合、ＲＡＮノードは、端末デバイスがＬＡＤＮ  ＳＡの外へ既に移動したとＡＭＦノードまたはＳＭＦノードに通知し、ＳＭＦノードは、ＰＤＵセッションリソースを解放する処理をトリガすることができ、それにより、端末デバイスが、ＬＡＤＮ  ＳＡの外へ移動した後、ＬＡＤＮデータを受信しないこと、または送らないことを確保する。
【００１０】
考え得る設計において、特定領域は、ローカルエリアデータネットワークサービスエリアＬＡＤＮ  ＳＡ、位置報告領域、またはＳＭＦノードの関心領域である。
【００１１】
考え得る設計において、ＲＡＮノードによって、端末デバイスの特定領域関連情報および第１の位置情報に基づいて、端末デバイスは特定領域の外へ移動したと決定することの前に、本方法は、ＲＡＮノードが、端末デバイスを無線リソース制御ＲＲＣ接続状態から無線リソース制御休止ＲＲＣ休止状態に切り替えることを決定した場合、ＲＡＮノードによって、端末デバイスの第２の位置情報および記特定領域関連情報に基づいて、端末デバイスの無線アクセスネットワーク通知領域ＲＮＡを決定するステップと、ＲＡＮノードによって、第２のメッセージを端末デバイスへ送るステップであって、第２のメッセージは、端末デバイスとＲＡＮノードとの間のＲＲＣ接続を解放するために使用され、第２のメッセージは、ＲＮＡを搬送する、ステップとをさらに含む。
【００１２】
本通信方法によれば、ＲＡＮノードは、特定領域関連情報を参照してＲＮＡを決定し、その結果、決定されたＲＮＡは、特定領域に含まれる。したがって、端末デバイスが特定領域の外へ移動したが、ＲＮＡ内に依然としてあるケースが回避され、特定領域がＬＡＤＮ  ＳＡである場合、ＲＲＣ休止状態にある端末デバイスが、ＬＡＤＮ  ＳＡの外へ移動した後、ＬＡＤＮデータを依然として受信することができるという問題が回避される。
【００１３】
考え得る設計において、特定領域関連情報は、特定領域に対応する位置領域識別子リストを含み、ＲＡＮノードによって、端末デバイスの第２の位置情報および特定領域関連情報に基づいて、端末デバイスのＲＮＡを決定する特定の実装方法は、
【００１４】
第２の位置情報によって示される位置が、特定領域に対応する位置領域識別子リストによって示される領域内にある場合、ＲＡＮノードによって、第１の参照情報に基づいて、ＲＮＡを決定するステップであって、ＲＮＡは、特定領域に含まれ、第１の参照情報は、少なくとも、端末デバイスの登録領域情報を含む、ステップである。ＲＮＡは特定領域に含まれているので、端末デバイスが、特定領域の外へ移動したが、ＲＮＡ内に依然としてあるケースが回避されること、および、端末デバイスが、ＬＡＤＮ  ＳＡの外へ移動した後、ＲＮＡ内のＬＡＤＮデータを依然として受信することができるという問題が回避されることができることが学習され得る。
【００１５】
考え得る設計において、特定領域関連情報は、ＬＡＤＮ  ＳＡ関連情報を含み、ＬＡＤＮ  ＳＡ関連情報は、ＬＡＤＮ  ＳＡに対応するデータネットワーク名ＤＮＮを含み、
【００１６】
ＲＡＮノードによって、端末デバイスの第２の位置情報および特定領域関連情報に基づいて、端末デバイスのＲＮＡを決定する特定の実装方法は、
【００１７】
ＲＡＮノードによって、ＤＮＮ、およびＤＮＮとＬＡＤＮ  ＳＡに対応する位置領域識別子リストとの間のマッピング関係に基づいて、ＬＡＤＮ  ＳＡに対応する位置領域識別子リストを決定するステップと、第２の位置情報によって示される位置が、ＬＡＤＮ  ＳＡに対応する位置領域識別子リストによって示される領域内にある場合、ＲＡＮノードによって、第２の参照情報に基づいて、ＲＮＡを決定するステップであって、第２の参照情報は、少なくとも、端末デバイスの登録領域情報を含み、ＲＮＡは、ＬＡＤＮ  ＳＡに含まれる、ステップとである。
【００１８】
考え得る設計において、ＲＡＮノードによって、端末デバイスの特定領域関連情報および第１の位置情報に基づいて、端末デバイスは特定領域の外へ移動したと決定することの前に、ＲＡＮノードは、端末デバイスから第３のメッセージを受信してもよく、第３のメッセージは、端末デバイスがＲＮＡの外へ移動した場合、端末デバイスとＲＡＮノードとの間のＲＲＣ接続を回復することを要求するために使用され、次いで、ＲＡＮノードは、端末デバイスの位置情報を第１の位置情報に更新する。
【００１９】
考え得る設計において、ＲＡＮノードによって、端末デバイスの特定領域関連情報および第１の位置情報に基づいて、端末デバイスは特定領域の外へ移動したと決定することは、
【００２０】
第１の位置情報によって示される位置が、特定領域に対応する位置領域識別子リストにおいて位置領域識別子によって示される領域内にない場合、ＲＡＮノードによって、端末デバイスは特定領域の外へ移動したと決定するステップを含む。
【００２１】
第２の態様によれば、本出願の一実施形態は、無線アクセスネットワークＲＡＮノードによって、アクセスおよびモビリティ管理機能ＡＭＦノードから第１のメッセージを受信するステップであって、第１のメッセージは、ＲＡＮノードが端末デバイスを無線リソース制御ＲＲＣ接続状態から無線リソース制御休止ＲＲＣ休止状態へ切り替えることを決定した場合、端末デバイスの状態を通知するために使用される通知メッセージをＡＭＦノードへ送るように指示するために使用される、ステップと、ＲＡＮノードが、端末デバイスをＲＲＣ接続状態からＲＲＣ休止状態に切り替えることを決定した場合、ＲＡＮノードによって、第１のメッセージに基づいて、通知メッセージをＡＭＦノードへ送るステップとを含む通信方法を提供する。
【００２２】
本通信方法によれば、ＡＭＦノードは、端末デバイスがＲＲＣ接続状態からＲＲＣ休止状態に切り替えられるべきであると決定される場合、端末デバイスの状態を通知するために使用される通知メッセージがＡＭＦノードへ送られる必要があることを、ＲＡＮノードに予め通知し得、次いで、ＡＭＦノードは、端末デバイスの状態を通知するために使用される通知メッセージをＳＭＦノードへ送り、通知メッセージを受信した場合、ＳＭＦノードは、端末デバイスが既にＲＲＣ休止状態にあり、ＬＡＤＮデータを端末デバイスへ送らないと決定することができ、それにより、ＲＲＣ休止状態にある端末デバイスが、ＬＡＤＮ  ＳＡの外へ移動した後、ＬＡＤＮデータを依然として受信することができるという問題を回避する。
【００２３】
考え得る設計において、第１のメッセージは、第１のインジケーション情報を搬送し、第１のインジケーション情報は、ＲＡＮノードが端末デバイスをＲＲＣ接続状態からＲＲＣ休止状態に切り替えることを決定した場合、通知メッセージをＡＭＦノードへ送るように、ＲＡＮノードに指示するために使用される。
【００２４】
考え得る設計において、第１のインジケーション情報は、特定領域関連情報を含み、特定領域関連情報は、端末デバイスの特定領域を示すために使用される。
【００２５】
考え得る設計において、特定領域は、ローカルエリアデータネットワークサービスエリアＬＡＤＮ  ＳＡ、位置報告領域、またはセッション管理機能ＳＭＦノードの関心領域である。
【００２６】
考え得る設計において、特定領域関連情報は、特定領域に対応する位置領域識別子リストを含み、または、
【００２７】
特定領域関連情報は、ＬＡＤＮ  ＳＡ関連情報を含み、ＬＡＤＮ  ＳＡ関連情報は、ＬＡＤＮ  ＳＡに対応する位置領域識別子リストを含み、または、
【００２８】
特定領域関連情報は、ＬＡＤＮ  ＳＡ関連情報を含み、ＬＡＤＮ  ＳＡ関連情報は、ＬＡＤＮ  ＳＡに対応するデータネットワーク名ＤＮＮを含む。
【００２９】
考え得る設計において、ＲＡＮノードが、ＡＭＦノードから第１のメッセージを受信した後、ＲＡＮノードが端末デバイスをＲＲＣ接続状態からＲＲＣ休止状態に切り替えることを決定した場合、ＲＡＮノードは、端末デバイスの位置情報に基づいて、端末デバイスの無線アクセスネットワーク通知領域ＲＮＡを決定し、次いで、ＲＡＮノードは、第２のメッセージを端末デバイスへ送り、第２のメッセージは、ＲＡＮノードへのＲＲＣ接続を解放するように端末デバイスに指示するために使用され、第２のメッセージは、ＲＮＡを搬送する。
【００３０】
考え得る設計において、ＲＡＮノードが、第１のメッセージに基づいて、通知メッセージをＡＭＦノードへ送った後、ＲＡＮノードは、ＡＭＦノードから第３のメッセージを受信し得、第３のメッセージは、パケットデータユニットＰＤＵセッション識別子を搬送し、第３のメッセージは、ＰＤＵセッション識別子に対応するＰＤＵセッションリソースを解放するように、ＲＡＮノードに指示するために使用され、次いで、ＲＡＮノードは、第３のメッセージに基づいて、ＰＤＵセッションリソースを解放する。
【００３１】
本方法によれば、端末デバイスの状態がＲＲＣ休止状態であると決定した場合、ＳＭＦノードは、ＰＤＵセッションリソースを解放するようにＵＰＦノードに指示し、シグナリングを交換することによって、ＰＤＵセッションリソースを解放するようにＲＡＮノードにさらに指示し得る。このようにして、端末デバイスが特定領域の外へ移動した場合、関連するサービスデータを送るために使用されるＰＤＵセッションリソースはない。例えば、端末デバイスが、ＬＡＤＮ  ＳＡの外へ移動した場合に、ＬＡＤＮデータを依然として受信することができるという問題が回避される。
【００３２】
考え得る設計において、第１のメッセージは、特定領域関連情報を搬送し、特定領域関連情報は、端末デバイスの特定領域を示すために使用され、本方法は、ＲＡＮノードによって、ＡＭＦノードから第４のメッセージを受信するステップであって、第４のメッセージは、端末デバイスとＲＡＮノードとの間のＲＲＣ接続を確立することを要求するために使用される、ステップと、次いで、ＲＡＮノードによって、端末デバイスとＲＡＮノードとの間のＲＲＣ接続を確立するように、端末デバイスに指示するステップと、さらに、ＲＡＮノードが、特定領域関連情報および端末デバイスの位置情報に基づいて、端末デバイスは特定領域の外へ移動したと決定した場合、ＲＡＮノードによって、端末デバイスの位置情報または第１のインジケーション情報をＡＭＦノードまたはＳＭＦノードへ送るステップであって、第１のインジケーション情報は、端末デバイスが特定領域の外へ既に移動したことを示すために使用される、ステップとをさらに含む。
【００３３】
本通信方法によれば、端末デバイスのダウンリンクデータを取得した場合、ＵＰＦノードは、ＳＭＦノードおよびＡＭＦノードを使用することによってＲＡＮノードに通知し、その結果、ＲＡＮノードは、端末デバイスとＲＡＮノードとの間のＲＲＣ接続を確立するように端末デバイスに指示し、さらに、ＲＡＮノードは、端末デバイスの位置情報を決定し得、ＲＡＮノードが、端末デバイスの位置情報に基づいて、端末デバイスは特定領域の外へ既に移動したと決定した場合、ＲＡＮノードは、関連する情報または関連するメッセージをＡＭＦノードまたはＳＭＦノードへ報告し、その結果、ＳＭＦノードは、ダウンリンクＬＡＤＮデータを解放するように、またはダウンリンクＬＡＤＮデータのバッファリングを延長するように、ＵＰＦノードに指示し、それにより、端末デバイスが、特定領域の外へ移動した場合、ダウンリンクＬＡＤＮデータを受信しないことを確保する。
【００３４】
第３の態様によれば、本出願の一実施形態は、無線アクセスネットワークＲＡＮノードによって、端末デバイスが無線リソース制御ＲＲＣ接続状態から無線リソース制御ＲＲＣ休止状態に切り替わると決定するステップと、次いで、ＲＡＮノードによって、端末デバイスの状態を通知するために使用される通知メッセージを、アクセスおよびモビリティ管理機能ＡＭＦノードへ送るステップとを含む通信方法を提供する。
【００３５】
本方法によれば、端末デバイスがＲＲＣ接続状態からＲＲＣ休止状態に切り替わると決定した場合、ＲＡＮノードは、端末デバイスの状態を通知するために使用される通知メッセージをＡＭＦノードへ送信し、通知メッセージを受信した場合、ＡＭＦノードは、端末デバイスが既にＲＲＣ休止状態にあり、ＬＡＤＮデータを端末デバイスへ送らないと決定することができ、それにより、ＲＲＣ休止状態にある端末デバイスが、ＬＡＤＮ  ＳＡの外へ移動した後に、ＬＡＤＮデータを依然として受信することができるという問題を回避する。
【００３６】
考え得る設計において、ＲＡＮノードが、端末デバイスはＲＲＣ接続状態からＲＲＣ休止状態に切り替わると決定する前に、ＲＡＮノードは、端末デバイスの位置情報に基づいて、端末デバイスの無線アクセスネットワーク通知領域ＲＮＡを決定し得、次いで、ＲＡＮノードは、第１のメッセージを端末デバイスへ送り、第１のメッセージは、ＲＡＮノードへのＲＲＣ接続を解放するように端末デバイスに指示するために使用され、第１のメッセージは、ＲＮＡを搬送する。
【００３７】
第４の態様によれば、本出願の一実施形態は、アクセスおよびモビリティ管理機能ＡＭＦノードによって、第１のメッセージを無線アクセスネットワークＲＡＮノードへ送るステップであって、第１のメッセージは、ＲＡＮノードが端末デバイスを無線リソース制御ＲＲＣ接続状態から無線リソース制御休止ＲＲＣ休止状態に切り替えることを決定した場合、端末デバイスの状態を通知するために使用される第１の通知メッセージをＡＭＦノードへ送るように、ＲＡＮノードに指示するために使用される、ステップと、ＡＭＦノードによって、ＲＡＮノードから第１の通知メッセージを受信するステップと、ＡＭＦノードによって、第１の通知メッセージに基づいて、第２の通知メッセージをセッション管理機能ＳＭＦノードへ送るステップであって、第２の通知メッセージは、端末デバイスの状態をＳＭＦノードに通知するために使用される、ステップとを含む通信方法を提供する。
【００３８】
考え得る設計において、ＡＭＦノードが、第２の通知メッセージをＳＭＦノードへ送った後、ＡＭＦノードは、ＳＭＦノードから第２のメッセージを受信し得、第２のメッセージは、パケットデータユニットＰＤＵセッション識別子を搬送し、第２のメッセージは、ＰＤＵセッション識別子に対応するＰＤＵセッションリソースを解放するようにＲＡＮノードに指示するために、ＡＭＦノードに指示するために使用され、次いで、ＡＭＦノードは、第３のメッセージをＲＡＮノードへ送り、第３のメッセージは、ＰＤＵセッション識別子を搬送し、第３のメッセージは、ＰＤＵセッション識別子に対応するＰＤＵセッションリソースを解放するように、ＲＡＮノードに指示するために使用される。
【００３９】
考え得る設計において、ＡＭＦノードは、第４のメッセージをＲＡＮノードへ送ってもよく、第４のメッセージは、端末デバイスとＲＡＮノードとの間のＲＲＣ接続を確立することを要求するために使用される。
【００４０】
考え得る設計において、ＡＭＦノードが、第４のメッセージをＲＡＮノードへ送った後、ＡＭＦノードは、ＲＡＮノードから端末デバイスの位置情報を受信してもよく、端末デバイスの特定領域関連情報および位置情報に基づいて、端末デバイスは特定領域の外へ移動したと決定した場合、ＡＭＦノードは、第１のインジケーション情報をＳＭＦノードへ送り、第１のインジケーション情報は、端末デバイスが特定領域の外へ既に移動したことを示すために使用され、特定領域関連情報は、端末デバイスの特定領域を示すために使用され、または、
【００４１】
ＡＭＦノードは、ＲＡＮノードから第１のインジケーション情報を受信し、第１のインジケーション情報をＳＭＦノードへ送り、第１のインジケーション情報は、端末デバイスが端末デバイスの特定領域の外へ既に移動したことを示すために使用され、または、
【００４２】
ＡＭＦノードは、ＲＡＮノードから第４のメッセージの応答メッセージを受信し、第４のメッセージの応答メッセージは、端末デバイスとＲＡＮノードとの間のＲＲＣ接続の確立を拒否するために、ＲＡＮノードによって使用される。
【００４３】
第５の態様によれば、本出願の一実施形態は、セッション管理機能ＳＭＦノードによって、アクセスおよびモビリティ管理機能ＡＭＦノードからのものであり、端末デバイスの状態を通知するために使用される通知メッセージを受信するステップと、通知メッセージが、端末デバイスの状態は無線リソース制御休止ＲＲＣ休止状態であることを通知するために使用される場合、ＳＭＦノードによって、第１のメッセージをユーザプレーン機能ＵＰＦノードへ送るステップであって、第１のメッセージは、端末デバイスのパケットデータユニットＰＤＵセッションリソースを解放することをＵＰＦノードに要求するために使用される、ステップと、ＳＭＦノードによって、ＵＰＦノードから第２のメッセージを受信するステップであって、第２のメッセージは、ＵＰＦノードが端末デバイスのＰＤＵセッションリソースを既に解放したことをＳＭＦノードに通知するために使用され、第２のメッセージは、端末デバイスのＰＤＵセッションのＰＤＵセッション識別子を搬送する、ステップと、ＳＭＦノードによって、第３のメッセージをＡＭＦノードへ送るステップであって、第３のメッセージは、ＰＤＵセッション識別子を搬送し、第３のメッセージは、ＰＤＵセッション識別子に対応するＰＤＵセッションリソースを解放するようにＲＡＮノードに指示するために、ＡＭＦノードをトリガするために使用される、ステップとを含む通信方法を提供する。
【００４４】
第６の態様によれば、本出願の一実施形態は、通信装置を提供する。本装置は、第１の態様に従ってＲＡＮノードによって実行される機能を実装することができ、機能は、ハードウェアによって実装されてもよく、またはハードウェアによって対応するソフトウェアを実行することによって実装されてもよい。ハードウェアまたはソフトウェアは、前述の機能に対応する１つまたは複数のモジュールを含む。
【００４５】
考え得る設計において、本装置の構造は、プロセッサと、通信インターフェースとを含む。プロセッサは、前述の方法における対応する機能を実行する装置をサポートするように構成される。通信インターフェースは、本装置と別のネットワーク要素との間の通信をサポートするように構成される。本装置は、メモリをさらに含んでもよい。メモリは、プロセッサに結合するように構成され、本装置によって必要とされるプログラム命令およびデータを記憶する。
【００４６】
第７の態様によれば、本出願の一実施形態は、通信装置を提供する。本装置は、第２の態様に従ってＲＡＮノードによって実行される機能を実装することができ、機能は、ハードウェアによって実装されてもよく、またはハードウェアによって対応するソフトウェアを実行することによって実装されてもよい。ハードウェアまたはソフトウェアは、前述の機能に対応する１つまたは複数のモジュールを含む。
【００４７】
考え得る設計において、本装置の構造は、プロセッサと、通信インターフェースとを含む。プロセッサは、前述の方法における対応する機能を実行する装置をサポートするように構成される。通信インターフェースは、本装置と別のネットワーク要素との間の通信をサポートするように構成される。本装置は、メモリをさらに含んでもよい。メモリは、プロセッサに結合するように構成され、本装置によって必要とされるプログラム命令およびデータを記憶する。
【００４８】
第８の態様によれば、本出願の一実施形態は、通信装置を提供する。本装置は、第３の態様に従ってＲＡＮノードによって実行される機能を実装することができ、機能は、ハードウェアによって実装されてもよく、またはハードウェアによって対応するソフトウェアを実行することによって実装されてもよい。ハードウェアまたはソフトウェアは、前述の機能に対応する１つまたは複数のモジュールを含む。
【００４９】
考え得る設計において、本装置の構造は、プロセッサと、通信インターフェースとを含む。プロセッサは、前述の方法における対応する機能を実行する装置をサポートするように構成される。通信インターフェースは、本装置と別のネットワーク要素との間の通信をサポートするように構成される。本装置は、メモリをさらに含んでもよい。メモリは、プロセッサに結合するように構成され、本装置によって必要とされるプログラム命令およびデータを記憶する。
【００５０】
第９の態様によれば、本出願の一実施形態は、通信装置を提供する。本装置は、第４の態様に従ってＡＭＦノードによって実行される機能を実装することができ、機能は、ハードウェアによって実装されてもよく、またはハードウェアによって対応するソフトウェアを実行することによって実装されてもよい。ハードウェアまたはソフトウェアは、前述の機能に対応する１つまたは複数のモジュールを含む。
【００５１】
考え得る設計において、本装置の構造は、プロセッサと、通信インターフェースとを含む。プロセッサは、前述の方法における対応する機能を実行する装置をサポートするように構成される。通信インターフェースは、本装置と別のネットワーク要素との間の通信をサポートするように構成される。本装置は、メモリをさらに含んでもよい。メモリは、プロセッサに結合するように構成され、本装置によって必要とされるプログラム命令およびデータを記憶する。
【００５２】
第１０の態様によれば、本出願の一実施形態は、通信装置を提供する。本装置は、第５の態様に従ってＳＭＦノードによって実行される機能を実装することができ、機能は、ハードウェアによって実装されてもよく、またはハードウェアによって対応するソフトウェアを実行することによって実装されてもよい。ハードウェアまたはソフトウェアは、前述の機能に対応する１つまたは複数のモジュールを含む。
【００５３】
考え得る設計において、本装置の構造は、プロセッサと、通信インターフェースとを含む。プロセッサは、前述の方法における対応する機能を実行する装置をサポートするように構成される。通信インターフェースは、本装置と別のネットワーク要素との間の通信をサポートするように構成される。本装置は、メモリをさらに含んでもよい。メモリは、プロセッサに結合するように構成され、本装置によって必要とされるプログラム命令およびデータを記憶する。
【００５４】
第１１の態様によれば、本出願の一実施形態は、通信システムを提供する。本システムは、第１の態様から第５の態様による、端末デバイス、ＲＡＮノード、ＡＭＦノード、ＳＭＦノード、およびＵＰＦノードを含む。
【００５５】
第１２の態様によれば、プログラムが提供される。プロセッサによって実行される場合、プログラムは、第１の態様によるいずれかの方法を実行するように構成される。
【００５６】
第１３の態様によれば、プログラムが提供される。プロセッサによって実行される場合、プログラムは、第２の態様によるいずれかの方法を実行するように構成される。
【００５７】
第１４の態様によれば、プログラムが提供される。プロセッサによって実行される場合、プログラムは、第３の態様によるいずれかの方法を実行するように構成される。
【００５８】
第１５の態様によれば、プログラムが提供される。プロセッサによって実行される場合、プログラムは、第４の態様によるいずれかの方法を実行するように構成される。
【００５９】
第１６の態様によれば、プログラムが提供される。プロセッサによって実行される場合、プログラムは、第５の態様によるいずれかの方法を実行するように構成される。
【００６０】
第１７の態様によれば、第１２の態様によるプログラムを含む、コンピュータ可読記憶媒体が提供される。
【００６１】
第１８の態様によれば、第１３の態様によるプログラムを含む、コンピュータ可読記憶媒体が提供される。
【００６２】
第１９の態様によれば、第１４の態様によるプログラムを含む、コンピュータ可読記憶媒体が提供される。
【００６３】
第２０の態様によれば、第１５の態様によるプログラムを含む、コンピュータ可読記憶媒体が提供される。
【００６４】
第２１の態様によれば、第１６の態様によるプログラムを含む、コンピュータ可読記憶媒体が提供される。
【００６５】
第２２の態様によれば、第１の態様によるいずれかの方法を実行するように構成された、少なくとも１つの処理要素またはチップを含む、ＲＡＮノードが提供される。
【００６６】
第２３の態様によれば、第２の態様によるいずれかの方法を実行するように構成された、少なくとも１つの処理要素またはチップを含む、ＲＡＮノードが提供される。
【００６７】
第２４の態様によれば、第３の態様によるいずれかの方法を実行するように構成された、少なくとも１つの処理要素またはチップを含む、ＲＡＮノードが提供される。
【００６８】
第２５の態様によれば、第４の態様によるいずれかの方法を実行するように構成された、少なくとも１つの処理要素またはチップを含む、ＡＭＦノードが提供される。
【００６９】
第２６の態様によれば、第５の態様によるいずれかの方法を実行するように構成された、少なくとも１つの処理要素またはチップを含む、ＲＡＮノードが提供される。
【００７０】
先行技術と比較して、ＡＭＦノードは、端末デバイスの特定領域関連情報をＲＡＮノードへ送ってもよく、さらに、端末デバイスが特定領域の外へ移動したと決定した場合、ＲＡＮノードは、第１の位置情報または第１のインジケーション情報をＡＭＦノードまたはＳＭＦノードへ送ってもよく、その結果、ＡＭＦノードまたはＳＭＦノードは、端末デバイスが特定領域から外へ既に移動したことを学習することができ、それにより、特定サービスが、特定領域内でのみ実装されることができることを確保する。例えば、特定領域がＬＡＤＮ  ＳＡである場合において、端末デバイスがＬＡＤＮ  ＳＡの外へ移動したと決定するとき、ＲＡＮノードは、端末デバイスがＬＡＤＮ  ＳＡの外へ既に移動したことをＡＭＦノードまたはＳＭＦノードに通知し、ＳＭＦノードは、ＰＤＵセッションリソースを解放する処理をトリガすることができ、それにより、端末デバイスが、ＬＡＤＮ  ＳＡの外へ移動した後に、ＬＡＤＮデータを受信しないことまたは送らないことを確保する。
【図面の簡単な説明】
【００７１】
【図１】背景において提供される端末デバイスの位置の例の概略図である。
【図２】本出願の一実施形態によるネットワークアーキテクチャの概略図である。
【図３】本出願の一実施形態による通信システムの概略構造図である。
【図４】本出願の一実施形態による別の通信システムの概略構造図である。
【図５】本出願の一実施形態による端末デバイスの移動処理の例の概略図である。
【図６】本出願の一実施形態による通信方法のフローチャートである。
【図７】本出願の一実施形態による別の通信方法のフローチャートである。
【図８】本出願の一実施形態によるＲＮＡの例の概略図である。
【図９】本出願の一実施形態による別の通信方法のフローチャートである。
【図１０】本出願の一実施形態による別の通信方法のフローチャートである。
【図１１】本出願の一実施形態による別の通信方法のフローチャートである。
【図１２】本出願の一実施形態による別の通信方法のフローチャートである。
【図１３】本出願の一実施形態による別の通信方法のフローチャートである。
【図１４】本出願の一実施形態による別の通信方法のフローチャートである。
【図１５】本出願の一実施形態によるＲＡＮノードの概略構造図である。
【図１６】本出願の一実施形態による別のＲＡＮノードの概略構造図である。
【図１７】本出願の一実施形態による別のＲＡＮノードの概略構造図である。
【図１８】本出願の一実施形態によるＡＭＦノードの概略構造図である。
【図１９】本出願の一実施形態によるＳＭＦノードの概略構造図である。
【図２０】本出願の一実施形態によるＲＡＮノードの概略構造図である。
【図２１】本出願の一実施形態によるＡＭＦノードの概略構造図である。
【図２２】本出願の一実施形態によるＳＭＦノードの概略構造図である。
【発明を実施するための形態】
【００７２】
本出願において説明されるネットワークアーキテクチャおよびサービスシナリオは、本出願における技術的解決策をより明確に説明するが、本出願において提供される技術的解決策を限定するようには意図されていない。当業者は、ネットワークアーキテクチャが進化し、新しいビジネスシナリオが出現するにつれて、本出願において提供される技術的解決策が同様の技術的課題にさらに適用されることを知り得る。
【００７３】
本出願における「例示的な」または「例えば」という用語は、「例、例証、または説明として使用される」ことを意味することが留意されるべきである。本出願において「例示的な」ものまたは「例えば」として説明される、いかなる実施形態または設計スキームも、別の実施形態または設計スキームより好適なもの、またはより多くの利点を有するものとして解説されるべきではない。まさに、「例」という用語の使用は、特定の手法におけるある概念を提示するように意図されている。
【００７４】
本出願において、「の」（英語：ｏｆ）、「関連する」（英語：ｃｏｒｒｅｓｐｏｎｄｉｎｇ、ｒｅｌｅｖａｎｔ）および「対応する」（英語：ｃｏｒｒｅｓｐｏｎｄｉｎｇ）は、使用中に混ざり得る。これらの違いを強調する必要がない場合、それらによって表現される意味は同じであることが留意されるべきである。
【００７５】
図２に示されるように、図２は、ネットワーク構造を示す。ネットワーク構造は、次世代通信システムに適用可能である。ネットワーク構造における様々な構成要素が、以下に簡潔に説明される。
【００７６】
端末デバイスは、様々なハンドヘルドデバイス、車載デバイス、着用可能なデバイス、または無線通信機能を有するコンピューティングデバイス、または無線モデムに接続された別の処理デバイス、および様々な形態の端末、移動局（ｍｏｂｉｌｅ  ｓｔａｔｉｏｎ、ＭＳ）、端末（ｔｅｒｍｉｎａｌ）、ユーザ機器（ｕｓｅｒ  ｅｑｕｉｐｍｅｎｔ、ＵＥ）、ソフトウェアクライアントなど、例えば、水道メータ、電気メータ、またはセンサを含んでもよい。
【００７７】
ＲＡＮノードは、従来のネットワークにおける基地局に類似しており、特定領域内の認証されたユーザに対してネットワークアクセス機能を提供し、ユーザレベル、サービス要件などに基づいて、異なる品質の送信トンネルを使用することができる。ＲＡＮは、無線リソースを管理し、端末デバイスに対してアクセスサービスを提供して、端末デバイスとコアネットワークとの間の制御信号およびユーザデータの転送を完了させることができる。
【００７８】
アクセスおよびモビリティ管理機能（ａｃｃｅｓｓ  ａｎｄ  ｍｏｂｉｌｉｔｙ  ｍａｎａｇｅｍｅｎｔ  ｆｕｎｃｔｉｏｎ、ＡＭＦ）ノードは、モビリティ管理、アクセス管理等を担当し、セッション管理機能以外のモビリティ管理エンティティ（ｍｏｂｉｌｉｔｙ  ｍａｎａｇｅｍｅｎｔ  ｅｎｔｉｔｙ、ＭＭＥ）機能における機能、例えば、合法的傍受機能およびアクセス認証機能を実装するように構成されてもよい。
【００７９】
セッション管理機能（ｓｅｓｓｉｏｎ  ｍａｎａｇｅｍｅｎｔ  ｆｕｎｃｔｉｏｎ、ＳＭＦ）ノードは、端末デバイスのためのセッションを確立し、セッション識別子（ＩＤ）を割り当て、端末デバイスのインターネットプロトコル（Ｉｎｔｅｒｎｅｔ  Ｐｒｏｔｏｃｏｌ、ＩＰ）アドレスを管理し、割り当て、セッションを管理し、または終了するように構成される。
【００８０】
データネットワーク（Ｄａｔａ  Ｎｅｔｗｏｒｋ、ＤＮ）は、外部データ、例えば、インターネットを提供するように構成されたネットワークである。
【００８１】
制御プレーン機能（Ｃｏｎｔｒｏｌ  Ｐｌａｎｅ  Ｆｕｎｃｔｉｏｎ、ＣＰＦ）ノードは、主にアクセス制御およびモビリティ管理機能（例えば、ＡＭＦの機能）、例えば、端末デバイス上での認証、暗号化、および位置登録などを実行し、セッション管理機能（例えば、ＳＭＦの機能）、例えば、ユーザプレーン送信経路の確立、解放、および変更を実行するように構成される。理解を簡単にするために、ＣＰＦノードは、ＡＭＦノードおよびＳＭＦノードなどのネットワーク要素を含むセットと考えられてもよい。
【００８２】
Ｎ２インターフェースは、（Ｒ）ＡＮノードとＡＭＦノードとの間の基準点であり、非アクセス層（Ｎｏｎ−ａｃｃｅｓｓ  ｓｔｒａｔｕｍ、ＮＡＳ）メッセージなどを送るように構成される。
【００８３】
Ｎ３インターフェースは、（Ｒ）ＡＮノードとＵＰＦノードとの間の基準点であり、ユーザプレーンデータなどを送信するように構成される。
【００８４】
Ｎ４インターフェースは、ＳＭＦノードとＵＰＦノードとの間の基準点であり、情報、例えば、Ｎ３接続のトンネル識別子情報、データバッファリングインジケーション情報、およびダウンリンクデータ通知メッセージなどを送信するように構成される。
【００８５】
Ｎ６インターフェースは、ＵＰＦノードとＤＮノードとの間の基準点であり、ユーザプレーンデータなどを送信するように構成される。
【００８６】
理解を簡単にするために、本出願における関連する技術は、以下のように説明される。
【００８７】
端末デバイスの接続状態は、接続管理接続（Ｃｏｎｎｅｃｔｉｏｎ  Ｍａｎａｇｅｍｅｎｔ−Ｃｏｎｎｅｃｔｅｄ、ＣＭ接続）状態である。ＣＭ接続状態は、無線リソース制御接続（Ｒａｄｉｏ  Ｒｅｓｏｕｒｃｅ  Ｃｏｎｔｒｏｌ  Ｃｏｎｎｅｃｔｅｄ、ＲＲＣ接続）状態、および無線リソース制御休止（Ｒａｄｉｏ  Ｒｅｓｏｕｒｃｅ  Ｃｏｎｔｒｏｌ  Ｉｎａｃｔｉｖｅ、ＲＲＣ休止）状態を含む。
【００８８】
図３に示されるように、図３は、通信システムの簡略化されたアーキテクチャ図である。端末デバイスがコアネットワークとデータを交換する必要がある場合、端末デバイスは、ＲＲＣ接続状態にあり、ＲＡＮノードは、Ｎ２インターフェースを使用することによってＣＰＦノードに接続され、ＲＡＮノードは、Ｎ３インターフェースを使用することによってＵＰＦに接続される。端末デバイスがＲＲＣ接続状態にある場合、ＲＡＮノードは、端末デバイスがキャンプオンしているセルおよび端末デバイスの位置情報を感知し得、ＣＰＦノード内のネットワーク要素（例えば、ＡＭＦノード）は、端末デバイスに接続されたＲＡＮノードを感知し得る。図３において、ＤＮ内のダウンリンクデータがＵＰＦノードへ送信される場合、ＵＰＦノードは、端末デバイスに接続されたＲＡＮノードへダウンリンクデータを送ってもよく、次いで、ＲＡＮノードは、端末デバイスへダウンリンクデータを送る。
【００８９】
ＲＲＣ接続状態にある端末デバイスが、予め設定された期間内にデータ送信を実行しない場合、ＲＡＮノードは、予め設定されたポリシーに従って、端末デバイスがＲＲＣ接続状態からＲＲＣ休止状態に切り替えられるべきかどうかを決定する。図４に示されるように、端末デバイスがＲＲＣ休止状態にある場合、端末デバイスとＲＡＮノードとの間のＲＲＣ接続が解放され、ＲＡＮノードとＣＰＦノードとの間のＮ２接続、およびＲＡＮノードとＵＰＦとの間のＮ３接続が維持される。ＲＡＮノードが、端末デバイスをＲＲＣ接続状態からＲＲＣ休止状態に切り替えることを決定した場合、ＲＡＮノードは、端末デバイスの位置情報に基づいて、端末デバイスについて無線アクセスネットワーク通知領域（ＲＡＮ  Ｎｏｔｉｆｉｃａｔｉｏｎ  Ａｒｅａ、ＲＮＡ）を設定し、次いで、端末デバイスへＲＲＣ接続解放メッセージを送る。ＲＲＣ接続解放メッセージは、ＲＮＡを搬送する。ＲＲＣ接続解放メッセージを受信した後、端末デバイスは、ＲＡＮノードへのＲＲＣ接続を解放し、ＲＮＡを記憶する。ＲＲＣ休止状態において、シグナリングはＲＡＮノードと端末デバイスとの間で交換されず、その結果、ＲＡＮノードは、端末デバイスの位置情報を感知することができない。端末デバイスの移動期間中に、端末デバイスは、基地局によってブロードキャストされたセル情報を感知し、端末デバイスの位置情報を決定する。端末デバイスがＲＮＡの外へ移動したと決定した場合、端末デバイスは、ＲＡＮノードへＲＲＣ接続回復要求を送って、ＲＡＮノードへのＲＲＣ接続を再確立する。端末デバイスはＲＲＣ休止状態に依然として切り替えられる必要があるとＲＡＮが決定した場合、ＲＡＮは、端末デバイスの最新の位置情報に基づいて、端末デバイスのＲＮＡを再決定する。
【００９０】
端末デバイスについてＲＡＮノードによって設定されるＲＮＡは、ＲＡＮノードの実際のサービス範囲より小さくなり得ることが留意されるべきである。このようにして、端末デバイスが、端末デバイスについてＲＡＮノードによって設定されるＲＮＡの外へ移動した場合、端末デバイスは、同じＲＡＮノードに依然としてアクセスすることができ、次いで、ＲＡＮノードは、端末デバイスについてＲＮＡを再設定する。代替として、端末デバイスについてＲＡＮノードによって設定されるＲＮＡの外へ移動した後、端末デバイスは、別のＲＡＮにアクセスしてもよく、この別のＲＡＮは、端末デバイスについてＲＮＡを設定する。
【００９１】
また、Ｎ２接続がＣＰＦノードとＲＡＮノードと間に依然として存在することが理由で、端末デバイスがＲＲＣ休止状態にある場合、ＣＰＦノードは、端末デバイスが接続状態にあると依然として考える。端末デバイスに固有のダウンリンクデータを受信した場合、ＵＰＦノードは、ダウンリンクデータをＲＡＮノードへ依然として送り、ダウンリンクデータを受信した後、ＲＡＮノードは、ＲＮＡ内の端末デバイスへのページングを開始し、ＲＡＮノードからページングメッセージを受信した後、端末デバイスは、ＲＲＣ接続状態に再び切り替えられ、次いで、ＲＡＮノードは、端末デバイスへダウンリンクデータを送る。
【００９２】
端末デバイスがＬＡＤＮにアクセスする場合において、端末デバイスがアップリンクＬＡＤＮデータを送る必要があり、端末デバイスがＬＡＤＮへのパケットデータユニット（Ｐａｃｋｅｔ  Ｄａｔａ  Ｕｎｉｔ、ＰＤＵ）セッション送信チャネルを既に確立している場合、端末デバイスは、ＰＤＵセッションリソースを使用することによってアップリンクＬＡＤＮデータを送ってもよい。端末デバイスがＬＡＤＮ  ＳＡの外へ移動したことを感知した場合、ＣＰＦノード内のネットワーク要素は、ＰＤＵセッションリソースを解放する。しかしながら、端末デバイスはアップリンクＬＡＤＮデータを送る必要があるが、端末デバイスとＬＡＤＮとの間にＰＤＵセッション送信チャネルが存在しない場合において、端末デバイスが、ＬＡＤＮ  ＳＡ内に端末デバイスがあると決定した場合、端末デバイスは、ＣＰＦノードへ、ＰＤＵセッション送信チャネルの確立のための要求を送る。さらに、ＲＡＮノードは、ＣＰＦノードに、端末デバイスが属するセルに関する情報を報告し、次いで、ＣＰＦノードは、端末デバイスの位置情報を決定し、端末デバイスの位置情報に基づいて、端末デバイスがＬＡＤＮ  ＳＡ内にあるかどうかを決定し得る。端末デバイスがＬＡＤＮ  ＳＡ内にあるとＣＰＦノードが決定した場合、ＣＰＦノードは、ＰＤＵセッション送信チャネルの確立を許可し、その結果、端末デバイスは、ＰＤＵセッションリソースを使用することによってアップリンクＬＡＤＮデータを送る。
【００９３】
端末デバイスがＬＡＤＮにアクセスする場合において、ＵＰＦノードが、端末デバイスに固有のダウンリンクＬＡＤＮデータを受信し、端末デバイスが、ＬＡＤＮへのＰＤＵセッション送信チャネルを既に確立している（具体的には、ＬＡＤＮ内のＰＤＵセッションのためのユーザプレーンリソースが確立されている）場合、ＵＰＦノードは、ＲＡＮノードへダウンリンクＬＡＤＮデータを送ってもよく、次いで、ＲＡＮノードは、端末デバイスへＬＡＤＮデータを送る。しかしながら、ＵＰＦノードが、端末デバイスに固有のダウンリンクＬＡＤＮデータを受信するが、端末デバイスとＬＡＤＮとの間にＰＤＵセッション送信チャネルが存在しない場合、ＵＰＦノードは、ＳＭＦノードへダウンリンクデータ通知（Ｄｏｗｎｌｉｎｋ  Ｄａｔａ  Ｎｏｔｉｆｉｃａｔｉｏｎ、ＤＤＮ）メッセージを送り得る。ＤＤＮメッセージを受信した後、ＳＭＦノードは、ＡＭＦノードを使用することによって端末デバイスの位置情報を取得し、ＳＭＦノードが、端末デバイスの位置情報に基づいて、端末デバイスはＬＡＤＮ  ＳＡ内にあると決定した場合、ＳＭＦノードは、ＰＤＵセッション送信チャネルを確立する処理をトリガし、その結果、ＰＤＵセッションチャネルが設立された後、ＵＰＦノードは、ＲＡＮノードを使用することによって端末デバイスへダウンリンクＬＡＤＮデータを送り得る。
【００９４】
前述の説明に関して、ＲＡＮがダウンリンクデータを受信した場合において、端末デバイスはＲＲＣ接続状態またはＲＲＣ休止状態にあるとＲＡＮノードが決定し、端末デバイスがＲＡＮノードのサービス範囲内にある場合、ＲＡＮノードは、端末デバイスへダウンリンクデータを送り得る。しかしながら、先行技術において、端末デバイスへダウンリンクデータを送る場合、ＲＡＮノードは、端末デバイスがＬＡＤＮ  ＳＡ内にあるかどうかを考えない。結果的に、端末デバイスがＬＡＤＮ  ＳＡの外へ既に移動した場合に、ダウンリンクＬＡＤＮデータが端末デバイスへ依然として送られるという問題が引き起こされる。
【００９５】
一方では、端末デバイスが常にＲＲＣ接続状態にある場合において、端末デバイスがＬＡＤＮ  ＳＡとＲＡＮノードのサービス範囲との両方によってカバーされた領域内にあるとき、ＲＡＮノードは、端末デバイスへダウンリンクＬＡＤＮデータを送り得る。ＲＲＣ接続状態にある端末デバイスが、ＬＡＤＮ  ＳＡの外へ移動したが、依然としてＲＡＮノードのサービス範囲内にある場合において、ＲＡＮノードが、端末デバイスに固有のダウンリンクＬＡＤＮデータを受信するとき、ＲＡＮノードはＬＡＤＮ  ＳＡを知らないので、ＲＡＮノードは、この時に端末デバイスがＬＡＤＮ  ＳＡ内にあるかどうかを決定することができず、したがって、ＲＡＮノードは、端末デバイスへダウンリンクＬＡＤＮ  ＳＡデータを依然として送る。結果的に、ＬＡＤＮ  ＳＡの外へ移動した後に、端末デバイスがダウンリンクＬＡＤＮデータを依然として受信することができるという問題が引き起こされる。
【００９６】
他方では、図５に示されるように、端末デバイスは、ＬＡＤＮ  ＳＡとＲＡＮノードのサービス範囲との両方によってカバーされた領域内にある。この場合において、端末デバイスはＲＲＣ接続状態からＲＲＣ休止状態に切り替えられる。ＲＡＮノードは、端末デバイスについてＲＮＡを設定し、次いで、端末デバイスは、ＬＡＤＮ  ＳＡの外へ移動するが、依然としてＲＮＡ内にある。結果として、ＲＡＮノードは、端末デバイスに固有のダウンリンクＬＡＤＮデータを受信し、ＲＮＡ内の端末デバイスをページングする。ページングメッセージを受信した後、端末デバイスは、ＲＲＣ休止状態からＲＲＣ接続状態に切り替えられ、次いで、ＲＡＮノードは、端末デバイスへダウンリンクＬＡＤＮデータを送る。この場合において、端末デバイスはＬＡＤＮ  ＳＡ内に既にいないが、ダウンリンクＬＡＤＮデータを依然として受信することが学習され得る。
【００９７】
ＬＡＤＮ  ＳＡの外へ移動した後に、端末デバイスがＬＡＤＮデータを依然として受信することができるという問題を解決するために、本出願の原理は、以下の通りである。ＲＡＮノードへのＮ２接続を確立する処理において、ＡＭＦノードは、端末デバイスのＬＡＤＮ  ＳＡ関連情報をＲＡＮへ送り、次いで、端末デバイスの位置情報とＬＡＤＮ  ＳＡ関連情報とに基づいて、端末デバイスはＬＡＤＮ  ＳＡの外へ移動したと決定した場合、ＲＡＮノードは、ＡＭＦノードまたはＳＭＦノードに、端末デバイスがＬＡＤＮ  ＳＡの外へ既に移動したと通知し得る。このようにして、ＳＭＦノードは、端末デバイスのＰＤＵセッションリソースを解放すること、またはダウンリンクＬＡＤＮ  ＳＡデータのバッファリングを延長するように、もしくはダウンリンクＬＡＤＮ  ＳＡデータを破棄するようにＵＰＦノードに指示することができる。このようにして、端末デバイスは、ＬＡＤＮ  ＳＡの外へ移動した後にＬＡＤＮデータを受信しない。
【００９８】
図６に示されるように、本出願の一実施形態は、通信方法を提供する。本方法は、図２に示される通信システムに適用され、本方法は、以下のステップを含む。
【００９９】
６０１：ＲＡＮノードは、ＡＭＦノードから第１のメッセージを受信する。
【０１００】
対応して、ＡＭＦノードは、第１のメッセージを受信する。
【０１０１】
第１のメッセージは、ＲＡＮノードとＡＭＦノードとの間のＮ２接続を起動する処理において、ＡＭＦノードによって送られたＮ２接続起動メッセージであり得る。例えば、Ｎ２接続起動メッセージは、具体的には、パススイッチ応答（Ｐａｔｈ  Ｓｗｉｔｃｈ  Ｒｅｓｐｏｎｓｅ）メッセージであってもよい。代替として、第１のメッセージは、端末デバイスの特定領域関連情報を搬送するために使用される専用メッセージであってもよい。代替として、第１のメッセージは、ＰＤＵセッションの確立期間中にＡＭＦノードによってＲＡＮノードへ送られるＮ２メッセージ、または位置報告制御メッセージ（Ｌｏｃａｔｉｏｎ  Ｒｅｐｏｒｔ  Ｃｏｎｔｒｏｌ  ｍｅｓｓａｇｅ）であってもよい。
【０１０２】
第１のメッセージは、端末デバイスの特定領域関連情報を含み、特定領域関連情報は、端末デバイスの特定領域を示すために使用される。特定領域は、具体的には、ＬＡＤＮ  ＳＡ、または位置報告領域（Ｌｏｃａｔｉｏｎ  Ｒｅｐｏｒｔｉｎｇ  ａｒｅａ）、または関心領域（Ａｒｅａ  ｏｆ  ｉｎｔｅｒｅｓｔ）であってもよい。関心領域は、ＳＭＦノードに関心を持たせる領域であり得る。
【０１０３】
任意選択で、特定領域関連情報は、特定領域に対応する位置領域識別子リスト、例えば、ＬＡＤＮ  ＳＡに対応する位置領域識別子リスト、または位置報告領域に対応する位置領域識別子リストを含む。
【０１０４】
位置領域識別子リストは、セル識別子（Ｃｅｌｌ  ＩＤ）リストであってもよく、または追跡領域識別（ｔｒａｃｋｉｎｇ  ａｒｅａ  ｉｄｅｎｔｉｔｙ、ＴＡＩ）リストであってもよい。
【０１０５】
任意選択で、特定領域関連情報は、ＬＡＤＮ  ＳＡ関連情報を含み、ＬＡＤＮ  ＳＡ関連情報は、ＬＡＤＮ  ＳＡに対応する位置領域識別子リスト、またはＬＡＤＮ  ＳＡに対応するデータネットワーク名（Ｄａｔａ  Ｎｅｔｗｏｒｋ  Ｎａｍｅ、ＤＮＮ）を含んでもよい。
【０１０６】
ＬＡＤＮ  ＳＡに対応する位置領域識別子リストは、具体的には、セルＩＤリストまたは追跡領域リスト（ｔｒａｃｋｉｎｇ  ａｒｅａ  ｌｉｓｔ、ＴＡＬ）であり得る。ＴＡＬは、少なくとも１つのＴＡＩを含み得る。
【０１０７】
ＬＡＤＮ  ＳＡは、１つまたは複数のＬＡＤＮがサービスを提供する範囲であってもよく、ＬＡＤＮ  ＳＡに対応するＤＮＮは、１つまたは複数のＬＡＤＮの名称であってもよい。
【０１０８】
例えば、特定領域は、少なくとも１つの位置領域を含み、位置領域は、１つのセルまたは１つの追跡領域であってもよく、その結果、特定領域に対応する位置領域識別子リストは、具体的には、特定領域に含まれる少なくとも１つの位置領域の識別子を含むリストであり得る。具体的には、特定領域に対応する位置領域識別子リストは、特定領域に含まれる位置領域の位置領域識別子を含むリストである。例えば、特定領域に対応する位置領域識別子リストは、セル識別子１、セル識別子２、およびセル識別子３を含むと仮定される。それは、特定領域が、セル識別子１によって示されるセルのカバレッジ、セル識別子２によって示されたセルのカバレッジ、およびセル識別子３によって示されたセルのカバレッジであることを示す。
【０１０９】
６０２：ＲＡＮノードが、端末デバイスの特定領域関連情報および第１の位置情報に基づいて、端末デバイスは特定領域の外へ移動したと決定した場合、ＲＡＮノードは、ＡＭＦノードまたはＳＭＦノードへ、第１の位置情報または第１のインジケーション情報を送る。
【０１１０】
対応して、ＡＭＦノードまたはＳＭＦノードは、第１の位置情報または第１のインジケーション情報を受信する。
【０１１１】
第１のインジケーション情報は、端末デバイスが特定領域の外へ既に移動したことを示すために使用され得る。
【０１１２】
第１の位置情報は、端末デバイスがキャンプオンするセルに関する情報、または端末デバイスがＲＲＣ休止状態からＲＲＣ接続状態に切り替えられるとき、もしくはその後の、端末デバイスがキャンプオンする追跡領域に関する情報であり得る。
【０１１３】
例えば、端末デバイスがＲＲＣ休止状態からＲＲＣ接続状態に切り替えられる場合、端末デバイスは、ＲＡＮノードへＲＲＣ接続回復要求を送る。ＲＡＮノードは、ＲＲＣ接続回復要求を受信することによって、端末デバイスによってアクセスされるセルに関する情報を学習し、次いで、セルの位置情報に基づいて端末デバイスの第１の位置情報を決定することができる。第１の位置情報は、端末デバイスによってアクセスされるセルのセル識別子と、ＴＡＩとを含む。
【０１１４】
ステップ６０２において、ＲＡＮノードによって、特定領域関連情報および端末デバイスの第１の位置情報に基づいて、端末デバイスは特定領域の外へ移動したと決定するための方法は、以下の２つの手法を使用してもよい。
【０１１５】
第１の手法：特定領域関連情報は、特定領域に対応する位置領域識別子リストを含み、第１の位置情報によって示される位置が、特定領域に対応する位置領域識別子リスト内の位置領域識別子によって示される領域のうちのいずれにもない場合、ＲＡＮノードは、端末デバイスが特定領域の外へ移動したと決定する。
【０１１６】
反対に、第１の位置情報によって示される位置が、特定領域に対応する位置領域識別子リスト内の任意の位置領域識別子によって示される領域内にある場合、ＲＡＮノードは、端末デバイスが特定領域の外へ移動していないと決定し得る。
【０１１７】
第２の手法：特定領域関連情報は、ＬＡＤＮ  ＳＡ関連情報を含み、ＬＡＤＮ  ＳＡ関連情報は、ＬＡＤＮ  ＳＡに対応するデータネットワーク名ＤＮＮを含む。ＲＡＮノードは、ＤＮＮ、およびＤＮＮとＬＡＤＮ  ＳＡに対応する位置領域識別子リストとの間のマッピング関係に基づいて、ＬＡＤＮ  ＳＡに対応する位置領域識別子リストを決定する。第１の位置情報によって示される位置が、ＬＡＤＮ  ＳＡに対応する位置領域識別子リスト内の位置領域識別子によって示される領域のうちのいずれにもない場合、ＲＡＮノードは、端末デバイスが特定領域の外へ移動したと決定する。
【０１１８】
具体的には、特定領域はＬＡＤＮ  ＳＡであり、ＬＡＤＮ  ＳＡ関連情報は、ＬＡＤＮ  ＳＡに対応するＤＮＮを含む。ＲＡＮノードは、ＬＡＤＮ  ＳＡ関連情報に含まれたＤＮＮ、およびＤＮＮとＬＡＤＮ  ＳＡに対応する位置領域識別子リストとの間のマッピング関係に基づいて、ＬＡＤＮ  ＳＡに対応する位置領域識別子リストを決定し得る。
【０１１９】
例えば、ＤＮＮと、ＬＡＤＮ  ＳＡに対応する位置領域識別子リストとの間のマッピング関係は、表１に示される。
【０１２０】
【表１】
2020532182.tif 000003
【０１２１】
ＲＡＮによって受信された第１のメッセージ内のＬＡＤＮ  ＳＡ関連情報がＤＮＮ１である場合、ＲＡＮは、表１に基づいて、ＤＮＮ１に対応する位置領域識別子リスト１を発見し得、位置領域識別子リスト１内の位置領域識別子によって示される領域を含む総領域がＬＡＤＮ  ＳＡであるとさらに決定し得る。
【０１２２】
ＲＡＮノードが、ＡＭＦノードまたはＳＭＦノードへ、第１の位置情報または第１のインジケーション情報を送ることは、具体的には、以下の４つのケースを含み得ることが留意されるべきである。
【０１２３】
第１のケース：ＲＡＮノードは、ＡＭＦノードへ第１の位置情報を送る。
【０１２４】
対応して、本方法は、第１の位置情報を受信した後、ＡＭＦノードによって、第１の位置情報によって示される位置が特定領域内にあるかどうかを決定することと、第１の位置情報によって示される位置が特定領域内にないとＡＭＦノードが決定した場合、ＡＭＦノードによって、端末デバイスが特定領域の外へ既に移動したことをＳＭＦノードに通知することとをさらに含み得る。
【０１２５】
第２のケース：ＲＡＮノードは、ＡＭＦノードへ第１のインジケーション情報を送る。
【０１２６】
対応して、ＡＭＦノードが第１のインジケーション情報を受信した後、ＡＭＦノードは、ＳＭＦノードへ第１のインジケーション情報を送る。
【０１２７】
第３のケース：ＲＡＮノードは、ＳＭＦノードへ第１の位置情報を送る。
【０１２８】
対応して、第１の位置情報を受信した後、ＳＭＦノードは、第１の位置情報によって示される位置が特定領域内にあるかどうかを決定し、第１の位置情報によって示される位置が特定領域内にないとＳＭＦノードが決定した場合、ＳＭＦノードは、端末デバイスのＰＤＵセッションリソースを解放する処理をトリガする。
【０１２９】
第４のケース：ＲＡＮノードは、ＳＭＦノードへ第１のインジケーション情報を送る。
【０１３０】
対応して、ＳＭＦノードは、第１のインジケーション情報を受信し、端末デバイスが特定領域の外へ既に移動したことを第１のインジケーション情報が示す場合、端末デバイスのＰＤＵセッションリソースを解放する処理をトリガする。
【０１３１】
第３のケースおよび第４のケースにおいて言及される、ＰＤＵセッションリソースを解放する処理は、ＰＤＵセッションを解放する処理またはＰＤＵセッションを休止する処理であり得ることが留意されるべきである。
【０１３２】
前述の実施形態において提供される方法によれば、ＡＭＦノードは、ＲＡＮノードへ、端末デバイスの特定領域関連情報を送り得、さらに、端末デバイスが特定領域の外へ移動したと決定した場合、ＲＡＮノードは、ＡＭＦノードまたはＳＭＦノードへ、第１の位置情報または第１のインジケーション情報を送り得、その結果、ＡＭＦノードまたはＳＭＦノードは、端末デバイスが特定領域の外へ既に移動したことを学習することができ、それにより、特定のサービスが特定領域内のみで実装されることができることを確保する。例えば、特定領域がＬＡＤＮ  ＳＡである場合において、端末デバイスがＬＡＤＮ  ＳＡの外へ移動したと決定するとき、ＲＡＮノードは、ＡＭＦノードまたはＳＭＦノードに、端末デバイスがＬＡＤＮ  ＳＡの外へ既に移動したことを通知し、ＳＭＦノードは、ＰＤＵセッションリソースを解放する処理をトリガすることができ、それにより、端末デバイスがＬＡＤＮ  ＳＡの外へ移動した後にＬＡＤＮデータを受信しないこと、または送らないことを確保する。
【０１３３】
任意選択で、前述の実施形態の第１の実装シナリオにおいて、図７に示されるように、ステップ６０２の前に、本方法はステップ７０１からステップ７０３をさらに含む。
【０１３４】
７０１：ＲＡＮノードが、端末デバイスをＲＲＣ接続状態からＲＲＣ休止状態に切り替えることを決定した場合、ＲＡＮノードは、端末デバイスの第２の位置情報および端末デバイスの特定領域関連情報に基づいてＲＮＡを決定する。
【０１３５】
例えば、ＲＡＮノードは、特定された期間内に端末デバイスとＲＡＮノードとの間でデータが送信されるかどうかに基づいて、端末デバイスをＲＲＣ接続状態からＲＲＣ休止状態に切り替えるかどうかを決定してもよい。特定された期間内に端末デバイスとＲＡＮノードとの間でデータが送信されない場合、端末デバイスはＲＲＣ接続状態からＲＲＣ休止状態に切り替えられるべきであると決定される。
【０１３６】
さらに、ＲＡＮノードは、ＡＭＦノードによって提供される、端末デバイスの関連するパラメータ、および特定された期間内に端末デバイスとＲＡＮノードとの間でデータが送信されるかどうかを参照して、端末デバイスをＲＲＣ接続状態からＲＲＣ休止状態に切り替えるべきかを決定してもよい。ＡＭＦノードによって提供される、端末デバイスの関連するパラメータは、端末デバイスの登録領域（Ｒｅｇｉｓｔｒａｔｉｏｎ  Ａｒｅａ）、端末デバイスの不連続受信（Ｄｉｓｃｏｎｔｉｎｕｏｕｓ  Ｒｅｃｅｐｔｉｏｎ、ＤＲＸ）情報、および端末デバイスがモバイル発呼接続専用（Ｍｏｂｉｌｅ  Ｉｎｉｔｉａｔｅｄ  Ｃｏｎｎｅｃｔｉｏｎ  Ｏｎｌｙ、ＭＩＣＯ）モードにあるかどうかなどのパラメータであってもよい。
【０１３７】
例えば、端末デバイスがＭＩＣＯモードではなく、特定された期間内に端末デバイスとＲＡＮノードとの間でデータが送信されない場合、ＲＡＮノードは、端末デバイスをＲＲＣ接続状態からＲＲＣ休止状態に切り替えることを決定する。端末デバイスがＭＩＣＯモードである場合、端末デバイスはページングメッセージをリッスンせず、ＲＡＮノードは端末デバイスをページングせず、その結果、端末デバイスは、ＲＲＣ接続状態からＲＲＣ休止状態に切り替えられない。
【０１３８】
また、これらのパラメータに基づいて、ＲＡＮノードによって、端末デバイスをＲＲＣ接続状態からＲＲＣ休止状態に切り替えるべきかどうかを決定する方法は、先行技術におけるその方法と類似しており、詳細は本明細書において一つずつ説明されない。
【０１３９】
ステップ７０１において、ＲＡＮノードによって、端末デバイスの第２の位置情報および特定領域関連情報に基づいて、端末デバイスのＲＮＡを決定することは、以下の２つの実装を使用してもよい。
【０１４０】
第１の手法：特定領域関連情報は、特定領域に対応する位置領域識別子リストを含む。第２の位置情報によって示される位置が、特定領域に対応する位置領域識別子リストによって示される領域内にある場合、ＲＡＮノードは、第１の参照情報に基づいてＲＮＡを決定する。ＲＮＡは、特定領域に含まれており、第１の参照情報は、少なくとも、端末デバイスの登録領域情報を含む。
【０１４１】
端末デバイスの登録領域は、ＡＭＦノードによってＲＡＮノードへ送られる端末デバイスの登録領域（Ｒｅｇｉｓｔｒａｔｉｏｎ  Ａｒｅａ）情報によって示される登録領域である。登録領域は、ＡＭＦノードによって端末デバイスに割り当てられる領域であり、端末デバイスの位置を管理するために使用される。端末デバイスが登録領域の外へ移動した場合、端末デバイスは、端末デバイスの最新の位置情報をＡＭＦノードに報告する必要がある。
【０１４２】
第１の参照情報は、以下の情報のうちのいずれか１つまたは複数をさらに含み得る：
【０１４３】
端末デバイスによってアクセスされるＲＡＮノードに隣接するＲＡＮノードが、端末デバイスのＲＲＣ休止状態をサポートするかどうか；
【０１４４】
端末デバイスによってアクセスされるＲＡＮノードと、隣接するＲＡＮノードとの間に、Ｘｎインターフェースがあるかどうか；および
【０１４５】
端末デバイスの予想されるハンドオーバ挙動（Ｅｘｐｅｃｔｅｄ  ＨＯ  ｂｅｈａｖｉｏｒ）情報。
【０１４６】
例えば、端末デバイスによってアクセスされるＲＡＮノードに隣接するＲＡＮノードが、端末デバイスのＲＲＣ休止状態をサポートする場合、ＲＮＡは、端末デバイスによってアクセスされるＲＡＮノードのサービスエリアと、端末デバイスによってアクセスされるＲＡＮノードに隣接するＲＡＮノードのサービスエリアとの両方を含み得る。
【０１４７】
端末デバイスによってアクセスされるＲＡＮノードと、隣接するＲＡＮノードとの間に、Ｘｎインターフェースがある場合、ＲＮＡは、端末デバイスによってアクセスされるＲＡＮノードのサービスエリアと、端末デバイスによってアクセスされるＲＡＮノードに隣接するＲＡＮノードのサービスエリアとの両方を含み得る。
【０１４８】
端末デバイスの予想されるハンドオーバ挙動情報は、端末デバイスの予想されるハンドオーバ期間であり得る。例えば、端末デバイスが高速で移動する場合、ハンドオーバ時間は短い。端末デバイスの頻繁なＲＮＡハンドオーバを回避するために、比較的大きいＲＮＡがセットされ得る。
【０１４９】
ＲＡＮノードは、第１の参照情報に基づいて領域を決定し得る。この領域とＬＡＤＮ  ＳＡとの間の重複領域は、端末デバイスのＲＮＡである。任意選択で、ＲＮＡは、この領域とＬＡＤＮ  ＳＡとの間の重複領域内の任意のサブエリアであってもよい。例えば、図８に示されるように、領域１は、第１の参照情報に基づいて、ＲＡＮノードによって決定される領域であり、ＲＡＮノードによって決定される端末デバイスのＲＮＡは、図８の斜線領域または斜線領域内の任意のサブエリアであり得る。
【０１５０】
第２の手法：特定領域関連情報は、ＬＡＤＮ  ＳＡ関連情報を含み、ＬＡＤＮ  ＳＡ関連情報は、ＬＡＤＮ  ＳＡに対応するデータネットワーク名ＤＮＮを含む。ＲＡＮノードは、ＤＮＮ、およびＤＮＮとＬＡＤＮ  ＳＡに対応する位置領域識別子リストとの間のマッピング関係に基づいて、ＬＡＤＮ  ＳＡに対応する位置領域識別子リストを決定する。第２の位置情報によって示される位置が、ＬＡＤＮ  ＳＡに対応する位置領域識別子リストによって示される領域内にある場合、ＲＡＮノードは、第２の参照情報に基づいてＲＮＡを決定する。第２の参照情報は、少なくとも、端末デバイスの登録領域情報を含み、ＲＮＡは、ＬＡＤＮ  ＳＡに含まれている。
【０１５１】
第２の参照情報は、以下の情報のうちのいずれか１つまたは複数をさらに含む：
【０１５２】
端末デバイスによってアクセスされるＲＡＮノードに隣接するＲＡＮノードが、端末デバイスのＲＲＣ休止状態をサポートするかどうか；
【０１５３】
端末デバイスによってアクセスされるＲＡＮノードと、隣接するＲＡＮノードとの間に、Ｘｎインターフェースがあるかどうか；および
【０１５４】
端末デバイスの予想されるハンドオーバ挙動情報。
【０１５５】
第１の参照情報と第２の参照情報とは同じであってもよく、第２の参照情報に基づいて、ＲＡＮノードによってＲＮＡを決定するための方法は、第１の参照情報に基づいて、ＲＡＮノードによってＲＮＡを決定するための方法と同じであることが留意されるべきである。詳細は、本明細書において再度説明されない。
【０１５６】
第２の位置情報は、端末デバイスがＲＲＣ接続状態からＲＲＣ休止状態に切り替えられる場合に、端末デバイスがキャンプオンするセルに関する情報、または端末デバイスがキャンプオンする追跡領域に関する情報であり得る。
【０１５７】
第２の位置情報を取得するための方法は、以下の通りであり得る：ＲＡＮノードは、端末デバイスによって送られたメッセージを受信することによって、端末デバイスによってアクセスされるセルに関する情報を取得し、次いで、セルに関する情報に基づいて、端末デバイスの第２の位置情報を決定することができる。
【０１５８】
７０２：ＲＡＮノードは、第２のメッセージを端末デバイスへ送る。
【０１５９】
第２のメッセージは、端末デバイスとＲＡＮノードとの間のＲＲＣ接続を解放するために使用され、第２のメッセージはＲＮＡを搬送する。例えば、第２のメッセージは、ＲＲＣ接続解放メッセージであってもよい。
【０１６０】
７０３：端末デバイスは、第２のメッセージを受信し、第２のメッセージに基づいて、端末デバイスの状態をＲＲＣ接続状態からＲＲＣ休止状態に切り替え、端末デバイスのＲＮＡを記憶する。
【０１６１】
さらに、端末デバイスがＲＲＣ休止状態にある場合、端末デバイスの位置は変化することがあり、本方法は、ステップ７０４からステップ７０７をさらに含み得る。
【０１６２】
７０４：端末デバイスがＲＮＡの外へ移動したと決定した場合、端末デバイスは、第３のメッセージをＲＡＮノードへ送る。
【０１６３】
対応して、ＲＡＮノードは、端末デバイスから第３のメッセージを受信する。
【０１６４】
第３のメッセージは、端末デバイスがＲＮＡの外へ移動した場合に、端末デバイスとＲＡＮノードとの間のＲＲＣ接続を回復することを要求するために使用される。例えば、第３のメッセージは、ＲＲＣ接続回復要求メッセージであってもよい。
【０１６５】
端末デバイスによって、端末デバイスがＲＮＡの外へ移動したと決定するための方法は、以下の通りである：端末デバイスは、アクセスされたセルに関する情報に基づいて、端末デバイスの位置情報を決定し得る。端末デバイスはＲＮＡを記憶しているので、端末デバイスは、端末デバイスの位置情報によって示される位置がＲＮＡ内にあるかどうかを決定することができ、端末デバイスの位置情報によって示される位置がＲＮＡ内にないと決定した場合、端末デバイスがＲＮＡの外へ移動したと決定することができる。
【０１６６】
端末デバイスがＲＮＡの外へ移動した場合、端末デバイスはＲＡＮノードに再アクセスすることが留意されるべきである。再アクセスされるＲＡＮノードが、端末デバイスはＲＲＣ休止状態に切り替えられる必要が依然としてあると決定した場合、ＲＡＮノードは、端末デバイスについてＲＮＡを再設定する。
【０１６７】
７０５：ＲＡＮノードは、第３のメッセージの応答メッセージを端末デバイスへ送る。
【０１６８】
第３のメッセージの応答メッセージは、ＲＡＮノードへのＲＲＣ接続を確立するように端末デバイスに指示するために使用される。
【０１６９】
７０６：端末デバイスは、第３のメッセージの応答メッセージを受信し、端末デバイスの状態をＲＲＣ休止状態からＲＲＣ接続状態に切り替える。
【０１７０】
７０７：ＲＡＮノードは、端末デバイスの位置情報を第１の位置情報に更新する。
【０１７１】
ステップ７０５およびステップ７０７の実行順序は、調整されてもよく、限定されない。
【０１７２】
端末デバイスがＲＮＡの外へ移動する処理において、端末デバイスの位置情報は変化することがあり、端末デバイスがＲＲＣ休止状態にある場合、ＲＡＮノードは、端末デバイスの位置情報を取得することができない。したがって、ＲＡＮノードに記憶される端末デバイスの位置情報の精度を確保するために、ＲＡＮノードが第３のメッセージを受信した後、または端末デバイスがＲＡＮノードへのＲＲＣ接続を回復した後、ＲＡＮノードは、端末デバイスのセルに関する情報を取得し、端末デバイスのセルに関する情報に基づいて、端末デバイスの第１の位置情報を決定し、端末デバイスの位置情報を第１の位置情報に更新し得る。
【０１７３】
例えば、端末デバイスがチャネルを使用することによってＲＡＮノードへメッセージを送る場合、ＲＡＮノードは、チャネルに対応する周波数または他の情報に基づいて、端末デバイスによってアクセスされるセルを決定し、セルの位置情報を端末デバイスの第１の位置情報としてさらに決定し得る。
【０１７４】
任意選択で、端末デバイスの位置情報を第１の位置情報に更新した後、ＲＡＮノードは、ステップ６０２を実行することができる。
【０１７５】
前述の実装シナリオにおいて提供される通信方法によれば、ＲＡＮノードは、特定領域関連情報を参照してＲＮＡを決定し、その結果、決定されたＲＮＡは、特定領域に含まれている。したがって、端末デバイスが特定領域の外へ移動したが、ＲＮＡ内に依然としてあるケースは回避され、特定領域がＬＡＤＮ  ＳＡである場合、ＲＲＣ休止状態にある端末デバイスが、ＬＡＤＮ  ＳＡの外へ移動した後に、ＬＡＤＮデータを依然として受信することができるという問題が回避される。
【０１７６】
本出願の一実施形態は、通信方法をさらに提供する。図９に示されるように、本方法は、以下のステップを含む。
【０１７７】
９０１：ＡＭＦノードは、第１のメッセージをＲＡＮノードへ送る。
【０１７８】
対応して、ＲＡＮノードは、第１のメッセージを受信する。
【０１７９】
第１のメッセージは、端末デバイスをＲＲＣ接続状態からＲＲＣ休止状態に切り替えることをＲＡＮノードが決定した場合、端末デバイスの状態を通知するために使用される第１の通知メッセージをＡＭＦノードへ送るように、ＲＡＮノードに対して指示するために使用される。例えば、第１のメッセージの名称は、前述のインジケーション機能を有する。別の例として、第１のメッセージは、インジケーション情報を搬送し、インジケーション情報は、前述のインジケーション機能を有する。
【０１８０】
例えば、第１のメッセージは、第１のインジケーション情報を搬送してもよく、第１のインジケーション情報は、端末デバイスをＲＲＣ接続状態からＲＲＣ休止状態に切り替えることをＲＡＮノードが決定した場合、ＡＭＦノードへ第１の通知メッセージを送るように、ＲＡＮノードに対して指示するために使用される。第１のインジケーション情報は、前述のインジケーション機能専用であってもよく、つまり、明示的なインジケーション手法であってもよい。例えば、第１のインジケーション情報は、１ビットを使用することによって示され、ビットが１に設定される場合、第１のインジケーション情報は、端末デバイスをＲＲＣ接続状態からＲＲＣ休止状態に切り替えることをＲＡＮノードが決定した場合、端末デバイスの状態を通知するために使用される第１の通知メッセージをＡＭＦノードへ送るように指示する。代替として、第１のインジケーション情報は、黙示的なインジケーション手法であってもよい。例えば、第１のインジケーション情報は、特定領域関連情報を含み、特定領域関連情報は、端末デバイスの特定領域を示すために使用される。
【０１８１】
特定領域は、ＬＡＤＮ  ＳＡ、または位置報告領域（Ｌｏｃａｔｉｏｎ  Ｒｅｐｏｒｔｉｎｇ  ａｒｅａ）、またはＳＭＦノードの関心領域（Ａｒｅａ  ｏｆ  ｉｎｔｅｒｅｓｔ）であってもよい。
【０１８２】
任意選択で、特定領域関連情報は、特定領域に対応する位置領域識別子リストを含む。位置領域識別子リストは、セル識別子リストまたはＴＡＩリストであってもよい。
【０１８３】
任意選択で、特定領域関連情報は、ＬＡＤＮ  ＳＡ関連情報を含み、ＬＡＤＮ  ＳＡ関連情報は、ＬＡＤＮ  ＳＡに対応する位置領域識別子リストおよび／またはＬＡＤＮ  ＳＡに対応するＤＮＮを含み得る。
【０１８４】
特定領域などの関連する用語については、図６に示される実施形態における関連する説明を参照されたいこと、および詳細は再度説明されないことが留意されるべきである。
【０１８５】
９０２：ＲＡＮノードが、端末デバイスをＲＲＣ接続状態からＲＲＣ休止状態に切り替えることを決定した場合、ＲＡＮノードは、第１のメッセージに基づいて、第１の通知メッセージをＡＭＦノードへ送る。
【０１８６】
ＲＡＮノードは、特定された期間内に端末デバイスとＲＡＮノードとの間でデータが送信されるかどうかに基づいて、端末デバイスをＲＲＣ接続状態からＲＲＣ休止状態に切り替えるべきかどうかを決定し得る。特定された期間内に端末デバイスとＲＡＮノードとの間でデータが送信されない場合、端末デバイスはＲＲＣ接続状態からＲＲＣ休止状態に切り替えられるべきであると決定され得る。ＲＡＮノードによって、端末デバイスをＲＲＣ接続状態からＲＲＣ休止状態に切り替えることを決定するための関連する方法については、以下のステップ７０１の説明を参照されたい。
【０１８７】
ＲＡＮノードによって、第１のメッセージに基づいて、第１の通知メッセージをＡＭＦノードへ送るための方法は、以下を含み得る：
【０１８８】
第１のインジケーション情報が、端末デバイスをＲＲＣ接続状態からＲＲＣ休止状態に切り替えることをＲＡＮノードが決定した場合において、ＡＭＦノードへ第１の通知メッセージを送るように、ＲＡＮノードに対して指示するために使用されるとき、ＡＭＦノードへ第１の通知メッセージを送ること。
【０１８９】
９０３：ＡＭＦノードは、ＲＡＮノードから第１の通知メッセージを受信し、第１の通知メッセージに基づいて、第２の通知メッセージをＳＭＦノードへ送る。
【０１９０】
対応して、ＳＭＦノードは、ＡＭＦノードから第１の通知メッセージを受信する。
【０１９１】
第２の通知メッセージは、端末デバイスの状態をＳＭＦノードに通知するために使用される。
【０１９２】
任意選択で、ステップ９０３は、２つの実装を含む。
【０１９３】
第１の実装：第１の通知メッセージは、第２の通知メッセージと同じである。具体的には、ＲＡＮノードから第１の通知メッセージを受信した後、ＡＭＦノードは、第１の通知メッセージをＳＭＦノードへ転送する。
【０１９４】
第２の実装：ＡＭＦノードは、ＲＡＮノードから第１の通知メッセージを受信し、第１のメッセージの内容を読み取り、次いで、第１の通知メッセージ内にあり、端末デバイスの状態を示すために使用される情報を第２の通知メッセージに追加し、第２の通知メッセージをＳＭＦノードへ送る。例えば、第２の通知メッセージは、ＡＭＦノードによってＳＭＦノードへ送られる、状態切り替え通知メッセージ、またはＮａｍｆ＿ＥｖｅｎｔＥｘｐｏｓｕｒｅ＿Ｎｏｔｉｆｙメッセージであってもよい。
【０１９５】
前述の実施形態において提供される通信方法によれば、ＡＭＦノードは、端末デバイスがＲＲＣ接続状態からＲＲＣ休止状態に切り替えられるべきことが決定される場合、端末デバイスの状態を通知するために使用される通知メッセージがＡＭＦノードへ送られる必要があることをＲＡＮノードに事前に通知してもよく；次いで、ＡＭＦノードは、端末デバイスの状態を通知するために使用される通知メッセージをＳＭＦノードへ送り；通知メッセージを受信した場合、ＳＭＦノードは、端末デバイスが既にＲＲＣ休止状態にあると決定することができ、ＬＡＤＮデータを端末デバイスへ送らず、それによって、ＲＲＣ休止状態内の端末デバイスが、ＬＡＤＮ  ＳＡの外へ移動した後、ＬＡＤＮデータを依然として受信することができるという問題を回避する。
【０１９６】
任意選択で、図９に示される前述の実施形態の実装シナリオにおいて、図１０に示されるように、ステップ９０３の後に、本方法は、ステップ１００１からステップ１００５をさらに含む。
【０１９７】
１００１：ＳＭＦノードは、第２の通知メッセージを受信し、第２の通知メッセージが、端末デバイスの状態はＲＲＣ休止状態であることを通知するために使用される場合、ＳＭＦノードは、第５のメッセージをＵＰＦノードへ送り、ただし、第５のメッセージは、端末デバイスのＰＤＵセッションリソースを解放することをＵＰＦノードに要求するために使用される。
【０１９８】
対応して、ＵＰＦノードは、第５のメッセージを受信する。
【０１９９】
第５のメッセージを受信した後、ＵＰＦノードは、第５のメッセージに基づいて、端末デバイスのＰＤＵセッションリソースを解放することが留意されるべきである。
【０２００】
１００２：ＵＰＦノードは、第６のメッセージをＳＭＦノードへ送る。
【０２０１】
対応して、ＳＭＦノードは、ＵＰＦノードから第６のメッセージを受信する。
【０２０２】
第６のメッセージは、ＵＰＦノードが端末デバイスのＰＤＵセッションリソースを既に解放したことをＳＭＦノードに通知するために使用され、第６のメッセージは、端末デバイスのＰＤＵセッションのＰＤＵセッション識別子を搬送する。
【０２０３】
１００３：ＳＭＦノードは、第７のメッセージをＡＭＦノードへ送り、ただし、第７のメッセージは、ＰＤＵセッション識別子を搬送し、第７のメッセージは、ＰＤＵセッション識別子に対応するＰＤＵセッションリソースを解放するようにＲＡＮノードに指示するために使用される。
【０２０４】
１００４：ＡＭＦノードは、ＳＭＦノードから第７のメッセージを受信し、第７のメッセージに基づいて、第３のメッセージをＲＡＮノードへ送り、ただし、第３のメッセージは、ＰＤＵセッション識別子を搬送し、第３のメッセージは、ＰＤＵセッション識別子に対応するＰＤＵセッションリソースを解放するようにＲＡＮノードに指示するために使用される。
【０２０５】
１００５：ＲＡＮノードは、ＡＭＦノードから第３のメッセージを受信し、第３のメッセージに基づいて、ＰＤＵセッション識別子に対応するＰＤＵセッションリソースを解放する。
【０２０６】
前述の実装シナリオによれば、端末デバイスの状態がＲＲＣ休止状態であると決定した場合、ＳＭＦノードは、ＰＤＵセッションリソースを解放するようにＵＰＦノードに指示してもよく、シグナリングを交換することによって、ＰＤＵセッションリソースを解放するようにＲＡＮノードにさらに指示する。このようにして、端末デバイスが特定領域の外へ移動した場合、関連するサービスデータを送るために使用されるＰＤＵセッションリソースはなく、例えば、端末デバイスが、ＬＡＤＮ  ＳＡの外へ移動した場合に、ＬＡＤＮデータを依然として受信することができるという問題が回避される。
【０２０７】
任意選択で、図９に示される実施形態の別の実装シナリオにおいて、図１１に示されるように、ステップ９０１において、ＲＡＮノードがＡＭＦノードから第１のメッセージを受信した後、本方法は、ステップ１１０１およびステップ１１０２をさらに含む。
【０２０８】
１１０１：ＲＡＮノードが、端末デバイスをＲＲＣ接続状態からＲＲＣ休止状態に切り替えることを決定した場合、ＲＡＮノードは、端末デバイスの位置情報に基づいて、端末デバイスのＲＮＡを決定する。
【０２０９】
例えば、ＲＡＮノードは、端末デバイスの位置情報によって示されるセルまたは追跡領域を端末デバイスのＲＮＡとして決定する。
【０２１０】
例えば、ＲＡＮノードは、端末デバイスの位置情報および第１の参照情報に基づいて、端末デバイスのＲＮＡを決定する。
【０２１１】
端末デバイスの位置情報によって示される位置は、端末デバイスの決定されたＲＮＡ内にある。
【０２１２】
第１の参照情報は、少なくとも、端末デバイスの登録領域情報を含む。登録領域情報は、端末デバイスの登録領域を示すために使用され、登録領域は、ＡＭＦノードによって端末デバイスに割り当てられた領域であり、端末デバイスの位置を管理するために使用される。端末デバイスが登録領域の外へ移動した場合、端末デバイスは、端末デバイスの最新の位置情報をＡＭＦノードへ報告する。また、端末デバイスの登録領域情報は、ＡＭＦノードによってＲＡＮノードへ送られてもよい。
【０２１３】
さらに、第１の参照情報は、以下の情報のうちのいずれか１つまたは複数をさらに含み得る：
【０２１４】
端末デバイスによってアクセスされるＲＡＮノードに隣接するＲＡＮノードが、端末デバイスのＲＲＣ休止状態をサポートするかどうか；
【０２１５】
端末デバイスによってアクセスされるＲＡＮノードと、隣接するＲＡＮノードとの間に、Ｘｎインターフェースがあるかどうか；および
【０２１６】
端末デバイスの予想されるハンドオーバ挙動情報。
【０２１７】
例えば、端末デバイスによってアクセスされるＲＡＮノードに隣接するＲＡＮノードが、端末デバイスのＲＲＣ休止状態をサポートする場合、ＲＮＡは、端末デバイスによってアクセスされるＲＡＮノードのサービスエリアと、端末デバイスによってアクセスされるＲＡＮノードに隣接するＲＡＮノードのサービスエリアとの両方を含み得る。
【０２１８】
端末デバイスによってアクセスされるＲＡＮノードと、隣接するＲＡＮノードとの間に、Ｘｎインターフェースがある場合、ＲＮＡは、端末デバイスによってアクセスされるＲＡＮノードのサービスエリアと、端末デバイスによってアクセスされるＲＡＮノードに隣接するＲＡＮノードのサービスエリアとの両方を含み得る。
【０２１９】
端末デバイスの予想されるハンドオーバ挙動情報は、端末デバイスの予想されるハンドオーバ期間であってもよい。例えば、端末デバイスが高速で移動する場合、ハンドオーバ時間は短い。端末デバイスの頻繁なＲＮＡハンドオーバを回避するために、比較的大きいＲＮＡがセットされ得る。
【０２２０】
１１０２：ＲＡＮノードは、第２のメッセージを端末デバイスへ送り、ただし、第２のメッセージは、端末デバイスとＲＡＮノードとの間のＲＲＣ接続を解放するように端末デバイスに指示するために使用され、第２のメッセージはＲＮＡを搬送する。
【０２２１】
任意選択で、図１１に示される実施形態の実装シナリオにおいて、図１１に示される手続きが実行された後、ＳＭＦノードがダウンリンクデータ通知（ｄｏｗｎｌｉｎｋ  ｄａｔａ  ｎｏｔｉｆｉｃａｔｉｏｎ、ＤＤＮ）を受信した場合、端末デバイスとＲＡＮノードとの間のＲＲＣ接続は再確立される。図１２に示されるように、本方法は、以下のステップを含む。
【０２２２】
１１０３：ＡＭＦノードは、第４のメッセージをＲＡＮノードへ送る。
【０２２３】
第４のメッセージは、端末デバイスとＲＡＮノードとの間にＲＲＣ接続を確立することを要求するために使用される。例えば、第４のメッセージは、Ｎ２メッセージであってもよい。
【０２２４】
例えば、ダウンリンクＬＡＤＮデータを取得した場合、ＵＰＦノードは、ＤＤＮメッセージをＳＭＦノードへ送る。ＤＤＮメッセージは、ＵＰＦノードがダウンリンクＬＡＤＮデータを取得することをＳＭＦノードに通知するために使用される。ＤＤＮメッセージを受信した後、ＳＭＦノードは、Ｎ１１メッセージをＡＭＦノードへ送る。Ｎ１１メッセージは、ユーザプレーンリソースを確立することを要求するために使用される。Ｎ１１メッセージを受信した後、ＡＭＦノードは、第４のメッセージをＲＡＮノードへ送る。
【０２２５】
１１０４：ＲＡＮノードは、ＡＭＦノードから第４のメッセージを受信し、端末デバイスとＲＡＮノードとの間にＲＲＣ接続を確立するように端末デバイスに指示する。
【０２２６】
例えば、ＲＡＮノードは、端末デバイスへページングメッセージを送ることによって、端末デバイスとＲＡＮノードとの間にＲＲＣ接続を確立するように端末デバイスに指示する。例えば、第４のメッセージを受信した後、ＲＡＮノードは、端末デバイスへのページングを開始する。ＲＡＮノードからページングメッセージを受信した後、端末デバイスは、ＲＲＣ接続回復要求をＲＡＮノードへ送る。ＲＲＣ接続回復要求を受信した後、ＲＡＮノードは、端末デバイスによってアクセスされるセルに関する情報を取得し、セルに関する情報に基づいて、端末デバイスの位置情報を決定し得る。
【０２２７】
１１０５：ＲＡＮノードが、端末デバイスの特定領域関連情報および位置情報に基づいて、端末デバイスは特定領域の外へ移動したと決定した場合、ＲＡＮノードは、端末デバイスの位置情報または第１のインジケーション情報をＡＭＦノードまたはＳＭＦノードへ送り、ただし、第１のインジケーション情報は、端末デバイスが特定領域の外へ既に移動したことを示すために使用される。
【０２２８】
特定領域関連情報は、第１のメッセージ内で搬送されてもよく、特定領域関連情報は、端末デバイスの特定領域を示すために使用される。特定領域は、具体的にはＬＡＤＮ  ＳＡであり、または位置報告領域（Ｌｏｃａｔｉｏｎ  Ｒｅｐｏｒｔｉｎｇ  ａｒｅａ）、またはＳＭＦノードの関心領域（Ａｒｅａ  ｏｆ  ｉｎｔｅｒｅｓｔ）であってもよい。
【０２２９】
ステップ１１０５の特定の実装については、ステップ６０２の関連する説明を参照されたく、詳細は、本明細書において再度説明されない。
【０２３０】
任意選択で、ＲＡＮノードによって、端末デバイスの位置情報または第１のインジケーション情報をＡＭＦノードまたはＳＭＦノードへ送った後、本方法は、以下のステップをさらに含む。
【０２３１】
ステップ１１０５において、ＲＡＮノードが端末デバイスの位置情報をＡＭＦノードへ送る場合、ステップ１１０６ａが実行される必要がある。
【０２３２】
端末デバイスの位置情報は、ステップ１１０４における手法で取得されてもよく、詳細は再度説明されない。
【０２３３】
１１０６ａ：ＡＭＦノードが、端末デバイスの特定領域関連情報および位置情報に基づいて、端末デバイスは特定領域の外へ移動したと決定した場合、ＡＭＦノードは、第１のインジケーション情報をＳＭＦノードへ送り、ただし、第１のインジケーション情報は、端末デバイスが特定領域の外へ既に移動したことを示すために使用される。
【０２３４】
任意選択で、ステップ１１０５において、ＲＡＮノードが第１のインジケーション情報をＡＭＦノードへ送る場合、ステップ１１０６ａは１１０６ｂと置換されてもよい。
【０２３５】
１１０６ｂ：ＡＭＦノードは、第１のインジケーション情報をＳＭＦノードへ送り、ただし、第１のインジケーション情報は、端末デバイスが端末デバイスの特定領域の外へ既に移動したことを示すために使用される。
【０２３６】
さらに、任意選択で、ステップ１１０６ａまたはステップ１１０６ｂの後に、本方法は、以下のステップをさらに含んでもよい。
【０２３７】
１１０７：ＳＭＦノードは、Ｎ４メッセージをＵＰＦノードへ送り、ただし、Ｎ４メッセージは、ダウンリンクデータのバッファリングを延長すること、またはダウンリンクデータを破棄することをＵＰＦノードに指示するために使用される。
【０２３８】
例えば、Ｎ４メッセージは、ダウンリンクＬＡＤＮデータのバッファリングを延長すること、またはダウンリンクＬＡＤＮデータを破棄することをＵＰＦノードに指示するために使用される。
【０２３９】
１１０８：ＳＭＦノードは、Ｎ４メッセージを受信し、Ｎ４メッセージに基づいて、ダウンリンクデータのバッファリングを延長し、またはダウンリンクデータを破棄する。
【０２４０】
任意選択で、ステップ１１０５は１１０５ａと置換されてもよい。
【０２４１】
１１０５ａ：ＲＡＮノードが、端末デバイスの特定領域関連情報および位置情報に基づいて、端末デバイスは特定領域の外へ移動したと決定した場合、ＲＡＮノードは、第４のメッセージの応答メッセージをＡＭＦノードへ送る。
【０２４２】
第４のメッセージの応答メッセージは、ＲＡＮノードによって、端末デバイスとＲＡＮノードとの間のＲＲＣ接続の確立を拒否するために使用される。
【０２４３】
対応して、ＡＭＦノードは、ＲＡＮノードから第４のメッセージの応答メッセージを受信する。
【０２４４】
さらに、任意選択で、ステップ１１０５ａの後に、ステップ１１０７およびステップ１１０８が実行される。
【０２４５】
前述の実装シナリオにおいて提供される通信方法によれば、端末デバイスのダウンリンクデータを取得した場合、ＵＰＦノードは、ＳＭＦノードおよびＡＭＦノードを使用することによってＲＡＮノードに通知し、その結果、ＲＡＮノードは、端末デバイスとＲＡＮノードとの間にＲＲＣ接続を確立するように端末デバイスに指示し、さらに、ＲＡＮノードは、端末デバイスの位置情報を決定してもよく、ＲＡＮノードが、端末デバイスの位置情報に基づいて、端末デバイスは特定領域の外へ既に移動したと決定した場合、ＲＡＮノードは、関連情報または関連するメッセージをＡＭＦノードまたはＳＭＦノードへ報告し、その結果、ＳＭＦノードは、ダウンリンクＬＡＤＮデータを解放するように、またはダウンリンクＬＡＤＮデータのバッファリングを延長するようにＵＰＦノードに指示し、それにより、端末デバイスが、特定領域の外へ移動した場合に、ダウンリンクＬＡＤＮデータを受信しないことを確保する。
【０２４６】
本出願の一実施形態は、通信方法をさらに提供する。図１３に示されるように、本方法は、以下のステップを含む。
【０２４７】
１３０１：ＲＡＮノードは、端末デバイスがＲＲＣ接続状態からＲＲＣ休止状態に切り替わったと決定する。
【０２４８】
例えば、ＲＡＮノードは、特定された期間内に端末デバイスとＲＡＮノードとの間でデータが送信されるかどうかに基づいて、端末デバイスをＲＲＣ接続状態からＲＲＣ休止状態に切り替えるべきかどうかを決定し得る。特定された期間内に端末デバイスとＲＡＮノードとの間でデータが送信されない場合、端末デバイスはＲＲＣ接続状態からＲＲＣ休止状態に切り替えられるべきであると決定され得る。
【０２４９】
ステップ１３０１の特定の実装については、図６、図７、または図８に示される実施形態における関連する説明を参照されたく、詳細は再度説明されない。
【０２５０】
１３０２：ＲＡＮノードは、端末デバイスの状態を通知するために使用される通知メッセージをＡＭＦノードへ送る。
【０２５１】
例えば、端末デバイスの状態は、ＲＲＣ休止状態であってもよい。
【０２５２】
対応して、ＡＭＦノードは、ＲＡＮノードから通知メッセージを受信する。
【０２５３】
この実施形態において提供される通信方法によれば、端末デバイスがＲＲＣ接続状態からＲＲＣ休止状態に切り替えられると決定した場合、ＲＡＮノードは、端末デバイスの状態を通知するために使用される通知メッセージをＡＭＦノードへ送り、通知メッセージを受信した場合、ＡＭＦノードは、端末デバイスが既にＲＲＣ休止状態にあり、ＬＡＤＮデータを端末デバイスへ送らないと決定することができ、それにより、ＲＲＣ休止状態にある端末デバイスが、ＬＡＤＮ  ＳＡの外へ移動した後に、ＬＡＤＮデータを依然として受信することができるという問題を回避する。
【０２５４】
任意選択で、前述の実施形態の実装シナリオにおいて、図１４に示されるように、ステップ１３０１の前に、本方法は、以下のステップをさらに含む。
【０２５５】
１４０１：ＲＡＮノードは、端末デバイスの位置情報に基づいて、端末デバイスのＲＮＡを決定する。
【０２５６】
ステップ１４０１については、ステップ１１０１の関連する説明を参照されたく、詳細は再度説明されない。
【０２５７】
１４０２：ＲＡＮノードは、第１のメッセージを端末デバイスへ送る。
【０２５８】
対応して、端末デバイスは、第１のメッセージを受信する。
【０２５９】
第１のメッセージは、ＲＡＮノードへのＲＲＣ接続を解放するように端末デバイスに指示するために使用され、第１のメッセージはＲＮＡを搬送する。
【０２６０】
任意選択で、前述の実施形態の別の実装シナリオにおいて、ステップ１３０２の後に、本方法は、以下のステップをさらに含む。
【０２６１】
１４０３：ＡＭＦノードは、端末デバイスの状態に通知するために使用される通知メッセージをＳＭＦノードへ送る。
【０２６２】
１４０４：ＳＭＦノードは、ＡＭＦノードから通知メッセージを受信し、端末デバイスの状態がＲＲＣ休止状態であることを通知するために通知メッセージが使用される場合、ＳＭＦノードは、第２のメッセージをＵＰＦノードへ送る。
【０２６３】
第２のメッセージは、端末デバイスのＰＤＵセッションリソースを解放することをＵＰＦノードに要求するために使用される。例えば、第１のメッセージは、ＰＤＵセッション解放要求メッセージであってもよい。
【０２６４】
１４０５：ＵＰＦノードは、第２のメッセージを受信し、端末デバイスのＰＤＵセッションリソースを解放する。
【０２６５】
１４０６：ＵＰＦノードは、第３のメッセージをＳＭＦノードへ送る。
【０２６６】
第３のメッセージは、ＵＰＦノードが端末デバイスのＰＤＵセッションリソースを既に解放したことをＳＭＦノードに通知するために使用され、第３のメッセージは、ＰＤＵセッション識別子を含む。ＰＤＵセッション識別子は、端末デバイスのデータを送信するために使用されるＰＤＵセッションを示すために使用される。例えば、第３のメッセージは、ＰＤＵセッション解放応答であってもよい。
【０２６７】
１４０７：ＳＭＦノードは、第４のメッセージをＡＭＦノードへ送る。
【０２６８】
第４のメッセージは、ステップ１４０６において第３のメッセージ内で搬送されるＰＤＵセッション識別子を搬送し、第４のメッセージは、ＰＤＵセッション識別子に対応するＰＤＵセッションリソースを解放するようにＲＡＮノードに指示するように、ＡＭＦノードをトリガするために使用される。
【０２６９】
１４０８：ＡＭＦノードは、第４のメッセージを受信し、第５のメッセージをＲＡＮノードへ送る。
【０２７０】
第５のメッセージは、ステップ１４０７において第４のメッセージ内で搬送されるＰＤＵセッション識別子を含む。第５のメッセージは、ＰＤＵセッション識別子に対応するＰＤＵセッションリソースを解放するようにＲＡＮノードに指示するために使用される。
【０２７１】
１４０９：ＲＡＮノードは、第５のメッセージを受信し、ＰＤＵセッション識別子に対応するＰＤＵセッションリソースを解放する。
【０２７２】
前述の実施形態は互いに学習および参照されてもよく、同じ説明または類似する説明は繰り返されないことが留意されるべきである。
【０２７３】
本発明の実施形態において提供される解決策は、主に、ＲＡＮノードと、ＡＭＦノードと、ＳＭＦノードとの間の相互作用の観点から上記に説明されている。ＲＡＮノード、ＡＭＦノード、およびＳＭＦノードは各々、様々な機能を実行する、対応するハードウェア構造および／またはソフトウェアモジュールを含むことが理解され得る。当業者は、本明細書において開示される実施形態において説明される例のユニットおよびアルゴリズムステップと組み合わせて、本出願がハードウェアによって、またはハードウェアとコンピュータソフトウェアとの組み合わせによって実装されることができることを容易に認識するべきである。機能がハードウェアによって実行されるか、またはハードウェアを駆動するコンピュータソフトウェアによって実行されるかは、技術的解決策の特定の用途および設計制約条件に依存する。当業者は、各特定の用途について、説明された機能を実装するために異なる方法を使用し得るが、実装が本発明の範囲を越えることは考慮されるべきではない。
【０２７４】
本出願の実施形態において、ＳＭＦノードにおける機能モジュールは、前述の方法例に従って分割されてもよい。例えば、機能モジュールは、機能に対応して分割されてもよい。代替として、２つ以上の機能が、１つの処理モジュールに一体化されてもよい。一体化されたモジュールは、ハードウェアの形態で実装されてもよく、またはソフトウェア機能モジュールの形態で実装されてもよい。本出願の実施形態におけるモジュールの分割は一例であり、論理的な機能分割にすぎないことが留意されるべきである。実際の実装期間中には、別の分割手法があり得る。
【０２７５】
機能モジュールが、対応する機能を使用することによって分割される場合、本出願の一実施形態は通信装置を提供する。本装置は、前述の実施形態においてＲＡＮノードとして実装され得る。図１５に示されるように、図１５は、前述の実施形態におけるＲＡＮノードの考え得る概略構造図である。ＲＡＮノードは、受信モジュール１５０１と、決定モジュール１５０２と、送信モジュール１５０３とを含む。
【０２７６】
受信モジュール１５０１は、図６および図７のステップ６０１において第１のメッセージ、ならびに図７のステップ７０４において第３のメッセージを、ＲＡＮノードによって受信することをサポートするように構成される。決定モジュール１５０２は、ＲＡＮノードが図６のステップ６０２および図７のステップ７０１を実行することをサポートするように構成される。送信モジュール１５０３は、ＲＡＮノードが図６のステップ６０２、ならびに図７のステップ７０２、ステップ７０５、およびステップ６０２を実行することをサポートするように構成される。
【０２７７】
任意選択で、ＲＡＮノードは、更新モジュール１５０４をさらに含む。
【０２７８】
更新モジュール１５０４は、ＲＡＮノードが図７のステップ７０７を実行することをサポートするように構成される。
【０２７９】
図１６に示されるように、図１６は、ＲＡＮノードの別の考え得る概略構造図である。ＲＡＮノードは、受信モジュール１６０１と、決定モジュール１６０２と、送信モジュール１６０３とを含む。
【０２８０】
受信モジュール１６０１は、図９、図１０、および図１１のステップ９０１において第１のメッセージ、図１０および図１１のステップ１００４において第３のメッセージ、ならびに図１４のステップ１１０３において第４のメッセージを、ＲＡＮノードによって受信することをサポートするように構成される。決定モジュール１６０２は、図９、図１０、および図１１のステップ９０２、図１１のステップ１１０１、ならびに図１２のステップ１１０５およびステップ１１０５ａをＲＡＮノードが実行することをサポートするように構成される。送信モジュール１６０３は、図９、図１０、および図１１のステップ９０２、ならびに図１２のステップ１１０５をＲＡＮノードが実行することをサポートするように構成される。
【０２８１】
任意選択で、ＲＡＮノードは、解放モジュール１６０４をさらに含む。
【０２８２】
解放モジュール１６０４は、図１０および図１１のステップ１００５をＲＡＮノードが実行することをサポートするように構成される。
【０２８３】
図１７に示されるように、図１７は、ＲＡＮノードの別の考え得る概略構造図である。ＲＡＮノードは、決定モジュール１７０１と、通知モジュール１７０２とを含む。
【０２８４】
決定モジュール１７０１は、図１３のステップ１３０１、ならびに図１４のステップ１４０１およびステップ１３０１をＲＡＮノードが実行することをサポートするように構成される。通知モジュール１７０２は、図１３のステップ１３０２をＲＡＮノードが実行することをサポートするように構成される。
【０２８５】
機能モジュールが、対応する機能を使用することによって分割される場合、本出願の一実施形態は、通信装置を提供する。本装置は、前述の実施形態においてＡＭＦノードとして実装され得る。図１８に示されるように、図１８は、前述の実施形態におけるＡＭＦノードの考え得る概略構造図である。ＡＭＦノードは、送信モジュール１８０１と、受信モジュール１８０２とを含む。
【０２８６】
送信モジュール１８０１は、図６のステップ６０１、図７のステップ６０１、図９のステップ９０１およびステップ９０３、図１０のステップ９０１、ステップ９０３、およびステップ１００４、図１１のステップ９０１、ステップ９０３、およびステップ１００４、図１２のステップ１１０３、ステップ１１０６ａ、およびステップ１１０６ｂ、ならびに図１４のステップ１４０３をＡＭＦノードが実行することをサポートするように構成される。
【０２８７】
受信モジュール１８０２は、図６および図７のステップ６０２において第１の位置情報または第１のインジケーション情報、図９、図１０、および図１１のステップ９０２において第１の通知メッセージ、図１０および図１１のステップ１００３において第７のメッセージ、図１２のステップ１１０５において端末デバイスの位置情報または第１のインジケーション情報、図１３および図１４のステップ１３０２において通知メッセージ、ならびに図１４のステップ１４０７において第４のメッセージを、ＡＭＦノードによって受信することをサポートするように構成される。
【０２８８】
任意選択で、本装置は、決定モジュール１８０３をさらに含む。
【０２８９】
決定モジュール１８０３は、図１２のステップ１１０６ａをＡＭＦノードが実行することをサポートするように構成される。
【０２９０】
機能モジュールが、対応する機能を使用することによって分割される場合、本出願の一実施形態は、通信装置を提供する。本装置は、前述の実施形態においてＳＭＦノードとして実装され得る。図１９に示されるように、図１９は、前述の実施形態におけるＳＭＦノードの考え得る概略構造図である。ＳＭＦノードは、受信モジュール１９０１と、送信モジュール１９０２とを含む。
【０２９１】
受信モジュール１９０１は、ＳＭＦノードが、図６および図７のステップ６０２を実行すること、ならびに図９、図１０、および図１１のステップ９０３において第２の通知メッセージ、図１２のステップ１１０５において端末デバイスの位置情報または第１のインジケーション情報、およびステップ１１０６ａまたはステップ１１０６ｂにおいて第１のインジケーション情報、および図１３のステップ１４０３において通知メッセージ、およびステップ１０４６において第３のメッセージを受信することをサポートするように構成される。
【０２９２】
送信モジュール１９０２は、ＳＭＦノードによって図９および図１０において第５のメッセージを送ることをサポートするように構成され、図９および図１０のステップ１００３、図１２のステップ１１０７、ならびに図１４のステップ１４０７をＳＭＦノードが実行することをサポートするようにさらに構成される。
【０２９３】
前述の方法実施形態におけるステップのあらゆる関連する内容については、対応する機能モジュールの機能説明を参照されたく、詳細は本明細書において再度説明されない。
【０２９４】
図２０に示されるように、ＲＡＮノード２０００は、メモリ２００１と、プロセッサ２００２と、通信インターフェース２００３と、バス２００４とを含み得る。バス２００４は、これらの装置間の接続および相互通信を実装するように構成される。
【０２９５】
通信インターフェース２００３は、アンテナを使用することによって実装されてもよく、外部ネットワーク要素とデータを交換するように構成されてもよく、例えば、通信インターフェース２００３は、ＡＭＦデバイスから／へデータパケットまたは他の情報を受信し／送ってもよい。
【０２９６】
プロセッサ２００２は、中央処理装置（英語：  Ｃｅｎｔｒａｌ  Ｐｒｏｃｅｓｓｉｎｇ  Ｕｎｉｔ、ＣＰＵ）、または特定用途向け集積回路（英語：  Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、または本発明の実施形態を実装するように構成された１つもしくは複数の集積回路、例えば、１つもしくは複数のマイクロプロセッサ（英語：  Ｄｉｇｉｔａｌ  Ｓｉｇｎａｌ  Ｐｒｏｃｅｓｓｏｒ、ＤＳＰ）、もしくは、１つもしくは複数のフィールドプログラマブルゲートアレイ（英語：  Ｆｉｅｌｄ  Ｐｒｏｇｒａｍｍａｂｌｅ  Ｇａｔｅ  Ａｒｒａｙ、ＦＰＧＡ）であってもよい。プロセッサ２００２は、処理および管理機能を有する。具体的には、プロセッサ２００２は、ＡＭＦデバイス、ＵＰＦデバイス、もしくはＰＣＲＦデバイスによって送られた、受信されたデータもしくは情報を処理し、または別のデバイスによって送られた情報もしくはデータを処理し得る。
【０２９７】
メモリ２００１は、読み出し専用メモリ（Ｒｅａｄ−Ｏｎｌｙ  Ｍｅｍｏｒｙ、ＲＯＭ）、または静的情報および命令を記憶することができる別のタイプの静的記憶デバイス、ランダムアクセスメモリ（Ｒａｎｄｏｍ  Ａｃｃｅｓｓ  Ｍｅｍｏｒｙ、ＲＡＭ）、または情報および命令を記憶することができる別のタイプの動的記憶デバイス、または電気的消去可能プログラマブル読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク読み出し専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）、または別の光ディスクストレージ、光ディスクストレージ（コンパクトディスク、レーザーディスク、光ディスク、デジタル多用途ディスク、ブルーレイディスク等を含む）、磁気ディスク記憶媒体もしくは別の磁気記憶デバイス、または予想されるプログラムコードを命令もしくはデータ構造の形態で搬送もしくは記憶することができ、コンピュータによってアクセスすることができる任意の他の媒体であってもよいが、これらに限定されない。メモリ２００１は独立して存在してもよく、バス２００４を使用することによってプロセッサ２００２へ接続される。メモリ２００１は、代替として、プロセッサ２００２と一体化されてもよい。
【０２９８】
図１５に示される受信モジュール１５０１および送信モジュール１５０３、図１６に示される受信モジュール１６０１および送信モジュール１６０３、ならびに図１７に示される通知モジュール１７０２は、図２０に示される通信インターフェース２００３と一体化されてもよく、その結果、通信インターフェース２００３は、図１５に示される受信モジュール１５０１および送信モジュール１５０３、図１６に示される受信モジュール１６０１および送信モジュール１６０３、ならびに図１７に示される通知モジュール１７０２の特定の機能を実行することが留意されるべきである。図１５に示される決定モジュール１５０２および更新モジュール１５０４、図１６に示される決定モジュール１６０２および解放モジュール１６０４、ならびに図１７に示される決定モジュール１７０１は、図２０に示されるプロセッサ２００２と一体化されてもよく、その結果、プロセッサ２００２は、図１５に示される決定モジュール１５０２および更新モジュール１５０４、図１６に示される決定モジュール１６０２および解放モジュール１６０４、ならびに図１７に示される決定モジュール１７０１の特定の機能を実行する。
【０２９９】
図２１に示されるように、ＡＭＦノード２１００は、メモリ２１０１と、プロセッサ２１０２と、通信インターフェース２１０３と、バス２１０４とを含み得る。バス２１０４は、これらの装置間の接続および相互通信を実装するように構成される。
【０３００】
通信インターフェース２１０３は、アンテナを使用することによって実装されてもよく、外部ネットワーク要素とデータを交換するように構成されてもよく、例えば、通信インターフェース２１０３は、ＡＭＦデバイスから／へデータパケットまたは他の情報を受信し／送ってもよい。
【０３０１】
プロセッサ２１０２は、中央処理装置（英語：  Ｃｅｎｔｒａｌ  Ｐｒｏｃｅｓｓｉｎｇ  Ｕｎｉｔ、ＣＰＵ）、または特定用途向け集積回路（英語：  Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、または本発明の実施形態を実装するように構成された１つもしくは複数の集積回路、例えば、１つもしくは複数のマイクロプロセッサ（英語：  Ｄｉｇｉｔａｌ  Ｓｉｇｎａｌ  Ｐｒｏｃｅｓｓｏｒ、ＤＳＰ）、もしくは、１つもしくは複数のフィールドプログラマブルゲートアレイ（英語：  Ｆｉｅｌｄ  Ｐｒｏｇｒａｍｍａｂｌｅ  Ｇａｔｅ  Ａｒｒａｙ、ＦＰＧＡ）であってもよい。プロセッサ２１０２は、処理および管理機能を有する。具体的には、プロセッサ２１０２は、ＡＭＦデバイス、ＵＰＦデバイス、もしくはＰＣＲＦデバイスによって送られた、受信されたデータもしくは情報を処理し、または別のデバイスによって送られた情報もしくはデータを処理し得る。
【０３０２】
メモリ２１０１は、読み出し専用メモリ（Ｒｅａｄ−Ｏｎｌｙ  Ｍｅｍｏｒｙ、ＲＯＭ）、または静的情報および命令を記憶することができる別のタイプの静的記憶デバイス、ランダムアクセスメモリ（Ｒａｎｄｏｍ  Ａｃｃｅｓｓ  Ｍｅｍｏｒｙ、ＲＡＭ）、または情報および命令を記憶することができる別のタイプの動的記憶デバイス、または電気的消去可能プログラマブル読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク読み出し専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）、または別の光ディスクストレージ、光ディスクストレージ（コンパクトディスク、レーザーディスク、光ディスク、デジタル多用途ディスク、ブルーレイディスク等を含む）、磁気ディスク記憶媒体もしくは別の磁気記憶デバイス、または予想されるプログラムコードを命令もしくはデータ構造の形態で搬送もしくは記憶することができ、コンピュータによってアクセスすることができる任意の他の媒体であってもよいが、これらに限定されない。メモリ２１０１は独立して存在してもよく、バス２１０２を使用することによってプロセッサ２１０４へ接続される。メモリ２１０１は、代替として、プロセッサ２００２と一体化されてもよい。
【０３０３】
図１８に示される送信モジュール１８０１および受信モジュール１８０２は、図２２に示される通信インターフェース２２０３と一体化されてもよく、その結果、通信インターフェース２２０３は、図１８に示される送信モジュール１８０１および受信モジュール１８０２の特定の機能を実行することが留意されるべきである。図１８に示される決定モジュール１８０３は、図２２に示されるプロセッサ２２０２と一体化されてもよく、その結果、プロセッサ２２０２は、図１８に示される決定モジュール１８０３の特定の機能を実行する。
【０３０４】
図２２に示されるように、ＳＭＦノード２２００は、メモリ２２０１と、プロセッサ２２０２と、通信インターフェース２２０３と、バス２２０４とを含み得る。バス２２０４は、これらの装置間の接続および相互通信を実装するように構成される。
【０３０５】
通信インターフェース２２０３は、アンテナを使用することによって実装されてもよく、外部ネットワーク要素とデータを交換するように構成されてもよく、例えば、通信インターフェース２２０３は、ＡＭＦデバイスから／へデータパケットまたは他の情報を受信し／送ってもよい。
【０３０６】
プロセッサ２００２は、中央処理装置（英語：  Ｃｅｎｔｒａｌ  Ｐｒｏｃｅｓｓｉｎｇ  Ｕｎｉｔ、ＣＰＵ）、または特定用途向け集積回路（英語：  Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、または本発明の実施形態を実装するように構成された１つもしくは複数の集積回路であってもよい。例えば、１つもしくは複数のマイクロプロセッサ（英語：  Ｄｉｇｉｔａｌ  Ｓｉｇｎａｌ  Ｐｒｏｃｅｓｓｏｒ、ＤＳＰ）、もしくは、１つもしくは複数のフィールドプログラマブルゲートアレイ（英語：  Ｆｉｅｌｄ  Ｐｒｏｇｒａｍｍａｂｌｅ  Ｇａｔｅ  Ａｒｒａｙ、ＦＰＧＡ）。プロセッサ２２０２は、処理および管理機能を有する。具体的には、プロセッサ２２０２は、ＡＭＦデバイス、ＵＰＦデバイス、もしくはＰＣＲＦデバイスによって送られた、受信されたデータもしくは情報を処理し、または別のデバイスによって送られた情報もしくはデータを処理し得る。
【０３０７】
メモリ２２０１は、読み出し専用メモリ（Ｒｅａｄ−Ｏｎｌｙ  Ｍｅｍｏｒｙ、ＲＯＭ）、または静的情報および命令を記憶することができる別のタイプの静的記憶デバイス、ランダムアクセスメモリ（Ｒａｎｄｏｍ  Ａｃｃｅｓｓ  Ｍｅｍｏｒｙ、ＲＡＭ）、または情報および命令を記憶することができる別のタイプの動的記憶デバイス、または電気的消去可能プログラマブル読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク読み出し専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）、または別の光ディスクストレージ、光ディスクストレージ（コンパクトディスク、レーザーディスク、光ディスク、デジタル多用途ディスク、ブルーレイディスク等を含む）、磁気ディスク記憶媒体もしくは別の磁気記憶デバイス、または予想されるプログラムコードを命令もしくはデータ構造の形態で搬送もしくは記憶することができ、コンピュータによってアクセスすることができる任意の他の媒体であってもよいが、これらに限定されない。メモリ２２０１は独立して存在してもよく、バス２２０２を使用することによってプロセッサ２２０４へ接続される。メモリ２２０１は、代替として、プロセッサ２２０２と一体化されてもよい。
【０３０８】
図１９に示される受信モジュール１９０１および送信モジュール１９０２は、図２２に示される通信インターフェース２２０３と一体化されてもよく、その結果、通信インターフェース２２０３は、図１９に示される受信モジュール１９０１および送信モジュール１９０２の特定の機能を実行することが留意されるべきである。
【０３０９】
本出願において開示される内容を参照して説明される方法またはアルゴリズムは、ハードウェア手法で実装されてもよく、またはプロセッサによってソフトウェア命令を実行する手法で実装されてもよい。ソフトウェア命令は、対応するソフトウェアモジュールを含み得る。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、読み出し専用メモリ（Ｒｅａｄ  Ｏｎｌｙ  Ｍｅｍｏｒｙ、ＲＯＭ）、消去可能プログラマブル読み出し専用メモリ（Ｅｒａｓａｂｌｅ  Ｐｒｏｇｒａｍｍａｂｌｅ  ＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）、レジスタ、ハードディスク、リムーバブルハードディスク、コンパクトディスク読み出し専用メモリ（ＣＤ−ＲＯＭ）、または本技術分野において周知の任意の他の形態における記憶媒体に記憶されてもよい。一例として使用される記憶媒体は、プロセッサに結合され、その結果、プロセッサは、記憶媒体から情報を読み出すことができ、記憶媒体に情報を書き込むことができる。もちろん、代替として、記憶媒体は、プロセッサの一部であってもよい。プロセッサおよび記憶媒体は、ＡＳＩＣに設けられ得る。また、ＡＳＩＣは、コアネットワークインターフェースデバイスに設けられてもよい。もちろん、プロセッサおよび記憶媒体は、別個の構成要素として、コアネットワークインターフェースデバイスに存在してもよい。
【０３１０】
本出願において提供されるいくつかの実施形態において、開示されているシステム、装置、および方法が他の手法において実装されてもよいことが理解されるべきである。例えば、説明されている装置実施形態は、例にすぎない。例えば、ユニット分割は、論理的な機能分割にすぎず、実際の実装においては他の分割であってもよい。例えば、複数のユニットまたは構成要素は、組み合わされても、もしくは、別のシステムへ一体化されてもよく、または、いくつかの特徴は、無視されても、もしくは実行されなくてもよい。また、表示されたまたは論じられた、相互結合または直接的な結合または通信接続は、いくつかのインターフェースを通じて実装されてもよい。装置間またはユニット間の間接的な結合または通信接続は、電子的な形態または他の形態において実装されてもよい。
【０３１１】
別個の部分として説明されるユニットは、物理的に別個であっても、もしくは物理的に別個ではなくてもよく、ユニットとして表示された部品は、物理的なユニットであっても、もしくは物理的なユニットではなくてもよく、１つの位置に設けてもよく、または複数のネットワークデバイス上に分散されてもよい。ユニットの一部または全部は、実施形態の解決策の目的を達成するための実際の必要性に基づいて、選択され得る。
【０３１２】
また、本発明の実施形態における機能ユニットは、１つの処理ユニットへ一体化されてもよく、または機能ユニットの各々は、単独で存在してもよく、または２つ以上のユニットが、１つのユニットへ一体化される。一体化されたユニットは、ハードウェアの形態において実装されてもよく、またはソフトウェア機能ユニットに加えてハードウェアの形態において実装されてもよい。
【０３１３】
実装の前述の説明に基づいて、本出願が、必要なユニバーサルハードウェアに加えてソフトウェアによって実装されてもよく、または、もちろんハードウェアのみによって実装されてもよいことを、当業者は明確に理解し得る。ほとんどの状況において、前者が好適な実装である。そのような理解に基づいて、本出願の技術的解決策は実質的に、または、先行技術に貢献する部分は、ソフトウェア製品の形態において実装されてもよい。コンピュータソフトウェア製品は、可読記憶媒体、例えば、フロッピーディスク（登録商標）、ハードディスク、またはコンピュータの光ディスクなどに記憶され、コンピュータデバイス（パーソナルコンピュータ、サーバ、またはネットワークデバイスであってもよい）に、本出願の実施形態において説明される方法を実行するように指示するためのいくつかの命令を含む。
【０３１４】
前述の説明は、本出願の特定の実施形態にすぎず、本出願の保護範囲を限定するようには意図されていない。本出願において開示されるいかなるバリエーションまたは置換も、本出願の保護範囲内に収まるべきものである。したがって、本出願の保護範囲は、特許請求の範囲の保護範囲に従うべきものである。
【図１】
2020532182.tif 000004
【図２】
2020532182.tif 000005
【図３】
2020532182.tif 000006
【図４】
2020532182.tif 000007
【図５】
2020532182.tif 000008
【図６】
2020532182.tif 000009
【図７】
2020532182.tif 000010
【図８】
2020532182.tif 000011
【図９】
2020532182.tif 000012
【図１０】
2020532182.tif 000013
【図１１】
2020532182.tif 000014
【図１２】
2020532182.tif 000015
【図１３】
2020532182.tif 000016
【図１４】
2020532182.tif 000017
【図１５】
2020532182.tif 000018
【図１６】
2020532182.tif 000019
【図１７】
2020532182.tif 000020
【図１８】
2020532182.tif 000021
【図１９】
2020532182.tif 000022
【図２０】
2020532182.tif 000023
【図２１】
2020532182.tif 000024
【図２２】
2020532182.tif 000025
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
無線アクセスネットワーク（ＲＡＮ）ノードによって、端末デバイスが無線リソース制御ＲＲＣ接続状態からＲＲＣ休止状態に切り替わると決定するステップと、
前記ＲＡＮノードによって、前記端末デバイスの状態を通知するために使用される通知メッセージを、アクセスおよびモビリティ管理機能（ＡＭＦ）ノードへ送るステップと
を含む通信方法。
【請求項２】
前記端末デバイスの前記状態は、休止状態である請求項１に記載の通信方法。
【請求項３】
ＲＡＮノードによって、端末デバイスはＲＲＣ接続状態からＲＲＣ休止状態に切り替わると前記決定するステップの前に、前記方法は、
前記ＲＡＮノードによって、前記端末デバイスの位置情報に基づいて、前記端末デバイスの無線アクセスネットワーク通知領域ＲＮＡを決定するステップと、
前記ＲＡＮノードによって、第１のメッセージを前記端末デバイスへ送るステップであって、前記第１のメッセージは、前記ＲＡＮノードへのＲＲＣ接続を解放するように前記端末デバイスに指示するために使用され、前記第１のメッセージは、前記ＲＮＡを搬送する、ステップと
をさらに含む請求項１又は２に記載の通信方法。
【請求項４】
前記方法は、
前記ＲＡＮノードによって、前記端末デバイスを前記ＲＲＣ接続状態から前記ＲＲＣ休止状態に切り替えることを決定するステップ
をさらに含む請求項３に記載の通信方法。
【請求項５】
通信装置であって、プロセッサと、メモリと、通信インターフェースとを備え、前記メモリは、アプリケーションプログラムコードを記憶し、前記アプリケーションプログラムコードは、前記プロセッサによって実行された場合、前記プロセッサに、
端末デバイスが無線リソース制御（ＲＲＣ）接続状態からＲＲＣ休止状態に切り替わることを決定させ、
前記端末デバイスの状態を通知するために使用される通知メッセージを、アクセスおよびモビリティ管理機能（ＡＭＦ）ノードへ送らせる、通信装置。
【請求項６】
前記端末デバイスの前記状態は、前記ＲＲＣ休止状態である請求項５に記載の通信装置。
【請求項７】
前記プロセッサは、
前記端末デバイスの位置情報に基づいて、前記端末デバイスの無線アクセスネットワーク通知領域（ＲＮＡ）を決定し、
第１のメッセージを前記端末デバイスへ送るようにさらに構成され、前記第１のメッセージは、前記ＲＡＮノードへのＲＲＣ接続を解放するように、前記端末デバイスに指示するために使用され、前記第１のメッセージは、前記ＲＮＡを搬送する請求項５または６に記載の通信装置。
【請求項８】
前記プロセッサは、
前記端末デバイスを前記ＲＲＣ接続状態から前記ＲＲＣ休止状態に切り替えることを決定する
ようにさらに構成される請求項７に記載の通信装置。
【請求項９】
前記通信装置は、無線アクセスネットワーク（ＲＡＮ）ノードである請求項５乃至８のいずれか一項に記載の通信装置。
【請求項１０】
通信システムであって、無線アクセスネットワーク（ＲＡＮ）ノードと、アクセスおよびモビリティ管理機能（ＡＭＦ）ノードとを備え、
前記ＲＡＮノードは、端末デバイスが無線リソース制御（ＲＲＣ）接続状態からＲＲＣ休止状態に切り替わることを決定し、通知メッセージを前記ＡＭＦノードへ送るように構成され、前記通知メッセージは、前記端末デバイスの状態を通知するために使用され、
前記ＡＭＦノードは、前記通知メッセージを受信するように構成される、通信システム。
【請求項１１】
前記端末デバイスの前記状態は、前記ＲＲＣ休止状態である請求項１０に記載の通信システム。
【請求項１２】
セッション管理機能（ＳＭＦ）ノードと、ユーザプレーン機能（ＵＰＦ）ノードとをさらに備え、
前記ＡＭＦノードは、前記通知メッセージを前記ＳＭＦノードへ送るようにさらに構成され、
前記ＳＭＦノードは、前記端末デバイスの前記状態は前記ＲＲＣ休止状態であることを通知するために前記通知メッセージが使用される場合、第２のメッセージを前記ＵＰＦノードへ送るように構成され、前記第２のメッセージは、前記端末デバイスのＰＤＵセッションリソースを解放することを前記ＵＰＦノードに要求するために使用される請求項１０または１１に記載の通信システム。
【請求項１３】
前記ＵＰＦノードは、前記第２のメッセージを受信し、前記端末デバイスの前記ＰＤＵセッションリソースを解放し、第３のメッセージを前記ＳＭＦノードに送るように構成され、前記第３のメッセージは、前記ＵＰＦノードが前記端末デバイスの前記ＰＤＵセッションリソースを既に解放したことを前記ＳＭＦノードに通知するために使用され、前記第３のメッセージは、ＰＤＵセッションを示すために使用されるＰＤＵセッション識別子を含み、前記ＰＤＵセッションは、前記端末デバイスのデータを送信するために使用され、
前記ＳＭＦノードは、第４のメッセージを前記ＡＭＦノードへ送るようにさらに構成され、前記第４のメッセージは、前記第３のメッセージにおける前記ＰＤＵセッション識別子を含み、前記第４のメッセージは、前記ＰＤＵセッション識別子に対応するＰＤＵセッションリソースを解放するように、前記ＲＡＮノードに指示するために、前記ＡＭＦノードをトリガするために使用され、
前記ＡＭＦノードは、前記第４のメッセージを受信し、第５のメッセージを前記ＲＡＮノードへ送るようにさらに構成され、前記第５のメッセージは、前記第４のメッセージにおける前記ＰＤＵセッション識別子を含み、前記第５のメッセージは、前記ＰＤＵセッション識別子に対応するＰＤＵセッションリソースを解放するように、前記ＲＡＮノードに指示するために使用され、
前記ＲＡＮノードは、前記第５のメッセージを受信し、前記ＰＤＵセッション識別子に対応するＰＤＵセッションリソースを解放するようにさらに構成される請求項１２に記載の通信システム。
【請求項１４】
プログラムが記録されたコンピュータ可読記憶媒体であって、前記プログラムは、コンピュータに、請求項１乃至４のいずれか一項に記載の方法を実行させるコンピュータ可読記憶媒体。
【請求項１５】
コンピュータに、請求項１乃至４のいずれか一項に記載の方法を実行させるコンピュータプログラム。
【手続補正２】
【補正対象書類名】明細書
【補正対象項目名】全文
【補正方法】変更
【補正の内容】
【発明の詳細な説明】
【技術分野】
【０００１】
本出願は、ワイヤレス通信技術の分野、特に、通信方法および通信装置に関する。
【背景技術】
【０００２】
本出願は、２０１７年８月１５日に中国特許庁に出願され、「ＣＯＭＭＵＮＩＣＡＴＩＯＮＳ  ＭＥＴＨＯＤ  ＡＮＤ  ＡＰＰＡＲＡＴＵＳ」と題された中国特許出願第２０１７１０６９８７３３．０号の優先権を主張し、この中国特許出願は、その全体が参照によって本明細書に組み込まれている。
【０００３】
ローカルエリアデータネットワーク（Ｌｏｃａｌ  Ａｒｅａ  Ｄａｔａ  Ｎｅｔｗｏｒｋ、ＬＡＤＮ）の概念が、５Ｇシステムにおいて導入されている。端末デバイスは、ＬＡＤＮサービスエリア（ＬＡＤＮ  Ｓｅｒｖｉｃｅ  Ａｒｅａ、ＬＡＤＮ  ＳＡ）内に端末デバイスがある場合にのみ、ＬＡＤＮにアクセスすることができ、そうでない場合、端末デバイスは、ＬＡＤＮにアクセスすることができない。
【０００４】
データネットワーク（Ｄａｔａ  Ｎｅｔｗｏｒｋ、ＤＮ）ノードが、ダウンリンクデータ、例えば、端末デバイスへ送られるべきダウンリンクＬＡＤＮデータを有する場合、ＤＮノードは、ユーザプレーン機能（Ｕｓｅｒ  Ｐｌａｎｅ  Ｆｕｎｃｔｉｏｎ、ＵＰＦ）ノードを使用することによって、送られるべきダウンリンクデータを無線アクセスネットワーク（Ｒａｄｉｏ  Ａｃｃｅｓｓ  Ｎｅｔｗｏｒｋ、ＲＡＮ）ノードへ送り、次いで、ＲＡＮノードは、データを端末デバイスへ送る。
【０００５】
しかしながら、ＬＡＤＮ  ＳＡは、ＲＡＮノードのサービス範囲とは異なることがある。図１に示されるように、端末デバイスが位置１にある場合、それは端末デバイスがＬＡＤＮ  ＳＡとＲＡＮノードのサービス範囲との両方の内部にあることを示す。この場合において、端末デバイスに固有のダウンリンクＬＡＤＮデータを受信した場合、ＲＡＮノードは、ダウンリンクＬＡＤＮデータを端末デバイスへ送り得る。しかしながら、端末デバイスが位置１から位置２に移動した場合、端末デバイスは、既にＬＡＤＮ  ＳＡの外へ移動したが、依然としてＲＡＮのサービス範囲内にあることが学習され得る。この場合において、ＲＡＮノードが、端末デバイスに固有のダウンリンクＬＡＤＮデータを受信した場合、ＲＡＮノードは、ダウンリンクＬＡＤＮデータを端末デバイスへ依然として送る。結果的に、端末デバイスは、ＬＡＤＮ  ＳＡの外へ移動した後に、ダウンリンクＬＡＤＮデータを依然として受信することができる。
【発明の概要】
【０００６】
本出願の実施形態は、端末デバイスがＬＡＤＮ  ＳＡの外へ移動した場合にダウンリンクＬＡＤＮデータを依然として受信することができるという問題を解決するための通信方法を提供する。
【０００７】
前述の目的を達成するために、以下の技術的解決策が、本出願の実施形態において使用される。
【０００８】
第１の態様によれば、本出願の一実施形態は、通信方法を提供する。本方法は、無線アクセスネットワークＲＡＮノードによって、アクセスおよびモビリティ管理機能ＡＭＦノードから第１のメッセージを受信するステップであって、第１のメッセージは、端末デバイスの特定領域関連情報を含み、特定領域関連情報は、端末デバイスの特定領域を示すために使用される、ステップと、ＲＡＮノードが、端末デバイスの特定領域関連情報および第１の位置情報に基づいて、端末デバイスは特定領域の外へ移動したと決定した場合、ＲＡＮノードによって、第１の位置情報または第１のインジケーション情報をＡＭＦノードまたはセッション管理機能ＳＭＦノードへ送るステップであって、第１のインジケーション情報は、端末デバイスが特定領域の外へ既に移動したことを示すために使用される、ステップとを含む。
【０００９】
本方法によれば、ＡＭＦノードは、端末デバイスの特定領域関連情報をＲＡＮノードへ送ってもよく、さらに、端末デバイスが特定領域の外へ移動したと決定した場合、ＲＡＮノードは、第１の位置情報または第１のインジケーション情報をＡＭＦノードまたはＳＭＦノードへ送ってもよく、その結果、ＡＭＦノードまたはＳＭＦノードは、端末デバイスが特定領域の外へ既に移動したことを学習することができ、それにより、特定されたサービスが特定領域内でのみ実装されることができることを確保する。例えば、特定領域がＬＡＤＮ  ＳＡである場合、端末デバイスがＬＡＤＮ  ＳＡの外へ移動したと決定した場合、ＲＡＮノードは、端末デバイスがＬＡＤＮ  ＳＡの外へ既に移動したとＡＭＦノードまたはＳＭＦノードに通知し、ＳＭＦノードは、ＰＤＵセッションリソースを解放する処理をトリガすることができ、それにより、端末デバイスが、ＬＡＤＮ  ＳＡの外へ移動した後、ＬＡＤＮデータを受信しないこと、または送らないことを確保する。
【００１０】
考え得る設計において、特定領域は、ローカルエリアデータネットワークサービスエリアＬＡＤＮ  ＳＡ、位置報告領域、またはＳＭＦノードの関心領域である。
【００１１】
考え得る設計において、ＲＡＮノードによって、端末デバイスの特定領域関連情報および第１の位置情報に基づいて、端末デバイスは特定領域の外へ移動したと決定することの前に、本方法は、ＲＡＮノードが、端末デバイスを無線リソース制御ＲＲＣ接続状態から無線リソース制御ＲＲＣ休止状態に切り替えることを決定した場合、ＲＡＮノードによって、端末デバイスの第２の位置情報および記特定領域関連情報に基づいて、端末デバイスの無線アクセスネットワーク通知領域ＲＮＡを決定するステップと、ＲＡＮノードによって、第２のメッセージを端末デバイスへ送るステップであって、第２のメッセージは、端末デバイスとＲＡＮノードとの間のＲＲＣ接続を解放するために使用され、第２のメッセージは、ＲＮＡを搬送する、ステップとをさらに含む。
【００１２】
本通信方法によれば、ＲＡＮノードは、特定領域関連情報を参照してＲＮＡを決定し、その結果、決定されたＲＮＡは、特定領域に含まれる。したがって、端末デバイスが特定領域の外へ移動したが、ＲＮＡ内に依然としてあるケースが回避され、特定領域がＬＡＤＮ  ＳＡである場合、ＲＲＣ休止状態にある端末デバイスが、ＬＡＤＮ  ＳＡの外へ移動した後、ＬＡＤＮデータを依然として受信することができるという問題が回避される。
【００１３】
考え得る設計において、特定領域関連情報は、特定領域に対応する位置領域識別子リストを含み、ＲＡＮノードによって、端末デバイスの第２の位置情報および特定領域関連情報に基づいて、端末デバイスのＲＮＡを決定する特定の実装方法は、
【００１４】
第２の位置情報によって示される位置が、特定領域に対応する位置領域識別子リストによって示される領域内にある場合、ＲＡＮノードによって、第１の参照情報に基づいて、ＲＮＡを決定するステップであって、ＲＮＡは、特定領域に含まれ、第１の参照情報は、少なくとも、端末デバイスの登録領域情報を含む、ステップである。ＲＮＡは特定領域に含まれているので、端末デバイスが、特定領域の外へ移動したが、ＲＮＡ内に依然としてあるケースが回避されること、および、端末デバイスが、ＬＡＤＮ  ＳＡの外へ移動した後、ＲＮＡ内のＬＡＤＮデータを依然として受信することができるという問題が回避されることができることが学習され得る。
【００１５】
考え得る設計において、特定領域関連情報は、ＬＡＤＮ  ＳＡ関連情報を含み、ＬＡＤＮ  ＳＡ関連情報は、ＬＡＤＮ  ＳＡに対応するデータネットワーク名ＤＮＮを含み、
【００１６】
ＲＡＮノードによって、端末デバイスの第２の位置情報および特定領域関連情報に基づいて、端末デバイスのＲＮＡを決定する特定の実装方法は、
【００１７】
ＲＡＮノードによって、ＤＮＮ、およびＤＮＮとＬＡＤＮ  ＳＡに対応する位置領域識別子リストとの間のマッピング関係に基づいて、ＬＡＤＮ  ＳＡに対応する位置領域識別子リストを決定するステップと、第２の位置情報によって示される位置が、ＬＡＤＮ  ＳＡに対応する位置領域識別子リストによって示される領域内にある場合、ＲＡＮノードによって、第２の参照情報に基づいて、ＲＮＡを決定するステップであって、第２の参照情報は、少なくとも、端末デバイスの登録領域情報を含み、ＲＮＡは、ＬＡＤＮ  ＳＡに含まれる、ステップとである。
【００１８】
考え得る設計において、ＲＡＮノードによって、端末デバイスの特定領域関連情報および第１の位置情報に基づいて、端末デバイスは特定領域の外へ移動したと決定することの前に、ＲＡＮノードは、端末デバイスから第３のメッセージを受信してもよく、第３のメッセージは、端末デバイスがＲＮＡの外へ移動した場合、端末デバイスとＲＡＮノードとの間のＲＲＣ接続を回復することを要求するために使用され、次いで、ＲＡＮノードは、端末デバイスの位置情報を第１の位置情報に更新する。
【００１９】
考え得る設計において、ＲＡＮノードによって、端末デバイスの特定領域関連情報および第１の位置情報に基づいて、端末デバイスは特定領域の外へ移動したと決定することは、
【００２０】
第１の位置情報によって示される位置が、特定領域に対応する位置領域識別子リストにおいて位置領域識別子によって示される領域内にない場合、ＲＡＮノードによって、端末デバイスは特定領域の外へ移動したと決定するステップを含む。
【００２１】
第２の態様によれば、本出願の一実施形態は、無線アクセスネットワークＲＡＮノードによって、アクセスおよびモビリティ管理機能ＡＭＦノードから第１のメッセージを受信するステップであって、第１のメッセージは、ＲＡＮノードが端末デバイスを無線リソース制御ＲＲＣ接続状態から無線リソース制御ＲＲＣ休止状態へ切り替えることを決定した場合、端末デバイスの状態を通知するために使用される通知メッセージをＡＭＦノードへ送るように指示するために使用される、ステップと、ＲＡＮノードが、端末デバイスをＲＲＣ接続状態からＲＲＣ休止状態に切り替えることを決定した場合、ＲＡＮノードによって、第１のメッセージに基づいて、通知メッセージをＡＭＦノードへ送るステップとを含む通信方法を提供する。
【００２２】
本通信方法によれば、ＡＭＦノードは、端末デバイスがＲＲＣ接続状態からＲＲＣ休止状態に切り替えられるべきであると決定される場合、端末デバイスの状態を通知するために使用される通知メッセージがＡＭＦノードへ送られる必要があることを、ＲＡＮノードに予め通知し得、次いで、ＡＭＦノードは、端末デバイスの状態を通知するために使用される通知メッセージをＳＭＦノードへ送り、通知メッセージを受信した場合、ＳＭＦノードは、端末デバイスが既にＲＲＣ休止状態にあり、ＬＡＤＮデータを端末デバイスへ送らないと決定することができ、それにより、ＲＲＣ休止状態にある端末デバイスが、ＬＡＤＮ  ＳＡの外へ移動した後、ＬＡＤＮデータを依然として受信することができるという問題を回避する。
【００２３】
考え得る設計において、第１のメッセージは、第１のインジケーション情報を搬送し、第１のインジケーション情報は、ＲＡＮノードが端末デバイスをＲＲＣ接続状態からＲＲＣ休止状態に切り替えることを決定した場合、通知メッセージをＡＭＦノードへ送るように、ＲＡＮノードに指示するために使用される。
【００２４】
考え得る設計において、第１のインジケーション情報は、特定領域関連情報を含み、特定領域関連情報は、端末デバイスの特定領域を示すために使用される。
【００２５】
考え得る設計において、特定領域は、ローカルエリアデータネットワークサービスエリアＬＡＤＮ  ＳＡ、位置報告領域、またはセッション管理機能ＳＭＦノードの関心領域である。
【００２６】
考え得る設計において、特定領域関連情報は、特定領域に対応する位置領域識別子リストを含み、または、
【００２７】
特定領域関連情報は、ＬＡＤＮ  ＳＡ関連情報を含み、ＬＡＤＮ  ＳＡ関連情報は、ＬＡＤＮ  ＳＡに対応する位置領域識別子リストを含み、または、
【００２８】
特定領域関連情報は、ＬＡＤＮ  ＳＡ関連情報を含み、ＬＡＤＮ  ＳＡ関連情報は、ＬＡＤＮ  ＳＡに対応するデータネットワーク名ＤＮＮを含む。
【００２９】
考え得る設計において、ＲＡＮノードが、ＡＭＦノードから第１のメッセージを受信した後、ＲＡＮノードが端末デバイスをＲＲＣ接続状態からＲＲＣ休止状態に切り替えることを決定した場合、ＲＡＮノードは、端末デバイスの位置情報に基づいて、端末デバイスの無線アクセスネットワーク通知領域ＲＮＡを決定し、次いで、ＲＡＮノードは、第２のメッセージを端末デバイスへ送り、第２のメッセージは、ＲＡＮノードへのＲＲＣ接続を解放するように端末デバイスに指示するために使用され、第２のメッセージは、ＲＮＡを搬送する。
【００３０】
考え得る設計において、ＲＡＮノードが、第１のメッセージに基づいて、通知メッセージをＡＭＦノードへ送った後、ＲＡＮノードは、ＡＭＦノードから第３のメッセージを受信し得、第３のメッセージは、パケットデータユニットＰＤＵセッション識別子を搬送し、第３のメッセージは、ＰＤＵセッション識別子に対応するＰＤＵセッションリソースを解放するように、ＲＡＮノードに指示するために使用され、次いで、ＲＡＮノードは、第３のメッセージに基づいて、ＰＤＵセッションリソースを解放する。
【００３１】
本方法によれば、端末デバイスの状態がＲＲＣ休止状態であると決定した場合、ＳＭＦノードは、ＰＤＵセッションリソースを解放するようにＵＰＦノードに指示し、シグナリングを交換することによって、ＰＤＵセッションリソースを解放するようにＲＡＮノードにさらに指示し得る。このようにして、端末デバイスが特定領域の外へ移動した場合、関連するサービスデータを送るために使用されるＰＤＵセッションリソースはない。例えば、端末デバイスが、ＬＡＤＮ  ＳＡの外へ移動した場合に、ＬＡＤＮデータを依然として受信することができるという問題が回避される。
【００３２】
考え得る設計において、第１のメッセージは、特定領域関連情報を搬送し、特定領域関連情報は、端末デバイスの特定領域を示すために使用され、本方法は、ＲＡＮノードによって、ＡＭＦノードから第４のメッセージを受信するステップであって、第４のメッセージは、端末デバイスとＲＡＮノードとの間のＲＲＣ接続を確立することを要求するために使用される、ステップと、次いで、ＲＡＮノードによって、端末デバイスとＲＡＮノードとの間のＲＲＣ接続を確立するように、端末デバイスに指示するステップと、さらに、ＲＡＮノードが、特定領域関連情報および端末デバイスの位置情報に基づいて、端末デバイスは特定領域の外へ移動したと決定した場合、ＲＡＮノードによって、端末デバイスの位置情報または第１のインジケーション情報をＡＭＦノードまたはＳＭＦノードへ送るステップであって、第１のインジケーション情報は、端末デバイスが特定領域の外へ既に移動したことを示すために使用される、ステップとをさらに含む。
【００３３】
本通信方法によれば、端末デバイスのダウンリンクデータを取得した場合、ＵＰＦノードは、ＳＭＦノードおよびＡＭＦノードを使用することによってＲＡＮノードに通知し、その結果、ＲＡＮノードは、端末デバイスとＲＡＮノードとの間のＲＲＣ接続を確立するように端末デバイスに指示し、さらに、ＲＡＮノードは、端末デバイスの位置情報を決定し得、ＲＡＮノードが、端末デバイスの位置情報に基づいて、端末デバイスは特定領域の外へ既に移動したと決定した場合、ＲＡＮノードは、関連する情報または関連するメッセージをＡＭＦノードまたはＳＭＦノードへ報告し、その結果、ＳＭＦノードは、ダウンリンクＬＡＤＮデータを解放するように、またはダウンリンクＬＡＤＮデータのバッファリングを延長するように、ＵＰＦノードに指示し、それにより、端末デバイスが、特定領域の外へ移動した場合、ダウンリンクＬＡＤＮデータを受信しないことを確保する。
【００３４】
第３の態様によれば、本出願の一実施形態は、無線アクセスネットワークＲＡＮノードによって、端末デバイスが無線リソース制御ＲＲＣ接続状態から無線リソース制御ＲＲＣ休止状態に切り替わると決定するステップと、次いで、ＲＡＮノードによって、端末デバイスの状態を通知するために使用される通知メッセージを、アクセスおよびモビリティ管理機能ＡＭＦノードへ送るステップとを含む通信方法を提供する。
【００３５】
本方法によれば、端末デバイスがＲＲＣ接続状態からＲＲＣ休止状態に切り替わると決定した場合、ＲＡＮノードは、端末デバイスの状態を通知するために使用される通知メッセージをＡＭＦノードへ送信し、通知メッセージを受信した場合、ＡＭＦノードは、端末デバイスが既にＲＲＣ休止状態にあり、ＬＡＤＮデータを端末デバイスへ送らないと決定することができ、それにより、ＲＲＣ休止状態にある端末デバイスが、ＬＡＤＮ  ＳＡの外へ移動した後に、ＬＡＤＮデータを依然として受信することができるという問題を回避する。
【００３６】
考え得る設計において、ＲＡＮノードが、端末デバイスはＲＲＣ接続状態からＲＲＣ休止状態に切り替わると決定する前に、ＲＡＮノードは、端末デバイスの位置情報に基づいて、端末デバイスの無線アクセスネットワーク通知領域ＲＮＡを決定し得、次いで、ＲＡＮノードは、第１のメッセージを端末デバイスへ送り、第１のメッセージは、ＲＡＮノードへのＲＲＣ接続を解放するように端末デバイスに指示するために使用され、第１のメッセージは、ＲＮＡを搬送する。
【００３７】
第４の態様によれば、本出願の一実施形態は、アクセスおよびモビリティ管理機能ＡＭＦノードによって、第１のメッセージを無線アクセスネットワークＲＡＮノードへ送るステップであって、第１のメッセージは、ＲＡＮノードが端末デバイスを無線リソース制御ＲＲＣ接続状態から無線リソース制御ＲＲＣ休止状態に切り替えることを決定した場合、端末デバイスの状態を通知するために使用される第１の通知メッセージをＡＭＦノードへ送るように、ＲＡＮノードに指示するために使用される、ステップと、ＡＭＦノードによって、ＲＡＮノードから第１の通知メッセージを受信するステップと、ＡＭＦノードによって、第１の通知メッセージに基づいて、第２の通知メッセージをセッション管理機能ＳＭＦノードへ送るステップであって、第２の通知メッセージは、端末デバイスの状態をＳＭＦノードに通知するために使用される、ステップとを含む通信方法を提供する。
【００３８】
考え得る設計において、ＡＭＦノードが、第２の通知メッセージをＳＭＦノードへ送った後、ＡＭＦノードは、ＳＭＦノードから第２のメッセージを受信し得、第２のメッセージは、パケットデータユニットＰＤＵセッション識別子を搬送し、第２のメッセージは、ＰＤＵセッション識別子に対応するＰＤＵセッションリソースを解放するようにＲＡＮノードに指示するために、ＡＭＦノードに指示するために使用され、次いで、ＡＭＦノードは、第３のメッセージをＲＡＮノードへ送り、第３のメッセージは、ＰＤＵセッション識別子を搬送し、第３のメッセージは、ＰＤＵセッション識別子に対応するＰＤＵセッションリソースを解放するように、ＲＡＮノードに指示するために使用される。
【００３９】
考え得る設計において、ＡＭＦノードは、第４のメッセージをＲＡＮノードへ送ってもよく、第４のメッセージは、端末デバイスとＲＡＮノードとの間のＲＲＣ接続を確立することを要求するために使用される。
【００４０】
考え得る設計において、ＡＭＦノードが、第４のメッセージをＲＡＮノードへ送った後、ＡＭＦノードは、ＲＡＮノードから端末デバイスの位置情報を受信してもよく、端末デバイスの特定領域関連情報および位置情報に基づいて、端末デバイスは特定領域の外へ移動したと決定した場合、ＡＭＦノードは、第１のインジケーション情報をＳＭＦノードへ送り、第１のインジケーション情報は、端末デバイスが特定領域の外へ既に移動したことを示すために使用され、特定領域関連情報は、端末デバイスの特定領域を示すために使用され、または、
【００４１】
ＡＭＦノードは、ＲＡＮノードから第１のインジケーション情報を受信し、第１のインジケーション情報をＳＭＦノードへ送り、第１のインジケーション情報は、端末デバイスが端末デバイスの特定領域の外へ既に移動したことを示すために使用され、または、
【００４２】
ＡＭＦノードは、ＲＡＮノードから第４のメッセージの応答メッセージを受信し、第４のメッセージの応答メッセージは、端末デバイスとＲＡＮノードとの間のＲＲＣ接続の確立を拒否するために、ＲＡＮノードによって使用される。
【００４３】
第５の態様によれば、本出願の一実施形態は、セッション管理機能ＳＭＦノードによって、アクセスおよびモビリティ管理機能ＡＭＦノードからのものであり、端末デバイスの状態を通知するために使用される通知メッセージを受信するステップと、通知メッセージが、端末デバイスの状態は無線リソース制御ＲＲＣ休止状態であることを通知するために使用される場合、ＳＭＦノードによって、第１のメッセージをユーザプレーン機能ＵＰＦノードへ送るステップであって、第１のメッセージは、端末デバイスのパケットデータユニットＰＤＵセッションリソースを解放することをＵＰＦノードに要求するために使用される、ステップと、ＳＭＦノードによって、ＵＰＦノードから第２のメッセージを受信するステップであって、第２のメッセージは、ＵＰＦノードが端末デバイスのＰＤＵセッションリソースを既に解放したことをＳＭＦノードに通知するために使用され、第２のメッセージは、端末デバイスのＰＤＵセッションのＰＤＵセッション識別子を搬送する、ステップと、ＳＭＦノードによって、第３のメッセージをＡＭＦノードへ送るステップであって、第３のメッセージは、ＰＤＵセッション識別子を搬送し、第３のメッセージは、ＰＤＵセッション識別子に対応するＰＤＵセッションリソースを解放するようにＲＡＮノードに指示するために、ＡＭＦノードをトリガするために使用される、ステップとを含む通信方法を提供する。
【００４４】
第６の態様によれば、本出願の一実施形態は、通信装置を提供する。本装置は、第１の態様に従ってＲＡＮノードによって実行される機能を実装することができ、機能は、ハードウェアによって実装されてもよく、またはハードウェアによって対応するソフトウェアを実行することによって実装されてもよい。ハードウェアまたはソフトウェアは、前述の機能に対応する１つまたは複数のモジュールを含む。
【００４５】
考え得る設計において、本装置の構造は、プロセッサと、通信インターフェースとを含む。プロセッサは、前述の方法における対応する機能を実行する装置をサポートするように構成される。通信インターフェースは、本装置と別のネットワーク要素との間の通信をサポートするように構成される。本装置は、メモリをさらに含んでもよい。メモリは、プロセッサに結合するように構成され、本装置によって必要とされるプログラム命令およびデータを記憶する。
【００４６】
第７の態様によれば、本出願の一実施形態は、通信装置を提供する。本装置は、第２の態様に従ってＲＡＮノードによって実行される機能を実装することができ、機能は、ハードウェアによって実装されてもよく、またはハードウェアによって対応するソフトウェアを実行することによって実装されてもよい。ハードウェアまたはソフトウェアは、前述の機能に対応する１つまたは複数のモジュールを含む。
【００４７】
考え得る設計において、本装置の構造は、プロセッサと、通信インターフェースとを含む。プロセッサは、前述の方法における対応する機能を実行する装置をサポートするように構成される。通信インターフェースは、本装置と別のネットワーク要素との間の通信をサポートするように構成される。本装置は、メモリをさらに含んでもよい。メモリは、プロセッサに結合するように構成され、本装置によって必要とされるプログラム命令およびデータを記憶する。
【００４８】
第８の態様によれば、本出願の一実施形態は、通信装置を提供する。本装置は、第３の態様に従ってＲＡＮノードによって実行される機能を実装することができ、機能は、ハードウェアによって実装されてもよく、またはハードウェアによって対応するソフトウェアを実行することによって実装されてもよい。ハードウェアまたはソフトウェアは、前述の機能に対応する１つまたは複数のモジュールを含む。
【００４９】
考え得る設計において、本装置の構造は、プロセッサと、通信インターフェースとを含む。プロセッサは、前述の方法における対応する機能を実行する装置をサポートするように構成される。通信インターフェースは、本装置と別のネットワーク要素との間の通信をサポートするように構成される。本装置は、メモリをさらに含んでもよい。メモリは、プロセッサに結合するように構成され、本装置によって必要とされるプログラム命令およびデータを記憶する。
【００５０】
第９の態様によれば、本出願の一実施形態は、通信装置を提供する。本装置は、第４の態様に従ってＡＭＦノードによって実行される機能を実装することができ、機能は、ハードウェアによって実装されてもよく、またはハードウェアによって対応するソフトウェアを実行することによって実装されてもよい。ハードウェアまたはソフトウェアは、前述の機能に対応する１つまたは複数のモジュールを含む。
【００５１】
考え得る設計において、本装置の構造は、プロセッサと、通信インターフェースとを含む。プロセッサは、前述の方法における対応する機能を実行する装置をサポートするように構成される。通信インターフェースは、本装置と別のネットワーク要素との間の通信をサポートするように構成される。本装置は、メモリをさらに含んでもよい。メモリは、プロセッサに結合するように構成され、本装置によって必要とされるプログラム命令およびデータを記憶する。
【００５２】
第１０の態様によれば、本出願の一実施形態は、通信装置を提供する。本装置は、第５の態様に従ってＳＭＦノードによって実行される機能を実装することができ、機能は、ハードウェアによって実装されてもよく、またはハードウェアによって対応するソフトウェアを実行することによって実装されてもよい。ハードウェアまたはソフトウェアは、前述の機能に対応する１つまたは複数のモジュールを含む。
【００５３】
考え得る設計において、本装置の構造は、プロセッサと、通信インターフェースとを含む。プロセッサは、前述の方法における対応する機能を実行する装置をサポートするように構成される。通信インターフェースは、本装置と別のネットワーク要素との間の通信をサポートするように構成される。本装置は、メモリをさらに含んでもよい。メモリは、プロセッサに結合するように構成され、本装置によって必要とされるプログラム命令およびデータを記憶する。
【００５４】
第１１の態様によれば、本出願の一実施形態は、通信システムを提供する。本システムは、第１の態様から第５の態様による、端末デバイス、ＲＡＮノード、ＡＭＦノード、ＳＭＦノード、およびＵＰＦノードを含む。
【００５５】
第１２の態様によれば、プログラムが提供される。プロセッサによって実行される場合、プログラムは、第１の態様によるいずれかの方法を実行するように構成される。
【００５６】
第１３の態様によれば、プログラムが提供される。プロセッサによって実行される場合、プログラムは、第２の態様によるいずれかの方法を実行するように構成される。
【００５７】
第１４の態様によれば、プログラムが提供される。プロセッサによって実行される場合、プログラムは、第３の態様によるいずれかの方法を実行するように構成される。
【００５８】
第１５の態様によれば、プログラムが提供される。プロセッサによって実行される場合、プログラムは、第４の態様によるいずれかの方法を実行するように構成される。
【００５９】
第１６の態様によれば、プログラムが提供される。プロセッサによって実行される場合、プログラムは、第５の態様によるいずれかの方法を実行するように構成される。
【００６０】
第１７の態様によれば、第１２の態様によるプログラムを含む、コンピュータ可読記憶媒体が提供される。
【００６１】
第１８の態様によれば、第１３の態様によるプログラムを含む、コンピュータ可読記憶媒体が提供される。
【００６２】
第１９の態様によれば、第１４の態様によるプログラムを含む、コンピュータ可読記憶媒体が提供される。
【００６３】
第２０の態様によれば、第１５の態様によるプログラムを含む、コンピュータ可読記憶媒体が提供される。
【００６４】
第２１の態様によれば、第１６の態様によるプログラムを含む、コンピュータ可読記憶媒体が提供される。
【００６５】
第２２の態様によれば、第１の態様によるいずれかの方法を実行するように構成された、少なくとも１つの処理要素またはチップを含む、ＲＡＮノードが提供される。
【００６６】
第２３の態様によれば、第２の態様によるいずれかの方法を実行するように構成された、少なくとも１つの処理要素またはチップを含む、ＲＡＮノードが提供される。
【００６７】
第２４の態様によれば、第３の態様によるいずれかの方法を実行するように構成された、少なくとも１つの処理要素またはチップを含む、ＲＡＮノードが提供される。
【００６８】
第２５の態様によれば、第４の態様によるいずれかの方法を実行するように構成された、少なくとも１つの処理要素またはチップを含む、ＡＭＦノードが提供される。
【００６９】
第２６の態様によれば、第５の態様によるいずれかの方法を実行するように構成された、少なくとも１つの処理要素またはチップを含む、ＲＡＮノードが提供される。
【００７０】
先行技術と比較して、ＡＭＦノードは、端末デバイスの特定領域関連情報をＲＡＮノードへ送ってもよく、さらに、端末デバイスが特定領域の外へ移動したと決定した場合、ＲＡＮノードは、第１の位置情報または第１のインジケーション情報をＡＭＦノードまたはＳＭＦノードへ送ってもよく、その結果、ＡＭＦノードまたはＳＭＦノードは、端末デバイスが特定領域から外へ既に移動したことを学習することができ、それにより、特定サービスが、特定領域内でのみ実装されることができることを確保する。例えば、特定領域がＬＡＤＮ  ＳＡである場合において、端末デバイスがＬＡＤＮ  ＳＡの外へ移動したと決定するとき、ＲＡＮノードは、端末デバイスがＬＡＤＮ  ＳＡの外へ既に移動したことをＡＭＦノードまたはＳＭＦノードに通知し、ＳＭＦノードは、ＰＤＵセッションリソースを解放する処理をトリガすることができ、それにより、端末デバイスが、ＬＡＤＮ  ＳＡの外へ移動した後に、ＬＡＤＮデータを受信しないことまたは送らないことを確保する。
【図面の簡単な説明】
【００７１】
【図１】背景において提供される端末デバイスの位置の例の概略図である。
【図２】本出願の一実施形態によるネットワークアーキテクチャの概略図である。
【図３】本出願の一実施形態による通信システムの概略構造図である。
【図４】本出願の一実施形態による別の通信システムの概略構造図である。
【図５】本出願の一実施形態による端末デバイスの移動処理の例の概略図である。
【図６】本出願の一実施形態による通信方法のフローチャートである。
【図７】本出願の一実施形態による別の通信方法のフローチャートである。
【図８】本出願の一実施形態によるＲＮＡの例の概略図である。
【図９】本出願の一実施形態による別の通信方法のフローチャートである。
【図１０】本出願の一実施形態による別の通信方法のフローチャートである。
【図１１】本出願の一実施形態による別の通信方法のフローチャートである。
【図１２】本出願の一実施形態による別の通信方法のフローチャートである。
【図１３】本出願の一実施形態による別の通信方法のフローチャートである。
【図１４】本出願の一実施形態による別の通信方法のフローチャートである。
【図１５】本出願の一実施形態によるＲＡＮノードの概略構造図である。
【図１６】本出願の一実施形態による別のＲＡＮノードの概略構造図である。
【図１７】本出願の一実施形態による別のＲＡＮノードの概略構造図である。
【図１８】本出願の一実施形態によるＡＭＦノードの概略構造図である。
【図１９】本出願の一実施形態によるＳＭＦノードの概略構造図である。
【図２０】本出願の一実施形態によるＲＡＮノードの概略構造図である。
【図２１】本出願の一実施形態によるＡＭＦノードの概略構造図である。
【図２２】本出願の一実施形態によるＳＭＦノードの概略構造図である。
【発明を実施するための形態】
【００７２】
本出願において説明されるネットワークアーキテクチャおよびサービスシナリオは、本出願における技術的解決策をより明確に説明するが、本出願において提供される技術的解決策を限定するようには意図されていない。当業者は、ネットワークアーキテクチャが進化し、新しいビジネスシナリオが出現するにつれて、本出願において提供される技術的解決策が同様の技術的課題にさらに適用されることを知り得る。
【００７３】
本出願における「例示的な」または「例えば」という用語は、「例、例証、または説明として使用される」ことを意味することが留意されるべきである。本出願において「例示的な」ものまたは「例えば」として説明される、いかなる実施形態または設計スキームも、別の実施形態または設計スキームより好適なもの、またはより多くの利点を有するものとして解説されるべきではない。まさに、「例」という用語の使用は、特定の手法におけるある概念を提示するように意図されている。
【００７４】
本出願において、「の」（英語：ｏｆ）、「関連する」（英語：ｃｏｒｒｅｓｐｏｎｄｉｎｇ、ｒｅｌｅｖａｎｔ）および「対応する」（英語：ｃｏｒｒｅｓｐｏｎｄｉｎｇ）は、使用中に混ざり得る。これらの違いを強調する必要がない場合、それらによって表現される意味は同じであることが留意されるべきである。
【００７５】
図２に示されるように、図２は、ネットワーク構造を示す。ネットワーク構造は、次世代通信システムに適用可能である。ネットワーク構造における様々な構成要素が、以下に簡潔に説明される。
【００７６】
端末デバイスは、様々なハンドヘルドデバイス、車載デバイス、着用可能なデバイス、または無線通信機能を有するコンピューティングデバイス、または無線モデムに接続された別の処理デバイス、および様々な形態の端末、移動局（ｍｏｂｉｌｅ  ｓｔａｔｉｏｎ、ＭＳ）、端末（ｔｅｒｍｉｎａｌ）、ユーザ機器（ｕｓｅｒ  ｅｑｕｉｐｍｅｎｔ、ＵＥ）、ソフトウェアクライアントなど、例えば、水道メータ、電気メータ、またはセンサを含んでもよい。
【００７７】
ＲＡＮノードは、従来のネットワークにおける基地局に類似しており、特定領域内の認証されたユーザに対してネットワークアクセス機能を提供し、ユーザレベル、サービス要件などに基づいて、異なる品質の送信トンネルを使用することができる。ＲＡＮは、無線リソースを管理し、端末デバイスに対してアクセスサービスを提供して、端末デバイスとコアネットワークとの間の制御信号およびユーザデータの転送を完了させることができる。
【００７８】
アクセスおよびモビリティ管理機能（ａｃｃｅｓｓ  ａｎｄ  ｍｏｂｉｌｉｔｙ  ｍａｎａｇｅｍｅｎｔ  ｆｕｎｃｔｉｏｎ、ＡＭＦ）ノードは、モビリティ管理、アクセス管理等を担当し、セッション管理機能以外のモビリティ管理エンティティ（ｍｏｂｉｌｉｔｙ  ｍａｎａｇｅｍｅｎｔ  ｅｎｔｉｔｙ、ＭＭＥ）機能における機能、例えば、合法的傍受機能およびアクセス認証機能を実装するように構成されてもよい。
【００７９】
セッション管理機能（ｓｅｓｓｉｏｎ  ｍａｎａｇｅｍｅｎｔ  ｆｕｎｃｔｉｏｎ、ＳＭＦ）ノードは、端末デバイスのためのセッションを確立し、セッション識別子（ＩＤ）を割り当て、端末デバイスのインターネットプロトコル（Ｉｎｔｅｒｎｅｔ  Ｐｒｏｔｏｃｏｌ、ＩＰ）アドレスを管理し、割り当て、セッションを管理し、または終了するように構成される。
【００８０】
データネットワーク（Ｄａｔａ  Ｎｅｔｗｏｒｋ、ＤＮ）は、外部データ、例えば、インターネットを提供するように構成されたネットワークである。
【００８１】
制御プレーン機能（Ｃｏｎｔｒｏｌ  Ｐｌａｎｅ  Ｆｕｎｃｔｉｏｎ、ＣＰＦ）ノードは、主にアクセス制御およびモビリティ管理機能（例えば、ＡＭＦの機能）、例えば、端末デバイス上での認証、暗号化、および位置登録などを実行し、セッション管理機能（例えば、ＳＭＦの機能）、例えば、ユーザプレーン送信経路の確立、解放、および変更を実行するように構成される。理解を簡単にするために、ＣＰＦノードは、ＡＭＦノードおよびＳＭＦノードなどのネットワーク要素を含むセットと考えられてもよい。
【００８２】
Ｎ２インターフェースは、（Ｒ）ＡＮノードとＡＭＦノードとの間の基準点であり、非アクセス層（Ｎｏｎ−ａｃｃｅｓｓ  ｓｔｒａｔｕｍ、ＮＡＳ）メッセージなどを送るように構成される。
【００８３】
Ｎ３インターフェースは、（Ｒ）ＡＮノードとＵＰＦノードとの間の基準点であり、ユーザプレーンデータなどを送信するように構成される。
【００８４】
Ｎ４インターフェースは、ＳＭＦノードとＵＰＦノードとの間の基準点であり、情報、例えば、Ｎ３接続のトンネル識別子情報、データバッファリングインジケーション情報、およびダウンリンクデータ通知メッセージなどを送信するように構成される。
【００８５】
Ｎ６インターフェースは、ＵＰＦノードとＤＮノードとの間の基準点であり、ユーザプレーンデータなどを送信するように構成される。
【００８６】
理解を簡単にするために、本出願における関連する技術は、以下のように説明される。
【００８７】
端末デバイスの接続状態は、接続管理接続（Ｃｏｎｎｅｃｔｉｏｎ  Ｍａｎａｇｅｍｅｎｔ−Ｃｏｎｎｅｃｔｅｄ、ＣＭ接続）状態である。ＣＭ接続状態は、無線リソース制御接続（Ｒａｄｉｏ  Ｒｅｓｏｕｒｃｅ  Ｃｏｎｔｒｏｌ  Ｃｏｎｎｅｃｔｅｄ、ＲＲＣ接続）状態、および無線リソース制御休止（Ｒａｄｉｏ  Ｒｅｓｏｕｒｃｅ  Ｃｏｎｔｒｏｌ  Ｉｎａｃｔｉｖｅ、ＲＲＣ休止）状態を含む。
【００８８】
図３に示されるように、図３は、通信システムの簡略化されたアーキテクチャ図である。端末デバイスがコアネットワークとデータを交換する必要がある場合、端末デバイスは、ＲＲＣ接続状態にあり、ＲＡＮノードは、Ｎ２インターフェースを使用することによってＣＰＦノードに接続され、ＲＡＮノードは、Ｎ３インターフェースを使用することによってＵＰＦに接続される。端末デバイスがＲＲＣ接続状態にある場合、ＲＡＮノードは、端末デバイスがキャンプオンしているセルおよび端末デバイスの位置情報を感知し得、ＣＰＦノード内のネットワーク要素（例えば、ＡＭＦノード）は、端末デバイスに接続されたＲＡＮノードを感知し得る。図３において、ＤＮ内のダウンリンクデータがＵＰＦノードへ送信される場合、ＵＰＦノードは、端末デバイスに接続されたＲＡＮノードへダウンリンクデータを送ってもよく、次いで、ＲＡＮノードは、端末デバイスへダウンリンクデータを送る。
【００８９】
ＲＲＣ接続状態にある端末デバイスが、予め設定された期間内にデータ送信を実行しない場合、ＲＡＮノードは、予め設定されたポリシーに従って、端末デバイスがＲＲＣ接続状態からＲＲＣ休止状態に切り替えられるべきかどうかを決定する。図４に示されるように、端末デバイスがＲＲＣ休止状態にある場合、端末デバイスとＲＡＮノードとの間のＲＲＣ接続が解放され、ＲＡＮノードとＣＰＦノードとの間のＮ２接続、およびＲＡＮノードとＵＰＦとの間のＮ３接続が維持される。ＲＡＮノードが、端末デバイスをＲＲＣ接続状態からＲＲＣ休止状態に切り替えることを決定した場合、ＲＡＮノードは、端末デバイスの位置情報に基づいて、端末デバイスについて無線アクセスネットワーク通知領域（ＲＡＮ  Ｎｏｔｉｆｉｃａｔｉｏｎ  Ａｒｅａ、ＲＮＡ）を設定し、次いで、端末デバイスへＲＲＣ接続解放メッセージを送る。ＲＲＣ接続解放メッセージは、ＲＮＡを搬送する。ＲＲＣ接続解放メッセージを受信した後、端末デバイスは、ＲＡＮノードへのＲＲＣ接続を解放し、ＲＮＡを記憶する。ＲＲＣ休止状態において、シグナリングはＲＡＮノードと端末デバイスとの間で交換されず、その結果、ＲＡＮノードは、端末デバイスの位置情報を感知することができない。端末デバイスの移動期間中に、端末デバイスは、基地局によってブロードキャストされたセル情報を感知し、端末デバイスの位置情報を決定する。端末デバイスがＲＮＡの外へ移動したと決定した場合、端末デバイスは、ＲＡＮノードへＲＲＣ接続回復要求を送って、ＲＡＮノードへのＲＲＣ接続を再確立する。端末デバイスはＲＲＣ休止状態に依然として切り替えられる必要があるとＲＡＮが決定した場合、ＲＡＮは、端末デバイスの最新の位置情報に基づいて、端末デバイスのＲＮＡを再決定する。
【００９０】
端末デバイスについてＲＡＮノードによって設定されるＲＮＡは、ＲＡＮノードの実際のサービス範囲より小さくなり得ることが留意されるべきである。このようにして、端末デバイスが、端末デバイスについてＲＡＮノードによって設定されるＲＮＡの外へ移動した場合、端末デバイスは、同じＲＡＮノードに依然としてアクセスすることができ、次いで、ＲＡＮノードは、端末デバイスについてＲＮＡを再設定する。代替として、端末デバイスについてＲＡＮノードによって設定されるＲＮＡの外へ移動した後、端末デバイスは、別のＲＡＮにアクセスしてもよく、この別のＲＡＮは、端末デバイスについてＲＮＡを設定する。
【００９１】
また、Ｎ２接続がＣＰＦノードとＲＡＮノードと間に依然として存在することが理由で、端末デバイスがＲＲＣ休止状態にある場合、ＣＰＦノードは、端末デバイスが接続状態にあると依然として考える。端末デバイスに固有のダウンリンクデータを受信した場合、ＵＰＦノードは、ダウンリンクデータをＲＡＮノードへ依然として送り、ダウンリンクデータを受信した後、ＲＡＮノードは、ＲＮＡ内の端末デバイスへのページングを開始し、ＲＡＮノードからページングメッセージを受信した後、端末デバイスは、ＲＲＣ接続状態に再び切り替えられ、次いで、ＲＡＮノードは、端末デバイスへダウンリンクデータを送る。
【００９２】
端末デバイスがＬＡＤＮにアクセスする場合において、端末デバイスがアップリンクＬＡＤＮデータを送る必要があり、端末デバイスがＬＡＤＮへのパケットデータユニット（Ｐａｃｋｅｔ  Ｄａｔａ  Ｕｎｉｔ、ＰＤＵ）セッション送信チャネルを既に確立している場合、端末デバイスは、ＰＤＵセッションリソースを使用することによってアップリンクＬＡＤＮデータを送ってもよい。端末デバイスがＬＡＤＮ  ＳＡの外へ移動したことを感知した場合、ＣＰＦノード内のネットワーク要素は、ＰＤＵセッションリソースを解放する。しかしながら、端末デバイスはアップリンクＬＡＤＮデータを送る必要があるが、端末デバイスとＬＡＤＮとの間にＰＤＵセッション送信チャネルが存在しない場合において、端末デバイスが、ＬＡＤＮ  ＳＡ内に端末デバイスがあると決定した場合、端末デバイスは、ＣＰＦノードへ、ＰＤＵセッション送信チャネルの確立のための要求を送る。さらに、ＲＡＮノードは、ＣＰＦノードに、端末デバイスが属するセルに関する情報を報告し、次いで、ＣＰＦノードは、端末デバイスの位置情報を決定し、端末デバイスの位置情報に基づいて、端末デバイスがＬＡＤＮ  ＳＡ内にあるかどうかを決定し得る。端末デバイスがＬＡＤＮ  ＳＡ内にあるとＣＰＦノードが決定した場合、ＣＰＦノードは、ＰＤＵセッション送信チャネルの確立を許可し、その結果、端末デバイスは、ＰＤＵセッションリソースを使用することによってアップリンクＬＡＤＮデータを送る。
【００９３】
端末デバイスがＬＡＤＮにアクセスする場合において、ＵＰＦノードが、端末デバイスに固有のダウンリンクＬＡＤＮデータを受信し、端末デバイスが、ＬＡＤＮへのＰＤＵセッション送信チャネルを既に確立している（具体的には、ＬＡＤＮ内のＰＤＵセッションのためのユーザプレーンリソースが確立されている）場合、ＵＰＦノードは、ＲＡＮノードへダウンリンクＬＡＤＮデータを送ってもよく、次いで、ＲＡＮノードは、端末デバイスへＬＡＤＮデータを送る。しかしながら、ＵＰＦノードが、端末デバイスに固有のダウンリンクＬＡＤＮデータを受信するが、端末デバイスとＬＡＤＮとの間にＰＤＵセッション送信チャネルが存在しない場合、ＵＰＦノードは、ＳＭＦノードへダウンリンクデータ通知（Ｄｏｗｎｌｉｎｋ  Ｄａｔａ  Ｎｏｔｉｆｉｃａｔｉｏｎ、ＤＤＮ）メッセージを送り得る。ＤＤＮメッセージを受信した後、ＳＭＦノードは、ＡＭＦノードを使用することによって端末デバイスの位置情報を取得し、ＳＭＦノードが、端末デバイスの位置情報に基づいて、端末デバイスはＬＡＤＮ  ＳＡ内にあると決定した場合、ＳＭＦノードは、ＰＤＵセッション送信チャネルを確立する処理をトリガし、その結果、ＰＤＵセッションチャネルが設立された後、ＵＰＦノードは、ＲＡＮノードを使用することによって端末デバイスへダウンリンクＬＡＤＮデータを送り得る。
【００９４】
前述の説明に関して、ＲＡＮがダウンリンクデータを受信した場合において、端末デバイスはＲＲＣ接続状態またはＲＲＣ休止状態にあるとＲＡＮノードが決定し、端末デバイスがＲＡＮノードのサービス範囲内にある場合、ＲＡＮノードは、端末デバイスへダウンリンクデータを送り得る。しかしながら、先行技術において、端末デバイスへダウンリンクデータを送る場合、ＲＡＮノードは、端末デバイスがＬＡＤＮ  ＳＡ内にあるかどうかを考えない。結果的に、端末デバイスがＬＡＤＮ  ＳＡの外へ既に移動した場合に、ダウンリンクＬＡＤＮデータが端末デバイスへ依然として送られるという問題が引き起こされる。
【００９５】
一方では、端末デバイスが常にＲＲＣ接続状態にある場合において、端末デバイスがＬＡＤＮ  ＳＡとＲＡＮノードのサービス範囲との両方によってカバーされた領域内にあるとき、ＲＡＮノードは、端末デバイスへダウンリンクＬＡＤＮデータを送り得る。ＲＲＣ接続状態にある端末デバイスが、ＬＡＤＮ  ＳＡの外へ移動したが、依然としてＲＡＮノードのサービス範囲内にある場合において、ＲＡＮノードが、端末デバイスに固有のダウンリンクＬＡＤＮデータを受信するとき、ＲＡＮノードはＬＡＤＮ  ＳＡを知らないので、ＲＡＮノードは、この時に端末デバイスがＬＡＤＮ  ＳＡ内にあるかどうかを決定することができず、したがって、ＲＡＮノードは、端末デバイスへダウンリンクＬＡＤＮ  ＳＡデータを依然として送る。結果的に、ＬＡＤＮ  ＳＡの外へ移動した後に、端末デバイスがダウンリンクＬＡＤＮデータを依然として受信することができるという問題が引き起こされる。
【００９６】
他方では、図５に示されるように、端末デバイスは、ＬＡＤＮ  ＳＡとＲＡＮノードのサービス範囲との両方によってカバーされた領域内にある。この場合において、端末デバイスはＲＲＣ接続状態からＲＲＣ休止状態に切り替えられる。ＲＡＮノードは、端末デバイスについてＲＮＡを設定し、次いで、端末デバイスは、ＬＡＤＮ  ＳＡの外へ移動するが、依然としてＲＮＡ内にある。結果として、ＲＡＮノードは、端末デバイスに固有のダウンリンクＬＡＤＮデータを受信し、ＲＮＡ内の端末デバイスをページングする。ページングメッセージを受信した後、端末デバイスは、ＲＲＣ休止状態からＲＲＣ接続状態に切り替えられ、次いで、ＲＡＮノードは、端末デバイスへダウンリンクＬＡＤＮデータを送る。この場合において、端末デバイスはＬＡＤＮ  ＳＡ内に既にいないが、ダウンリンクＬＡＤＮデータを依然として受信することが学習され得る。
【００９７】
ＬＡＤＮ  ＳＡの外へ移動した後に、端末デバイスがＬＡＤＮデータを依然として受信することができるという問題を解決するために、本出願の原理は、以下の通りである。ＲＡＮノードへのＮ２接続を確立する処理において、ＡＭＦノードは、端末デバイスのＬＡＤＮ  ＳＡ関連情報をＲＡＮへ送り、次いで、端末デバイスの位置情報とＬＡＤＮ  ＳＡ関連情報とに基づいて、端末デバイスはＬＡＤＮ  ＳＡの外へ移動したと決定した場合、ＲＡＮノードは、ＡＭＦノードまたはＳＭＦノードに、端末デバイスがＬＡＤＮ  ＳＡの外へ既に移動したと通知し得る。このようにして、ＳＭＦノードは、端末デバイスのＰＤＵセッションリソースを解放すること、またはダウンリンクＬＡＤＮ  ＳＡデータのバッファリングを延長するように、もしくはダウンリンクＬＡＤＮ  ＳＡデータを破棄するようにＵＰＦノードに指示することができる。このようにして、端末デバイスは、ＬＡＤＮ  ＳＡの外へ移動した後にＬＡＤＮデータを受信しない。
【００９８】
図６に示されるように、本出願の一実施形態は、通信方法を提供する。本方法は、図２に示される通信システムに適用され、本方法は、以下のステップを含む。
【００９９】
６０１：ＲＡＮノードは、ＡＭＦノードから第１のメッセージを受信する。
【０１００】
対応して、ＡＭＦノードは、第１のメッセージを受信する。
【０１０１】
第１のメッセージは、ＲＡＮノードとＡＭＦノードとの間のＮ２接続を起動する処理において、ＡＭＦノードによって送られたＮ２接続起動メッセージであり得る。例えば、Ｎ２接続起動メッセージは、具体的には、パススイッチ応答（Ｐａｔｈ  Ｓｗｉｔｃｈ  Ｒｅｓｐｏｎｓｅ）メッセージであってもよい。代替として、第１のメッセージは、端末デバイスの特定領域関連情報を搬送するために使用される専用メッセージであってもよい。代替として、第１のメッセージは、ＰＤＵセッションの確立期間中にＡＭＦノードによってＲＡＮノードへ送られるＮ２メッセージ、または位置報告制御メッセージ（Ｌｏｃａｔｉｏｎ  Ｒｅｐｏｒｔ  Ｃｏｎｔｒｏｌ  ｍｅｓｓａｇｅ）であってもよい。
【０１０２】
第１のメッセージは、端末デバイスの特定領域関連情報を含み、特定領域関連情報は、端末デバイスの特定領域を示すために使用される。特定領域は、具体的には、ＬＡＤＮ  ＳＡ、または位置報告領域（Ｌｏｃａｔｉｏｎ  Ｒｅｐｏｒｔｉｎｇ  ａｒｅａ）、または関心領域（Ａｒｅａ  ｏｆ  ｉｎｔｅｒｅｓｔ）であってもよい。関心領域は、ＳＭＦノードに関心を持たせる領域であり得る。
【０１０３】
任意選択で、特定領域関連情報は、特定領域に対応する位置領域識別子リスト、例えば、ＬＡＤＮ  ＳＡに対応する位置領域識別子リスト、または位置報告領域に対応する位置領域識別子リストを含む。
【０１０４】
位置領域識別子リストは、セル識別子（Ｃｅｌｌ  ＩＤ）リストであってもよく、または追跡領域識別（ｔｒａｃｋｉｎｇ  ａｒｅａ  ｉｄｅｎｔｉｔｙ、ＴＡＩ）リストであってもよい。
【０１０５】
任意選択で、特定領域関連情報は、ＬＡＤＮ  ＳＡ関連情報を含み、ＬＡＤＮ  ＳＡ関連情報は、ＬＡＤＮ  ＳＡに対応する位置領域識別子リスト、またはＬＡＤＮ  ＳＡに対応するデータネットワーク名（Ｄａｔａ  Ｎｅｔｗｏｒｋ  Ｎａｍｅ、ＤＮＮ）を含んでもよい。
【０１０６】
ＬＡＤＮ  ＳＡに対応する位置領域識別子リストは、具体的には、セルＩＤリストまたは追跡領域リスト（ｔｒａｃｋｉｎｇ  ａｒｅａ  ｌｉｓｔ、ＴＡＬ）であり得る。ＴＡＬは、少なくとも１つのＴＡＩを含み得る。
【０１０７】
ＬＡＤＮ  ＳＡは、１つまたは複数のＬＡＤＮがサービスを提供する範囲であってもよく、ＬＡＤＮ  ＳＡに対応するＤＮＮは、１つまたは複数のＬＡＤＮの名称であってもよい。
【０１０８】
例えば、特定領域は、少なくとも１つの位置領域を含み、位置領域は、１つのセルまたは１つの追跡領域であってもよく、その結果、特定領域に対応する位置領域識別子リストは、具体的には、特定領域に含まれる少なくとも１つの位置領域の識別子を含むリストであり得る。具体的には、特定領域に対応する位置領域識別子リストは、特定領域に含まれる位置領域の位置領域識別子を含むリストである。例えば、特定領域に対応する位置領域識別子リストは、セル識別子１、セル識別子２、およびセル識別子３を含むと仮定される。それは、特定領域が、セル識別子１によって示されるセルのカバレッジ、セル識別子２によって示されたセルのカバレッジ、およびセル識別子３によって示されたセルのカバレッジであることを示す。
【０１０９】
６０２：ＲＡＮノードが、端末デバイスの特定領域関連情報および第１の位置情報に基づいて、端末デバイスは特定領域の外へ移動したと決定した場合、ＲＡＮノードは、ＡＭＦノードまたはＳＭＦノードへ、第１の位置情報または第１のインジケーション情報を送る。
【０１１０】
対応して、ＡＭＦノードまたはＳＭＦノードは、第１の位置情報または第１のインジケーション情報を受信する。
【０１１１】
第１のインジケーション情報は、端末デバイスが特定領域の外へ既に移動したことを示すために使用され得る。
【０１１２】
第１の位置情報は、端末デバイスがキャンプオンするセルに関する情報、または端末デバイスがＲＲＣ休止状態からＲＲＣ接続状態に切り替えられるとき、もしくはその後の、端末デバイスがキャンプオンする追跡領域に関する情報であり得る。
【０１１３】
例えば、端末デバイスがＲＲＣ休止状態からＲＲＣ接続状態に切り替えられる場合、端末デバイスは、ＲＡＮノードへＲＲＣ接続回復要求を送る。ＲＡＮノードは、ＲＲＣ接続回復要求を受信することによって、端末デバイスによってアクセスされるセルに関する情報を学習し、次いで、セルの位置情報に基づいて端末デバイスの第１の位置情報を決定することができる。第１の位置情報は、端末デバイスによってアクセスされるセルのセル識別子と、ＴＡＩとを含む。
【０１１４】
ステップ６０２において、ＲＡＮノードによって、特定領域関連情報および端末デバイスの第１の位置情報に基づいて、端末デバイスは特定領域の外へ移動したと決定するための方法は、以下の２つの手法を使用してもよい。
【０１１５】
第１の手法：特定領域関連情報は、特定領域に対応する位置領域識別子リストを含み、第１の位置情報によって示される位置が、特定領域に対応する位置領域識別子リスト内の位置領域識別子によって示される領域のうちのいずれにもない場合、ＲＡＮノードは、端末デバイスが特定領域の外へ移動したと決定する。
【０１１６】
反対に、第１の位置情報によって示される位置が、特定領域に対応する位置領域識別子リスト内の任意の位置領域識別子によって示される領域内にある場合、ＲＡＮノードは、端末デバイスが特定領域の外へ移動していないと決定し得る。
【０１１７】
第２の手法：特定領域関連情報は、ＬＡＤＮ  ＳＡ関連情報を含み、ＬＡＤＮ  ＳＡ関連情報は、ＬＡＤＮ  ＳＡに対応するデータネットワーク名ＤＮＮを含む。ＲＡＮノードは、ＤＮＮ、およびＤＮＮとＬＡＤＮ  ＳＡに対応する位置領域識別子リストとの間のマッピング関係に基づいて、ＬＡＤＮ  ＳＡに対応する位置領域識別子リストを決定する。第１の位置情報によって示される位置が、ＬＡＤＮ  ＳＡに対応する位置領域識別子リスト内の位置領域識別子によって示される領域のうちのいずれにもない場合、ＲＡＮノードは、端末デバイスが特定領域の外へ移動したと決定する。
【０１１８】
具体的には、特定領域はＬＡＤＮ  ＳＡであり、ＬＡＤＮ  ＳＡ関連情報は、ＬＡＤＮ  ＳＡに対応するＤＮＮを含む。ＲＡＮノードは、ＬＡＤＮ  ＳＡ関連情報に含まれたＤＮＮ、およびＤＮＮとＬＡＤＮ  ＳＡに対応する位置領域識別子リストとの間のマッピング関係に基づいて、ＬＡＤＮ  ＳＡに対応する位置領域識別子リストを決定し得る。
【０１１９】
例えば、ＤＮＮと、ＬＡＤＮ  ＳＡに対応する位置領域識別子リストとの間のマッピング関係は、表１に示される。
【０１２０】
【表１】
2020532182.tif 000026
【０１２１】
ＲＡＮによって受信された第１のメッセージ内のＬＡＤＮ  ＳＡ関連情報がＤＮＮ１である場合、ＲＡＮは、表１に基づいて、ＤＮＮ１に対応する位置領域識別子リスト１を発見し得、位置領域識別子リスト１内の位置領域識別子によって示される領域を含む総領域がＬＡＤＮ  ＳＡであるとさらに決定し得る。
【０１２２】
ＲＡＮノードが、ＡＭＦノードまたはＳＭＦノードへ、第１の位置情報または第１のインジケーション情報を送ることは、具体的には、以下の４つのケースを含み得ることが留意されるべきである。
【０１２３】
第１のケース：ＲＡＮノードは、ＡＭＦノードへ第１の位置情報を送る。
【０１２４】
対応して、本方法は、第１の位置情報を受信した後、ＡＭＦノードによって、第１の位置情報によって示される位置が特定領域内にあるかどうかを決定することと、第１の位置情報によって示される位置が特定領域内にないとＡＭＦノードが決定した場合、ＡＭＦノードによって、端末デバイスが特定領域の外へ既に移動したことをＳＭＦノードに通知することとをさらに含み得る。
【０１２５】
第２のケース：ＲＡＮノードは、ＡＭＦノードへ第１のインジケーション情報を送る。
【０１２６】
対応して、ＡＭＦノードが第１のインジケーション情報を受信した後、ＡＭＦノードは、ＳＭＦノードへ第１のインジケーション情報を送る。
【０１２７】
第３のケース：ＲＡＮノードは、ＳＭＦノードへ第１の位置情報を送る。
【０１２８】
対応して、第１の位置情報を受信した後、ＳＭＦノードは、第１の位置情報によって示される位置が特定領域内にあるかどうかを決定し、第１の位置情報によって示される位置が特定領域内にないとＳＭＦノードが決定した場合、ＳＭＦノードは、端末デバイスのＰＤＵセッションリソースを解放する処理をトリガする。
【０１２９】
第４のケース：ＲＡＮノードは、ＳＭＦノードへ第１のインジケーション情報を送る。
【０１３０】
対応して、ＳＭＦノードは、第１のインジケーション情報を受信し、端末デバイスが特定領域の外へ既に移動したことを第１のインジケーション情報が示す場合、端末デバイスのＰＤＵセッションリソースを解放する処理をトリガする。
【０１３１】
第３のケースおよび第４のケースにおいて言及される、ＰＤＵセッションリソースを解放する処理は、ＰＤＵセッションを解放する処理またはＰＤＵセッションを休止する処理であり得ることが留意されるべきである。
【０１３２】
前述の実施形態において提供される方法によれば、ＡＭＦノードは、ＲＡＮノードへ、端末デバイスの特定領域関連情報を送り得、さらに、端末デバイスが特定領域の外へ移動したと決定した場合、ＲＡＮノードは、ＡＭＦノードまたはＳＭＦノードへ、第１の位置情報または第１のインジケーション情報を送り得、その結果、ＡＭＦノードまたはＳＭＦノードは、端末デバイスが特定領域の外へ既に移動したことを学習することができ、それにより、特定のサービスが特定領域内のみで実装されることができることを確保する。例えば、特定領域がＬＡＤＮ  ＳＡである場合において、端末デバイスがＬＡＤＮ  ＳＡの外へ移動したと決定するとき、ＲＡＮノードは、ＡＭＦノードまたはＳＭＦノードに、端末デバイスがＬＡＤＮ  ＳＡの外へ既に移動したことを通知し、ＳＭＦノードは、ＰＤＵセッションリソースを解放する処理をトリガすることができ、それにより、端末デバイスがＬＡＤＮ  ＳＡの外へ移動した後にＬＡＤＮデータを受信しないこと、または送らないことを確保する。
【０１３３】
任意選択で、前述の実施形態の第１の実装シナリオにおいて、図７に示されるように、ステップ６０２の前に、本方法はステップ７０１からステップ７０３をさらに含む。
【０１３４】
７０１：ＲＡＮノードが、端末デバイスをＲＲＣ接続状態からＲＲＣ休止状態に切り替えることを決定した場合、ＲＡＮノードは、端末デバイスの第２の位置情報および端末デバイスの特定領域関連情報に基づいてＲＮＡを決定する。
【０１３５】
例えば、ＲＡＮノードは、特定された期間内に端末デバイスとＲＡＮノードとの間でデータが送信されるかどうかに基づいて、端末デバイスをＲＲＣ接続状態からＲＲＣ休止状態に切り替えるかどうかを決定してもよい。特定された期間内に端末デバイスとＲＡＮノードとの間でデータが送信されない場合、端末デバイスはＲＲＣ接続状態からＲＲＣ休止状態に切り替えられるべきであると決定される。
【０１３６】
さらに、ＲＡＮノードは、ＡＭＦノードによって提供される、端末デバイスの関連するパラメータ、および特定された期間内に端末デバイスとＲＡＮノードとの間でデータが送信されるかどうかを参照して、端末デバイスをＲＲＣ接続状態からＲＲＣ休止状態に切り替えるべきかを決定してもよい。ＡＭＦノードによって提供される、端末デバイスの関連するパラメータは、端末デバイスの登録領域（Ｒｅｇｉｓｔｒａｔｉｏｎ  Ａｒｅａ）、端末デバイスの不連続受信（Ｄｉｓｃｏｎｔｉｎｕｏｕｓ  Ｒｅｃｅｐｔｉｏｎ、ＤＲＸ）情報、および端末デバイスがモバイル発呼接続専用（Ｍｏｂｉｌｅ  Ｉｎｉｔｉａｔｅｄ  Ｃｏｎｎｅｃｔｉｏｎ  Ｏｎｌｙ、ＭＩＣＯ）モードにあるかどうかなどのパラメータであってもよい。
【０１３７】
例えば、端末デバイスがＭＩＣＯモードではなく、特定された期間内に端末デバイスとＲＡＮノードとの間でデータが送信されない場合、ＲＡＮノードは、端末デバイスをＲＲＣ接続状態からＲＲＣ休止状態に切り替えることを決定する。端末デバイスがＭＩＣＯモードである場合、端末デバイスはページングメッセージをリッスンせず、ＲＡＮノードは端末デバイスをページングせず、その結果、端末デバイスは、ＲＲＣ接続状態からＲＲＣ休止状態に切り替えられない。
【０１３８】
また、これらのパラメータに基づいて、ＲＡＮノードによって、端末デバイスをＲＲＣ接続状態からＲＲＣ休止状態に切り替えるべきかどうかを決定する方法は、先行技術におけるその方法と類似しており、詳細は本明細書において一つずつ説明されない。
【０１３９】
ステップ７０１において、ＲＡＮノードによって、端末デバイスの第２の位置情報および特定領域関連情報に基づいて、端末デバイスのＲＮＡを決定することは、以下の２つの実装を使用してもよい。
【０１４０】
第１の手法：特定領域関連情報は、特定領域に対応する位置領域識別子リストを含む。第２の位置情報によって示される位置が、特定領域に対応する位置領域識別子リストによって示される領域内にある場合、ＲＡＮノードは、第１の参照情報に基づいてＲＮＡを決定する。ＲＮＡは、特定領域に含まれており、第１の参照情報は、少なくとも、端末デバイスの登録領域情報を含む。
【０１４１】
端末デバイスの登録領域は、ＡＭＦノードによってＲＡＮノードへ送られる端末デバイスの登録領域（Ｒｅｇｉｓｔｒａｔｉｏｎ  Ａｒｅａ）情報によって示される登録領域である。登録領域は、ＡＭＦノードによって端末デバイスに割り当てられる領域であり、端末デバイスの位置を管理するために使用される。端末デバイスが登録領域の外へ移動した場合、端末デバイスは、端末デバイスの最新の位置情報をＡＭＦノードに報告する必要がある。
【０１４２】
第１の参照情報は、以下の情報のうちのいずれか１つまたは複数をさらに含み得る：
【０１４３】
端末デバイスによってアクセスされるＲＡＮノードに隣接するＲＡＮノードが、端末デバイスのＲＲＣ休止状態をサポートするかどうか；
【０１４４】
端末デバイスによってアクセスされるＲＡＮノードと、隣接するＲＡＮノードとの間に、Ｘｎインターフェースがあるかどうか；および
【０１４５】
端末デバイスの予想されるハンドオーバ挙動（Ｅｘｐｅｃｔｅｄ  ＨＯ  ｂｅｈａｖｉｏｒ）情報。
【０１４６】
例えば、端末デバイスによってアクセスされるＲＡＮノードに隣接するＲＡＮノードが、端末デバイスのＲＲＣ休止状態をサポートする場合、ＲＮＡは、端末デバイスによってアクセスされるＲＡＮノードのサービスエリアと、端末デバイスによってアクセスされるＲＡＮノードに隣接するＲＡＮノードのサービスエリアとの両方を含み得る。
【０１４７】
端末デバイスによってアクセスされるＲＡＮノードと、隣接するＲＡＮノードとの間に、Ｘｎインターフェースがある場合、ＲＮＡは、端末デバイスによってアクセスされるＲＡＮノードのサービスエリアと、端末デバイスによってアクセスされるＲＡＮノードに隣接するＲＡＮノードのサービスエリアとの両方を含み得る。
【０１４８】
端末デバイスの予想されるハンドオーバ挙動情報は、端末デバイスの予想されるハンドオーバ期間であり得る。例えば、端末デバイスが高速で移動する場合、ハンドオーバ時間は短い。端末デバイスの頻繁なＲＮＡハンドオーバを回避するために、比較的大きいＲＮＡがセットされ得る。
【０１４９】
ＲＡＮノードは、第１の参照情報に基づいて領域を決定し得る。この領域とＬＡＤＮ  ＳＡとの間の重複領域は、端末デバイスのＲＮＡである。任意選択で、ＲＮＡは、この領域とＬＡＤＮ  ＳＡとの間の重複領域内の任意のサブエリアであってもよい。例えば、図８に示されるように、領域１は、第１の参照情報に基づいて、ＲＡＮノードによって決定される領域であり、ＲＡＮノードによって決定される端末デバイスのＲＮＡは、図８の斜線領域または斜線領域内の任意のサブエリアであり得る。
【０１５０】
第２の手法：特定領域関連情報は、ＬＡＤＮ  ＳＡ関連情報を含み、ＬＡＤＮ  ＳＡ関連情報は、ＬＡＤＮ  ＳＡに対応するデータネットワーク名ＤＮＮを含む。ＲＡＮノードは、ＤＮＮ、およびＤＮＮとＬＡＤＮ  ＳＡに対応する位置領域識別子リストとの間のマッピング関係に基づいて、ＬＡＤＮ  ＳＡに対応する位置領域識別子リストを決定する。第２の位置情報によって示される位置が、ＬＡＤＮ  ＳＡに対応する位置領域識別子リストによって示される領域内にある場合、ＲＡＮノードは、第２の参照情報に基づいてＲＮＡを決定する。第２の参照情報は、少なくとも、端末デバイスの登録領域情報を含み、ＲＮＡは、ＬＡＤＮ  ＳＡに含まれている。
【０１５１】
第２の参照情報は、以下の情報のうちのいずれか１つまたは複数をさらに含む：
【０１５２】
端末デバイスによってアクセスされるＲＡＮノードに隣接するＲＡＮノードが、端末デバイスのＲＲＣ休止状態をサポートするかどうか；
【０１５３】
端末デバイスによってアクセスされるＲＡＮノードと、隣接するＲＡＮノードとの間に、Ｘｎインターフェースがあるかどうか；および
【０１５４】
端末デバイスの予想されるハンドオーバ挙動情報。
【０１５５】
第１の参照情報と第２の参照情報とは同じであってもよく、第２の参照情報に基づいて、ＲＡＮノードによってＲＮＡを決定するための方法は、第１の参照情報に基づいて、ＲＡＮノードによってＲＮＡを決定するための方法と同じであることが留意されるべきである。詳細は、本明細書において再度説明されない。
【０１５６】
第２の位置情報は、端末デバイスがＲＲＣ接続状態からＲＲＣ休止状態に切り替えられる場合に、端末デバイスがキャンプオンするセルに関する情報、または端末デバイスがキャンプオンする追跡領域に関する情報であり得る。
【０１５７】
第２の位置情報を取得するための方法は、以下の通りであり得る：ＲＡＮノードは、端末デバイスによって送られたメッセージを受信することによって、端末デバイスによってアクセスされるセルに関する情報を取得し、次いで、セルに関する情報に基づいて、端末デバイスの第２の位置情報を決定することができる。
【０１５８】
７０２：ＲＡＮノードは、第２のメッセージを端末デバイスへ送る。
【０１５９】
第２のメッセージは、端末デバイスとＲＡＮノードとの間のＲＲＣ接続を解放するために使用され、第２のメッセージはＲＮＡを搬送する。例えば、第２のメッセージは、ＲＲＣ接続解放メッセージであってもよい。
【０１６０】
７０３：端末デバイスは、第２のメッセージを受信し、第２のメッセージに基づいて、端末デバイスの状態をＲＲＣ接続状態からＲＲＣ休止状態に切り替え、端末デバイスのＲＮＡを記憶する。
【０１６１】
さらに、端末デバイスがＲＲＣ休止状態にある場合、端末デバイスの位置は変化することがあり、本方法は、ステップ７０４からステップ７０７をさらに含み得る。
【０１６２】
７０４：端末デバイスがＲＮＡの外へ移動したと決定した場合、端末デバイスは、第３のメッセージをＲＡＮノードへ送る。
【０１６３】
対応して、ＲＡＮノードは、端末デバイスから第３のメッセージを受信する。
【０１６４】
第３のメッセージは、端末デバイスがＲＮＡの外へ移動した場合に、端末デバイスとＲＡＮノードとの間のＲＲＣ接続を回復することを要求するために使用される。例えば、第３のメッセージは、ＲＲＣ接続回復要求メッセージであってもよい。
【０１６５】
端末デバイスによって、端末デバイスがＲＮＡの外へ移動したと決定するための方法は、以下の通りである：端末デバイスは、アクセスされたセルに関する情報に基づいて、端末デバイスの位置情報を決定し得る。端末デバイスはＲＮＡを記憶しているので、端末デバイスは、端末デバイスの位置情報によって示される位置がＲＮＡ内にあるかどうかを決定することができ、端末デバイスの位置情報によって示される位置がＲＮＡ内にないと決定した場合、端末デバイスがＲＮＡの外へ移動したと決定することができる。
【０１６６】
端末デバイスがＲＮＡの外へ移動した場合、端末デバイスはＲＡＮノードに再アクセスすることが留意されるべきである。再アクセスされるＲＡＮノードが、端末デバイスはＲＲＣ休止状態に切り替えられる必要が依然としてあると決定した場合、ＲＡＮノードは、端末デバイスについてＲＮＡを再設定する。
【０１６７】
７０５：ＲＡＮノードは、第３のメッセージの応答メッセージを端末デバイスへ送る。
【０１６８】
第３のメッセージの応答メッセージは、ＲＡＮノードへのＲＲＣ接続を確立するように端末デバイスに指示するために使用される。
【０１６９】
７０６：端末デバイスは、第３のメッセージの応答メッセージを受信し、端末デバイスの状態をＲＲＣ休止状態からＲＲＣ接続状態に切り替える。
【０１７０】
７０７：ＲＡＮノードは、端末デバイスの位置情報を第１の位置情報に更新する。
【０１７１】
ステップ７０５およびステップ７０７の実行順序は、調整されてもよく、限定されない。
【０１７２】
端末デバイスがＲＮＡの外へ移動する処理において、端末デバイスの位置情報は変化することがあり、端末デバイスがＲＲＣ休止状態にある場合、ＲＡＮノードは、端末デバイスの位置情報を取得することができない。したがって、ＲＡＮノードに記憶される端末デバイスの位置情報の精度を確保するために、ＲＡＮノードが第３のメッセージを受信した後、または端末デバイスがＲＡＮノードへのＲＲＣ接続を回復した後、ＲＡＮノードは、端末デバイスのセルに関する情報を取得し、端末デバイスのセルに関する情報に基づいて、端末デバイスの第１の位置情報を決定し、端末デバイスの位置情報を第１の位置情報に更新し得る。
【０１７３】
例えば、端末デバイスがチャネルを使用することによってＲＡＮノードへメッセージを送る場合、ＲＡＮノードは、チャネルに対応する周波数または他の情報に基づいて、端末デバイスによってアクセスされるセルを決定し、セルの位置情報を端末デバイスの第１の位置情報としてさらに決定し得る。
【０１７４】
任意選択で、端末デバイスの位置情報を第１の位置情報に更新した後、ＲＡＮノードは、ステップ６０２を実行することができる。
【０１７５】
前述の実装シナリオにおいて提供される通信方法によれば、ＲＡＮノードは、特定領域関連情報を参照してＲＮＡを決定し、その結果、決定されたＲＮＡは、特定領域に含まれている。したがって、端末デバイスが特定領域の外へ移動したが、ＲＮＡ内に依然としてあるケースは回避され、特定領域がＬＡＤＮ  ＳＡである場合、ＲＲＣ休止状態にある端末デバイスが、ＬＡＤＮ  ＳＡの外へ移動した後に、ＬＡＤＮデータを依然として受信することができるという問題が回避される。
【０１７６】
本出願の一実施形態は、通信方法をさらに提供する。図９に示されるように、本方法は、以下のステップを含む。
【０１７７】
９０１：ＡＭＦノードは、第１のメッセージをＲＡＮノードへ送る。
【０１７８】
対応して、ＲＡＮノードは、第１のメッセージを受信する。
【０１７９】
第１のメッセージは、端末デバイスをＲＲＣ接続状態からＲＲＣ休止状態に切り替えることをＲＡＮノードが決定した場合、端末デバイスの状態を通知するために使用される第１の通知メッセージをＡＭＦノードへ送るように、ＲＡＮノードに対して指示するために使用される。例えば、第１のメッセージの名称は、前述のインジケーション機能を有する。別の例として、第１のメッセージは、インジケーション情報を搬送し、インジケーション情報は、前述のインジケーション機能を有する。
【０１８０】
例えば、第１のメッセージは、第１のインジケーション情報を搬送してもよく、第１のインジケーション情報は、端末デバイスをＲＲＣ接続状態からＲＲＣ休止状態に切り替えることをＲＡＮノードが決定した場合、ＡＭＦノードへ第１の通知メッセージを送るように、ＲＡＮノードに対して指示するために使用される。第１のインジケーション情報は、前述のインジケーション機能専用であってもよく、つまり、明示的なインジケーション手法であってもよい。例えば、第１のインジケーション情報は、１ビットを使用することによって示され、ビットが１に設定される場合、第１のインジケーション情報は、端末デバイスをＲＲＣ接続状態からＲＲＣ休止状態に切り替えることをＲＡＮノードが決定した場合、端末デバイスの状態を通知するために使用される第１の通知メッセージをＡＭＦノードへ送るように指示する。代替として、第１のインジケーション情報は、黙示的なインジケーション手法であってもよい。例えば、第１のインジケーション情報は、特定領域関連情報を含み、特定領域関連情報は、端末デバイスの特定領域を示すために使用される。
【０１８１】
特定領域は、ＬＡＤＮ  ＳＡ、または位置報告領域（Ｌｏｃａｔｉｏｎ  Ｒｅｐｏｒｔｉｎｇ  ａｒｅａ）、またはＳＭＦノードの関心領域（Ａｒｅａ  ｏｆ  ｉｎｔｅｒｅｓｔ）であってもよい。
【０１８２】
任意選択で、特定領域関連情報は、特定領域に対応する位置領域識別子リストを含む。位置領域識別子リストは、セル識別子リストまたはＴＡＩリストであってもよい。
【０１８３】
任意選択で、特定領域関連情報は、ＬＡＤＮ  ＳＡ関連情報を含み、ＬＡＤＮ  ＳＡ関連情報は、ＬＡＤＮ  ＳＡに対応する位置領域識別子リストおよび／またはＬＡＤＮ  ＳＡに対応するＤＮＮを含み得る。
【０１８４】
特定領域などの関連する用語については、図６に示される実施形態における関連する説明を参照されたいこと、および詳細は再度説明されないことが留意されるべきである。
【０１８５】
９０２：ＲＡＮノードが、端末デバイスをＲＲＣ接続状態からＲＲＣ休止状態に切り替えることを決定した場合、ＲＡＮノードは、第１のメッセージに基づいて、第１の通知メッセージをＡＭＦノードへ送る。
【０１８６】
ＲＡＮノードは、特定された期間内に端末デバイスとＲＡＮノードとの間でデータが送信されるかどうかに基づいて、端末デバイスをＲＲＣ接続状態からＲＲＣ休止状態に切り替えるべきかどうかを決定し得る。特定された期間内に端末デバイスとＲＡＮノードとの間でデータが送信されない場合、端末デバイスはＲＲＣ接続状態からＲＲＣ休止状態に切り替えられるべきであると決定され得る。ＲＡＮノードによって、端末デバイスをＲＲＣ接続状態からＲＲＣ休止状態に切り替えることを決定するための関連する方法については、以下のステップ７０１の説明を参照されたい。
【０１８７】
ＲＡＮノードによって、第１のメッセージに基づいて、第１の通知メッセージをＡＭＦノードへ送るための方法は、以下を含み得る：
【０１８８】
第１のインジケーション情報が、端末デバイスをＲＲＣ接続状態からＲＲＣ休止状態に切り替えることをＲＡＮノードが決定した場合において、ＡＭＦノードへ第１の通知メッセージを送るように、ＲＡＮノードに対して指示するために使用されるとき、ＡＭＦノードへ第１の通知メッセージを送ること。
【０１８９】
９０３：ＡＭＦノードは、ＲＡＮノードから第１の通知メッセージを受信し、第１の通知メッセージに基づいて、第２の通知メッセージをＳＭＦノードへ送る。
【０１９０】
対応して、ＳＭＦノードは、ＡＭＦノードから第１の通知メッセージを受信する。
【０１９１】
第２の通知メッセージは、端末デバイスの状態をＳＭＦノードに通知するために使用される。
【０１９２】
任意選択で、ステップ９０３は、２つの実装を含む。
【０１９３】
第１の実装：第１の通知メッセージは、第２の通知メッセージと同じである。具体的には、ＲＡＮノードから第１の通知メッセージを受信した後、ＡＭＦノードは、第１の通知メッセージをＳＭＦノードへ転送する。
【０１９４】
第２の実装：ＡＭＦノードは、ＲＡＮノードから第１の通知メッセージを受信し、第１のメッセージの内容を読み取り、次いで、第１の通知メッセージ内にあり、端末デバイスの状態を示すために使用される情報を第２の通知メッセージに追加し、第２の通知メッセージをＳＭＦノードへ送る。例えば、第２の通知メッセージは、ＡＭＦノードによってＳＭＦノードへ送られる、状態切り替え通知メッセージ、またはＮａｍｆ＿ＥｖｅｎｔＥｘｐｏｓｕｒｅ＿Ｎｏｔｉｆｙメッセージであってもよい。
【０１９５】
前述の実施形態において提供される通信方法によれば、ＡＭＦノードは、端末デバイスがＲＲＣ接続状態からＲＲＣ休止状態に切り替えられるべきことが決定される場合、端末デバイスの状態を通知するために使用される通知メッセージがＡＭＦノードへ送られる必要があることをＲＡＮノードに事前に通知してもよく；次いで、ＡＭＦノードは、端末デバイスの状態を通知するために使用される通知メッセージをＳＭＦノードへ送り；通知メッセージを受信した場合、ＳＭＦノードは、端末デバイスが既にＲＲＣ休止状態にあると決定することができ、ＬＡＤＮデータを端末デバイスへ送らず、それによって、ＲＲＣ休止状態内の端末デバイスが、ＬＡＤＮ  ＳＡの外へ移動した後、ＬＡＤＮデータを依然として受信することができるという問題を回避する。
【０１９６】
任意選択で、図９に示される前述の実施形態の実装シナリオにおいて、図１０に示されるように、ステップ９０３の後に、本方法は、ステップ１００１からステップ１００５をさらに含む。
【０１９７】
１００１：ＳＭＦノードは、第２の通知メッセージを受信し、第２の通知メッセージが、端末デバイスの状態はＲＲＣ休止状態であることを通知するために使用される場合、ＳＭＦノードは、第５のメッセージをＵＰＦノードへ送り、ただし、第５のメッセージは、端末デバイスのＰＤＵセッションリソースを解放することをＵＰＦノードに要求するために使用される。
【０１９８】
対応して、ＵＰＦノードは、第５のメッセージを受信する。
【０１９９】
第５のメッセージを受信した後、ＵＰＦノードは、第５のメッセージに基づいて、端末デバイスのＰＤＵセッションリソースを解放することが留意されるべきである。
【０２００】
１００２：ＵＰＦノードは、第６のメッセージをＳＭＦノードへ送る。
【０２０１】
対応して、ＳＭＦノードは、ＵＰＦノードから第６のメッセージを受信する。
【０２０２】
第６のメッセージは、ＵＰＦノードが端末デバイスのＰＤＵセッションリソースを既に解放したことをＳＭＦノードに通知するために使用され、第６のメッセージは、端末デバイスのＰＤＵセッションのＰＤＵセッション識別子を搬送する。
【０２０３】
１００３：ＳＭＦノードは、第７のメッセージをＡＭＦノードへ送り、ただし、第７のメッセージは、ＰＤＵセッション識別子を搬送し、第７のメッセージは、ＰＤＵセッション識別子に対応するＰＤＵセッションリソースを解放するようにＲＡＮノードに指示するために使用される。
【０２０４】
１００４：ＡＭＦノードは、ＳＭＦノードから第７のメッセージを受信し、第７のメッセージに基づいて、第３のメッセージをＲＡＮノードへ送り、ただし、第３のメッセージは、ＰＤＵセッション識別子を搬送し、第３のメッセージは、ＰＤＵセッション識別子に対応するＰＤＵセッションリソースを解放するようにＲＡＮノードに指示するために使用される。
【０２０５】
１００５：ＲＡＮノードは、ＡＭＦノードから第３のメッセージを受信し、第３のメッセージに基づいて、ＰＤＵセッション識別子に対応するＰＤＵセッションリソースを解放する。
【０２０６】
前述の実装シナリオによれば、端末デバイスの状態がＲＲＣ休止状態であると決定した場合、ＳＭＦノードは、ＰＤＵセッションリソースを解放するようにＵＰＦノードに指示してもよく、シグナリングを交換することによって、ＰＤＵセッションリソースを解放するようにＲＡＮノードにさらに指示する。このようにして、端末デバイスが特定領域の外へ移動した場合、関連するサービスデータを送るために使用されるＰＤＵセッションリソースはなく、例えば、端末デバイスが、ＬＡＤＮ  ＳＡの外へ移動した場合に、ＬＡＤＮデータを依然として受信することができるという問題が回避される。
【０２０７】
任意選択で、図９に示される実施形態の別の実装シナリオにおいて、図１１に示されるように、ステップ９０１において、ＲＡＮノードがＡＭＦノードから第１のメッセージを受信した後、本方法は、ステップ１１０１およびステップ１１０２をさらに含む。
【０２０８】
１１０１：ＲＡＮノードが、端末デバイスをＲＲＣ接続状態からＲＲＣ休止状態に切り替えることを決定した場合、ＲＡＮノードは、端末デバイスの位置情報に基づいて、端末デバイスのＲＮＡを決定する。
【０２０９】
例えば、ＲＡＮノードは、端末デバイスの位置情報によって示されるセルまたは追跡領域を端末デバイスのＲＮＡとして決定する。
【０２１０】
例えば、ＲＡＮノードは、端末デバイスの位置情報および第１の参照情報に基づいて、端末デバイスのＲＮＡを決定する。
【０２１１】
端末デバイスの位置情報によって示される位置は、端末デバイスの決定されたＲＮＡ内にある。
【０２１２】
第１の参照情報は、少なくとも、端末デバイスの登録領域情報を含む。登録領域情報は、端末デバイスの登録領域を示すために使用され、登録領域は、ＡＭＦノードによって端末デバイスに割り当てられた領域であり、端末デバイスの位置を管理するために使用される。端末デバイスが登録領域の外へ移動した場合、端末デバイスは、端末デバイスの最新の位置情報をＡＭＦノードへ報告する。また、端末デバイスの登録領域情報は、ＡＭＦノードによってＲＡＮノードへ送られてもよい。
【０２１３】
さらに、第１の参照情報は、以下の情報のうちのいずれか１つまたは複数をさらに含み得る：
【０２１４】
端末デバイスによってアクセスされるＲＡＮノードに隣接するＲＡＮノードが、端末デバイスのＲＲＣ休止状態をサポートするかどうか；
【０２１５】
端末デバイスによってアクセスされるＲＡＮノードと、隣接するＲＡＮノードとの間に、Ｘｎインターフェースがあるかどうか；および
【０２１６】
端末デバイスの予想されるハンドオーバ挙動情報。
【０２１７】
例えば、端末デバイスによってアクセスされるＲＡＮノードに隣接するＲＡＮノードが、端末デバイスのＲＲＣ休止状態をサポートする場合、ＲＮＡは、端末デバイスによってアクセスされるＲＡＮノードのサービスエリアと、端末デバイスによってアクセスされるＲＡＮノードに隣接するＲＡＮノードのサービスエリアとの両方を含み得る。
【０２１８】
端末デバイスによってアクセスされるＲＡＮノードと、隣接するＲＡＮノードとの間に、Ｘｎインターフェースがある場合、ＲＮＡは、端末デバイスによってアクセスされるＲＡＮノードのサービスエリアと、端末デバイスによってアクセスされるＲＡＮノードに隣接するＲＡＮノードのサービスエリアとの両方を含み得る。
【０２１９】
端末デバイスの予想されるハンドオーバ挙動情報は、端末デバイスの予想されるハンドオーバ期間であってもよい。例えば、端末デバイスが高速で移動する場合、ハンドオーバ時間は短い。端末デバイスの頻繁なＲＮＡハンドオーバを回避するために、比較的大きいＲＮＡがセットされ得る。
【０２２０】
１１０２：ＲＡＮノードは、第２のメッセージを端末デバイスへ送り、ただし、第２のメッセージは、端末デバイスとＲＡＮノードとの間のＲＲＣ接続を解放するように端末デバイスに指示するために使用され、第２のメッセージはＲＮＡを搬送する。
【０２２１】
任意選択で、図１１に示される実施形態の実装シナリオにおいて、図１１に示される手続きが実行された後、ＳＭＦノードがダウンリンクデータ通知（ｄｏｗｎｌｉｎｋ  ｄａｔａ  ｎｏｔｉｆｉｃａｔｉｏｎ、ＤＤＮ）を受信した場合、端末デバイスとＲＡＮノードとの間のＲＲＣ接続は再確立される。図１２に示されるように、本方法は、以下のステップを含む。
【０２２２】
１１０３：ＡＭＦノードは、第４のメッセージをＲＡＮノードへ送る。
【０２２３】
第４のメッセージは、端末デバイスとＲＡＮノードとの間にＲＲＣ接続を確立することを要求するために使用される。例えば、第４のメッセージは、Ｎ２メッセージであってもよい。
【０２２４】
例えば、ダウンリンクＬＡＤＮデータを取得した場合、ＵＰＦノードは、ＤＤＮメッセージをＳＭＦノードへ送る。ＤＤＮメッセージは、ＵＰＦノードがダウンリンクＬＡＤＮデータを取得することをＳＭＦノードに通知するために使用される。ＤＤＮメッセージを受信した後、ＳＭＦノードは、Ｎ１１メッセージをＡＭＦノードへ送る。Ｎ１１メッセージは、ユーザプレーンリソースを確立することを要求するために使用される。Ｎ１１メッセージを受信した後、ＡＭＦノードは、第４のメッセージをＲＡＮノードへ送る。
【０２２５】
１１０４：ＲＡＮノードは、ＡＭＦノードから第４のメッセージを受信し、端末デバイスとＲＡＮノードとの間にＲＲＣ接続を確立するように端末デバイスに指示する。
【０２２６】
例えば、ＲＡＮノードは、端末デバイスへページングメッセージを送ることによって、端末デバイスとＲＡＮノードとの間にＲＲＣ接続を確立するように端末デバイスに指示する。例えば、第４のメッセージを受信した後、ＲＡＮノードは、端末デバイスへのページングを開始する。ＲＡＮノードからページングメッセージを受信した後、端末デバイスは、ＲＲＣ接続回復要求をＲＡＮノードへ送る。ＲＲＣ接続回復要求を受信した後、ＲＡＮノードは、端末デバイスによってアクセスされるセルに関する情報を取得し、セルに関する情報に基づいて、端末デバイスの位置情報を決定し得る。
【０２２７】
１１０５：ＲＡＮノードが、端末デバイスの特定領域関連情報および位置情報に基づいて、端末デバイスは特定領域の外へ移動したと決定した場合、ＲＡＮノードは、端末デバイスの位置情報または第１のインジケーション情報をＡＭＦノードまたはＳＭＦノードへ送り、ただし、第１のインジケーション情報は、端末デバイスが特定領域の外へ既に移動したことを示すために使用される。
【０２２８】
特定領域関連情報は、第１のメッセージ内で搬送されてもよく、特定領域関連情報は、端末デバイスの特定領域を示すために使用される。特定領域は、具体的にはＬＡＤＮ  ＳＡであり、または位置報告領域（Ｌｏｃａｔｉｏｎ  Ｒｅｐｏｒｔｉｎｇ  ａｒｅａ）、またはＳＭＦノードの関心領域（Ａｒｅａ  ｏｆ  ｉｎｔｅｒｅｓｔ）であってもよい。
【０２２９】
ステップ１１０５の特定の実装については、ステップ６０２の関連する説明を参照されたく、詳細は、本明細書において再度説明されない。
【０２３０】
任意選択で、ＲＡＮノードによって、端末デバイスの位置情報または第１のインジケーション情報をＡＭＦノードまたはＳＭＦノードへ送った後、本方法は、以下のステップをさらに含む。
【０２３１】
ステップ１１０５において、ＲＡＮノードが端末デバイスの位置情報をＡＭＦノードへ送る場合、ステップ１１０６ａが実行される必要がある。
【０２３２】
端末デバイスの位置情報は、ステップ１１０４における手法で取得されてもよく、詳細は再度説明されない。
【０２３３】
１１０６ａ：ＡＭＦノードが、端末デバイスの特定領域関連情報および位置情報に基づいて、端末デバイスは特定領域の外へ移動したと決定した場合、ＡＭＦノードは、第１のインジケーション情報をＳＭＦノードへ送り、ただし、第１のインジケーション情報は、端末デバイスが特定領域の外へ既に移動したことを示すために使用される。
【０２３４】
任意選択で、ステップ１１０５において、ＲＡＮノードが第１のインジケーション情報をＡＭＦノードへ送る場合、ステップ１１０６ａは１１０６ｂと置換されてもよい。
【０２３５】
１１０６ｂ：ＡＭＦノードは、第１のインジケーション情報をＳＭＦノードへ送り、ただし、第１のインジケーション情報は、端末デバイスが端末デバイスの特定領域の外へ既に移動したことを示すために使用される。
【０２３６】
さらに、任意選択で、ステップ１１０６ａまたはステップ１１０６ｂの後に、本方法は、以下のステップをさらに含んでもよい。
【０２３７】
１１０７：ＳＭＦノードは、Ｎ４メッセージをＵＰＦノードへ送り、ただし、Ｎ４メッセージは、ダウンリンクデータのバッファリングを延長すること、またはダウンリンクデータを破棄することをＵＰＦノードに指示するために使用される。
【０２３８】
例えば、Ｎ４メッセージは、ダウンリンクＬＡＤＮデータのバッファリングを延長すること、またはダウンリンクＬＡＤＮデータを破棄することをＵＰＦノードに指示するために使用される。
【０２３９】
１１０８：ＳＭＦノードは、Ｎ４メッセージを受信し、Ｎ４メッセージに基づいて、ダウンリンクデータのバッファリングを延長し、またはダウンリンクデータを破棄する。
【０２４０】
任意選択で、ステップ１１０５は１１０５ａと置換されてもよい。
【０２４１】
１１０５ａ：ＲＡＮノードが、端末デバイスの特定領域関連情報および位置情報に基づいて、端末デバイスは特定領域の外へ移動したと決定した場合、ＲＡＮノードは、第４のメッセージの応答メッセージをＡＭＦノードへ送る。
【０２４２】
第４のメッセージの応答メッセージは、ＲＡＮノードによって、端末デバイスとＲＡＮノードとの間のＲＲＣ接続の確立を拒否するために使用される。
【０２４３】
対応して、ＡＭＦノードは、ＲＡＮノードから第４のメッセージの応答メッセージを受信する。
【０２４４】
さらに、任意選択で、ステップ１１０５ａの後に、ステップ１１０７およびステップ１１０８が実行される。
【０２４５】
前述の実装シナリオにおいて提供される通信方法によれば、端末デバイスのダウンリンクデータを取得した場合、ＵＰＦノードは、ＳＭＦノードおよびＡＭＦノードを使用することによってＲＡＮノードに通知し、その結果、ＲＡＮノードは、端末デバイスとＲＡＮノードとの間にＲＲＣ接続を確立するように端末デバイスに指示し、さらに、ＲＡＮノードは、端末デバイスの位置情報を決定してもよく、ＲＡＮノードが、端末デバイスの位置情報に基づいて、端末デバイスは特定領域の外へ既に移動したと決定した場合、ＲＡＮノードは、関連情報または関連するメッセージをＡＭＦノードまたはＳＭＦノードへ報告し、その結果、ＳＭＦノードは、ダウンリンクＬＡＤＮデータを解放するように、またはダウンリンクＬＡＤＮデータのバッファリングを延長するようにＵＰＦノードに指示し、それにより、端末デバイスが、特定領域の外へ移動した場合に、ダウンリンクＬＡＤＮデータを受信しないことを確保する。
【０２４６】
本出願の一実施形態は、通信方法をさらに提供する。図１３に示されるように、本方法は、以下のステップを含む。
【０２４７】
１３０１：ＲＡＮノードは、端末デバイスがＲＲＣ接続状態からＲＲＣ休止状態に切り替わったと決定する。
【０２４８】
例えば、ＲＡＮノードは、特定された期間内に端末デバイスとＲＡＮノードとの間でデータが送信されるかどうかに基づいて、端末デバイスをＲＲＣ接続状態からＲＲＣ休止状態に切り替えるべきかどうかを決定し得る。特定された期間内に端末デバイスとＲＡＮノードとの間でデータが送信されない場合、端末デバイスはＲＲＣ接続状態からＲＲＣ休止状態に切り替えられるべきであると決定され得る。
【０２４９】
ステップ１３０１の特定の実装については、図６、図７、または図８に示される実施形態における関連する説明を参照されたく、詳細は再度説明されない。
【０２５０】
１３０２：ＲＡＮノードは、端末デバイスの状態を通知するために使用される通知メッセージをＡＭＦノードへ送る。
【０２５１】
例えば、端末デバイスの状態は、ＲＲＣ休止状態であってもよい。
【０２５２】
対応して、ＡＭＦノードは、ＲＡＮノードから通知メッセージを受信する。
【０２５３】
この実施形態において提供される通信方法によれば、端末デバイスがＲＲＣ接続状態からＲＲＣ休止状態に切り替えられると決定した場合、ＲＡＮノードは、端末デバイスの状態を通知するために使用される通知メッセージをＡＭＦノードへ送り、通知メッセージを受信した場合、ＡＭＦノードは、端末デバイスが既にＲＲＣ休止状態にあり、ＬＡＤＮデータを端末デバイスへ送らないと決定することができ、それにより、ＲＲＣ休止状態にある端末デバイスが、ＬＡＤＮ  ＳＡの外へ移動した後に、ＬＡＤＮデータを依然として受信することができるという問題を回避する。
【０２５４】
任意選択で、前述の実施形態の実装シナリオにおいて、図１４に示されるように、ステップ１３０１の前に、本方法は、以下のステップをさらに含む。
【０２５５】
１４０１：ＲＡＮノードは、端末デバイスの位置情報に基づいて、端末デバイスのＲＮＡを決定する。
【０２５６】
ステップ１４０１については、ステップ１１０１の関連する説明を参照されたく、詳細は再度説明されない。
【０２５７】
１４０２：ＲＡＮノードは、第１のメッセージを端末デバイスへ送る。
【０２５８】
対応して、端末デバイスは、第１のメッセージを受信する。
【０２５９】
第１のメッセージは、ＲＡＮノードへのＲＲＣ接続を解放するように端末デバイスに指示するために使用され、第１のメッセージはＲＮＡを搬送する。
【０２６０】
任意選択で、前述の実施形態の別の実装シナリオにおいて、ステップ１３０２の後に、本方法は、以下のステップをさらに含む。
【０２６１】
１４０３：ＡＭＦノードは、端末デバイスの状態に通知するために使用される通知メッセージをＳＭＦノードへ送る。
【０２６２】
１４０４：ＳＭＦノードは、ＡＭＦノードから通知メッセージを受信し、端末デバイスの状態がＲＲＣ休止状態であることを通知するために通知メッセージが使用される場合、ＳＭＦノードは、第２のメッセージをＵＰＦノードへ送る。
【０２６３】
第２のメッセージは、端末デバイスのＰＤＵセッションリソースを解放することをＵＰＦノードに要求するために使用される。例えば、第１のメッセージは、ＰＤＵセッション解放要求メッセージであってもよい。
【０２６４】
１４０５：ＵＰＦノードは、第２のメッセージを受信し、端末デバイスのＰＤＵセッションリソースを解放する。
【０２６５】
１４０６：ＵＰＦノードは、第３のメッセージをＳＭＦノードへ送る。
【０２６６】
第３のメッセージは、ＵＰＦノードが端末デバイスのＰＤＵセッションリソースを既に解放したことをＳＭＦノードに通知するために使用され、第３のメッセージは、ＰＤＵセッション識別子を含む。ＰＤＵセッション識別子は、端末デバイスのデータを送信するために使用されるＰＤＵセッションを示すために使用される。例えば、第３のメッセージは、ＰＤＵセッション解放応答であってもよい。
【０２６７】
１４０７：ＳＭＦノードは、第４のメッセージをＡＭＦノードへ送る。
【０２６８】
第４のメッセージは、ステップ１４０６において第３のメッセージ内で搬送されるＰＤＵセッション識別子を搬送し、第４のメッセージは、ＰＤＵセッション識別子に対応するＰＤＵセッションリソースを解放するようにＲＡＮノードに指示するように、ＡＭＦノードをトリガするために使用される。
【０２６９】
１４０８：ＡＭＦノードは、第４のメッセージを受信し、第５のメッセージをＲＡＮノードへ送る。
【０２７０】
第５のメッセージは、ステップ１４０７において第４のメッセージ内で搬送されるＰＤＵセッション識別子を含む。第５のメッセージは、ＰＤＵセッション識別子に対応するＰＤＵセッションリソースを解放するようにＲＡＮノードに指示するために使用される。
【０２７１】
１４０９：ＲＡＮノードは、第５のメッセージを受信し、ＰＤＵセッション識別子に対応するＰＤＵセッションリソースを解放する。
【０２７２】
前述の実施形態は互いに学習および参照されてもよく、同じ説明または類似する説明は繰り返されないことが留意されるべきである。
【０２７３】
本発明の実施形態において提供される解決策は、主に、ＲＡＮノードと、ＡＭＦノードと、ＳＭＦノードとの間の相互作用の観点から上記に説明されている。ＲＡＮノード、ＡＭＦノード、およびＳＭＦノードは各々、様々な機能を実行する、対応するハードウェア構造および／またはソフトウェアモジュールを含むことが理解され得る。当業者は、本明細書において開示される実施形態において説明される例のユニットおよびアルゴリズムステップと組み合わせて、本出願がハードウェアによって、またはハードウェアとコンピュータソフトウェアとの組み合わせによって実装されることができることを容易に認識するべきである。機能がハードウェアによって実行されるか、またはハードウェアを駆動するコンピュータソフトウェアによって実行されるかは、技術的解決策の特定の用途および設計制約条件に依存する。当業者は、各特定の用途について、説明された機能を実装するために異なる方法を使用し得るが、実装が本発明の範囲を越えることは考慮されるべきではない。
【０２７４】
本出願の実施形態において、ＳＭＦノードにおける機能モジュールは、前述の方法例に従って分割されてもよい。例えば、機能モジュールは、機能に対応して分割されてもよい。代替として、２つ以上の機能が、１つの処理モジュールに一体化されてもよい。一体化されたモジュールは、ハードウェアの形態で実装されてもよく、またはソフトウェア機能モジュールの形態で実装されてもよい。本出願の実施形態におけるモジュールの分割は一例であり、論理的な機能分割にすぎないことが留意されるべきである。実際の実装期間中には、別の分割手法があり得る。
【０２７５】
機能モジュールが、対応する機能を使用することによって分割される場合、本出願の一実施形態は通信装置を提供する。本装置は、前述の実施形態においてＲＡＮノードとして実装され得る。図１５に示されるように、図１５は、前述の実施形態におけるＲＡＮノードの考え得る概略構造図である。ＲＡＮノードは、受信モジュール１５０１と、決定モジュール１５０２と、送信モジュール１５０３とを含む。
【０２７６】
受信モジュール１５０１は、図６および図７のステップ６０１において第１のメッセージ、ならびに図７のステップ７０４において第３のメッセージを、ＲＡＮノードによって受信することをサポートするように構成される。決定モジュール１５０２は、ＲＡＮノードが図６のステップ６０２および図７のステップ７０１を実行することをサポートするように構成される。送信モジュール１５０３は、ＲＡＮノードが図６のステップ６０２、ならびに図７のステップ７０２、ステップ７０５、およびステップ６０２を実行することをサポートするように構成される。
【０２７７】
任意選択で、ＲＡＮノードは、更新モジュール１５０４をさらに含む。
【０２７８】
更新モジュール１５０４は、ＲＡＮノードが図７のステップ７０７を実行することをサポートするように構成される。
【０２７９】
図１６に示されるように、図１６は、ＲＡＮノードの別の考え得る概略構造図である。ＲＡＮノードは、受信モジュール１６０１と、決定モジュール１６０２と、送信モジュール１６０３とを含む。
【０２８０】
受信モジュール１６０１は、図９、図１０、および図１１のステップ９０１において第１のメッセージ、図１０および図１１のステップ１００４において第３のメッセージ、ならびに図１４のステップ１１０３において第４のメッセージを、ＲＡＮノードによって受信することをサポートするように構成される。決定モジュール１６０２は、図９、図１０、および図１１のステップ９０２、図１１のステップ１１０１、ならびに図１２のステップ１１０５およびステップ１１０５ａをＲＡＮノードが実行することをサポートするように構成される。送信モジュール１６０３は、図９、図１０、および図１１のステップ９０２、ならびに図１２のステップ１１０５をＲＡＮノードが実行することをサポートするように構成される。
【０２８１】
任意選択で、ＲＡＮノードは、解放モジュール１６０４をさらに含む。
【０２８２】
解放モジュール１６０４は、図１０および図１１のステップ１００５をＲＡＮノードが実行することをサポートするように構成される。
【０２８３】
図１７に示されるように、図１７は、ＲＡＮノードの別の考え得る概略構造図である。ＲＡＮノードは、決定モジュール１７０１と、通知モジュール１７０２とを含む。
【０２８４】
決定モジュール１７０１は、図１３のステップ１３０１、ならびに図１４のステップ１４０１およびステップ１３０１をＲＡＮノードが実行することをサポートするように構成される。通知モジュール１７０２は、図１３のステップ１３０２をＲＡＮノードが実行することをサポートするように構成される。
【０２８５】
機能モジュールが、対応する機能を使用することによって分割される場合、本出願の一実施形態は、通信装置を提供する。本装置は、前述の実施形態においてＡＭＦノードとして実装され得る。図１８に示されるように、図１８は、前述の実施形態におけるＡＭＦノードの考え得る概略構造図である。ＡＭＦノードは、送信モジュール１８０１と、受信モジュール１８０２とを含む。
【０２８６】
送信モジュール１８０１は、図６のステップ６０１、図７のステップ６０１、図９のステップ９０１およびステップ９０３、図１０のステップ９０１、ステップ９０３、およびステップ１００４、図１１のステップ９０１、ステップ９０３、およびステップ１００４、図１２のステップ１１０３、ステップ１１０６ａ、およびステップ１１０６ｂ、ならびに図１４のステップ１４０３をＡＭＦノードが実行することをサポートするように構成される。
【０２８７】
受信モジュール１８０２は、図６および図７のステップ６０２において第１の位置情報または第１のインジケーション情報、図９、図１０、および図１１のステップ９０２において第１の通知メッセージ、図１０および図１１のステップ１００３において第７のメッセージ、図１２のステップ１１０５において端末デバイスの位置情報または第１のインジケーション情報、図１３および図１４のステップ１３０２において通知メッセージ、ならびに図１４のステップ１４０７において第４のメッセージを、ＡＭＦノードによって受信することをサポートするように構成される。
【０２８８】
任意選択で、本装置は、決定モジュール１８０３をさらに含む。
【０２８９】
決定モジュール１８０３は、図１２のステップ１１０６ａをＡＭＦノードが実行することをサポートするように構成される。
【０２９０】
機能モジュールが、対応する機能を使用することによって分割される場合、本出願の一実施形態は、通信装置を提供する。本装置は、前述の実施形態においてＳＭＦノードとして実装され得る。図１９に示されるように、図１９は、前述の実施形態におけるＳＭＦノードの考え得る概略構造図である。ＳＭＦノードは、受信モジュール１９０１と、送信モジュール１９０２とを含む。
【０２９１】
受信モジュール１９０１は、ＳＭＦノードが、図６および図７のステップ６０２を実行すること、ならびに図９、図１０、および図１１のステップ９０３において第２の通知メッセージ、図１２のステップ１１０５において端末デバイスの位置情報または第１のインジケーション情報、およびステップ１１０６ａまたはステップ１１０６ｂにおいて第１のインジケーション情報、および図１３のステップ１４０３において通知メッセージ、およびステップ１４０６において第３のメッセージを受信することをサポートするように構成される。
【０２９２】
送信モジュール１９０２は、ＳＭＦノードによって図９および図１０において第５のメッセージを送ることをサポートするように構成され、図９および図１０のステップ１００３、図１２のステップ１１０７、ならびに図１４のステップ１４０７をＳＭＦノードが実行することをサポートするようにさらに構成される。
【０２９３】
前述の方法実施形態におけるステップのあらゆる関連する内容については、対応する機能モジュールの機能説明を参照されたく、詳細は本明細書において再度説明されない。
【０２９４】
図２０に示されるように、ＲＡＮノード２０００は、メモリ２００１と、プロセッサ２００２と、通信インターフェース２００３と、バス２００４とを含み得る。バス２００４は、これらの装置間の接続および相互通信を実装するように構成される。
【０２９５】
通信インターフェース２００３は、アンテナを使用することによって実装されてもよく、外部ネットワーク要素とデータを交換するように構成されてもよく、例えば、通信インターフェース２００３は、ＡＭＦデバイスから／へデータパケットまたは他の情報を受信し／送ってもよい。
【０２９６】
プロセッサ２００２は、中央処理装置（英語：  Ｃｅｎｔｒａｌ  Ｐｒｏｃｅｓｓｉｎｇ  Ｕｎｉｔ、ＣＰＵ）、または特定用途向け集積回路（英語：  Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、または本発明の実施形態を実装するように構成された１つもしくは複数の集積回路、例えば、１つもしくは複数のマイクロプロセッサ（英語：  Ｄｉｇｉｔａｌ  Ｓｉｇｎａｌ  Ｐｒｏｃｅｓｓｏｒ、ＤＳＰ）、もしくは、１つもしくは複数のフィールドプログラマブルゲートアレイ（英語：  Ｆｉｅｌｄ  Ｐｒｏｇｒａｍｍａｂｌｅ  Ｇａｔｅ  Ａｒｒａｙ、ＦＰＧＡ）であってもよい。プロセッサ２００２は、処理および管理機能を有する。具体的には、プロセッサ２００２は、ＡＭＦデバイス、ＵＰＦデバイス、もしくはＰＣＲＦデバイスによって送られた、受信されたデータもしくは情報を処理し、または別のデバイスによって送られた情報もしくはデータを処理し得る。
【０２９７】
メモリ２００１は、読み出し専用メモリ（Ｒｅａｄ−Ｏｎｌｙ  Ｍｅｍｏｒｙ、ＲＯＭ）、または静的情報および命令を記憶することができる別のタイプの静的記憶デバイス、ランダムアクセスメモリ（Ｒａｎｄｏｍ  Ａｃｃｅｓｓ  Ｍｅｍｏｒｙ、ＲＡＭ）、または情報および命令を記憶することができる別のタイプの動的記憶デバイス、または電気的消去可能プログラマブル読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク読み出し専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）、または別の光ディスクストレージ、光ディスクストレージ（コンパクトディスク、レーザーディスク、光ディスク、デジタル多用途ディスク、ブルーレイディスク等を含む）、磁気ディスク記憶媒体もしくは別の磁気記憶デバイス、または予想されるプログラムコードを命令もしくはデータ構造の形態で搬送もしくは記憶することができ、コンピュータによってアクセスすることができる任意の他の媒体であってもよいが、これらに限定されない。メモリ２００１は独立して存在してもよく、バス２００４を使用することによってプロセッサ２００２へ接続される。メモリ２００１は、代替として、プロセッサ２００２と一体化されてもよい。
【０２９８】
図１５に示される受信モジュール１５０１および送信モジュール１５０３、図１６に示される受信モジュール１６０１および送信モジュール１６０３、ならびに図１７に示される通知モジュール１７０２は、図２０に示される通信インターフェース２００３と一体化されてもよく、その結果、通信インターフェース２００３は、図１５に示される受信モジュール１５０１および送信モジュール１５０３、図１６に示される受信モジュール１６０１および送信モジュール１６０３、ならびに図１７に示される通知モジュール１７０２の特定の機能を実行することが留意されるべきである。図１５に示される決定モジュール１５０２および更新モジュール１５０４、図１６に示される決定モジュール１６０２および解放モジュール１６０４、ならびに図１７に示される決定モジュール１７０１は、図２０に示されるプロセッサ２００２と一体化されてもよく、その結果、プロセッサ２００２は、図１５に示される決定モジュール１５０２および更新モジュール１５０４、図１６に示される決定モジュール１６０２および解放モジュール１６０４、ならびに図１７に示される決定モジュール１７０１の特定の機能を実行する。
【０２９９】
図２１に示されるように、ＡＭＦノード２１００は、メモリ２１０１と、プロセッサ２１０２と、通信インターフェース２１０３と、バス２１０４とを含み得る。バス２１０４は、これらの装置間の接続および相互通信を実装するように構成される。
【０３００】
通信インターフェース２１０３は、アンテナを使用することによって実装されてもよく、外部ネットワーク要素とデータを交換するように構成されてもよく、例えば、通信インターフェース２１０３は、ＡＭＦデバイスから／へデータパケットまたは他の情報を受信し／送ってもよい。
【０３０１】
プロセッサ２１０２は、中央処理装置（英語：  Ｃｅｎｔｒａｌ  Ｐｒｏｃｅｓｓｉｎｇ  Ｕｎｉｔ、ＣＰＵ）、または特定用途向け集積回路（英語：  Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、または本発明の実施形態を実装するように構成された１つもしくは複数の集積回路、例えば、１つもしくは複数のマイクロプロセッサ（英語：  Ｄｉｇｉｔａｌ  Ｓｉｇｎａｌ  Ｐｒｏｃｅｓｓｏｒ、ＤＳＰ）、もしくは、１つもしくは複数のフィールドプログラマブルゲートアレイ（英語：  Ｆｉｅｌｄ  Ｐｒｏｇｒａｍｍａｂｌｅ  Ｇａｔｅ  Ａｒｒａｙ、ＦＰＧＡ）であってもよい。プロセッサ２１０２は、処理および管理機能を有する。具体的には、プロセッサ２１０２は、ＡＭＦデバイス、ＵＰＦデバイス、もしくはＰＣＲＦデバイスによって送られた、受信されたデータもしくは情報を処理し、または別のデバイスによって送られた情報もしくはデータを処理し得る。
【０３０２】
メモリ２１０１は、読み出し専用メモリ（Ｒｅａｄ−Ｏｎｌｙ  Ｍｅｍｏｒｙ、ＲＯＭ）、または静的情報および命令を記憶することができる別のタイプの静的記憶デバイス、ランダムアクセスメモリ（Ｒａｎｄｏｍ  Ａｃｃｅｓｓ  Ｍｅｍｏｒｙ、ＲＡＭ）、または情報および命令を記憶することができる別のタイプの動的記憶デバイス、または電気的消去可能プログラマブル読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク読み出し専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）、または別の光ディスクストレージ、光ディスクストレージ（コンパクトディスク、レーザーディスク、光ディスク、デジタル多用途ディスク、ブルーレイディスク等を含む）、磁気ディスク記憶媒体もしくは別の磁気記憶デバイス、または予想されるプログラムコードを命令もしくはデータ構造の形態で搬送もしくは記憶することができ、コンピュータによってアクセスすることができる任意の他の媒体であってもよいが、これらに限定されない。メモリ２１０１は独立して存在してもよく、バス２１０４を使用することによってプロセッサ２１０２へ接続される。メモリ２１０１は、代替として、プロセッサ２００２と一体化されてもよい。
【０３０３】
図１８に示される送信モジュール１８０１および受信モジュール１８０２は、図２２に示される通信インターフェース２２０３と一体化されてもよく、その結果、通信インターフェース２２０３は、図１８に示される送信モジュール１８０１および受信モジュール１８０２の特定の機能を実行することが留意されるべきである。図１８に示される決定モジュール１８０３は、図２２に示されるプロセッサ２２０２と一体化されてもよく、その結果、プロセッサ２２０２は、図１８に示される決定モジュール１８０３の特定の機能を実行する。
【０３０４】
図２２に示されるように、ＳＭＦノード２２００は、メモリ２２０１と、プロセッサ２２０２と、通信インターフェース２２０３と、バス２２０４とを含み得る。バス２２０４は、これらの装置間の接続および相互通信を実装するように構成される。
【０３０５】
通信インターフェース２２０３は、アンテナを使用することによって実装されてもよく、外部ネットワーク要素とデータを交換するように構成されてもよく、例えば、通信インターフェース２２０３は、ＡＭＦデバイスから／へデータパケットまたは他の情報を受信し／送ってもよい。
【０３０６】
プロセッサ２００２は、中央処理装置（英語：  Ｃｅｎｔｒａｌ  Ｐｒｏｃｅｓｓｉｎｇ  Ｕｎｉｔ、ＣＰＵ）、または特定用途向け集積回路（英語：  Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、または本発明の実施形態を実装するように構成された１つもしくは複数の集積回路であってもよい。例えば、１つもしくは複数のマイクロプロセッサ（英語：  Ｄｉｇｉｔａｌ  Ｓｉｇｎａｌ  Ｐｒｏｃｅｓｓｏｒ、ＤＳＰ）、もしくは、１つもしくは複数のフィールドプログラマブルゲートアレイ（英語：  Ｆｉｅｌｄ  Ｐｒｏｇｒａｍｍａｂｌｅ  Ｇａｔｅ  Ａｒｒａｙ、ＦＰＧＡ）。プロセッサ２２０２は、処理および管理機能を有する。具体的には、プロセッサ２２０２は、ＡＭＦデバイス、ＵＰＦデバイス、もしくはＰＣＲＦデバイスによって送られた、受信されたデータもしくは情報を処理し、または別のデバイスによって送られた情報もしくはデータを処理し得る。
【０３０７】
メモリ２２０１は、読み出し専用メモリ（Ｒｅａｄ−Ｏｎｌｙ  Ｍｅｍｏｒｙ、ＲＯＭ）、または静的情報および命令を記憶することができる別のタイプの静的記憶デバイス、ランダムアクセスメモリ（Ｒａｎｄｏｍ  Ａｃｃｅｓｓ  Ｍｅｍｏｒｙ、ＲＡＭ）、または情報および命令を記憶することができる別のタイプの動的記憶デバイス、または電気的消去可能プログラマブル読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク読み出し専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）、または別の光ディスクストレージ、光ディスクストレージ（コンパクトディスク、レーザーディスク、光ディスク、デジタル多用途ディスク、ブルーレイディスク等を含む）、磁気ディスク記憶媒体もしくは別の磁気記憶デバイス、または予想されるプログラムコードを命令もしくはデータ構造の形態で搬送もしくは記憶することができ、コンピュータによってアクセスすることができる任意の他の媒体であってもよいが、これらに限定されない。メモリ２２０１は独立して存在してもよく、バス２２０２を使用することによってプロセッサ２２０４へ接続される。メモリ２２０１は、代替として、プロセッサ２２０２と一体化されてもよい。
【０３０８】
図１９に示される受信モジュール１９０１および送信モジュール１９０２は、図２２に示される通信インターフェース２２０３と一体化されてもよく、その結果、通信インターフェース２２０３は、図１９に示される受信モジュール１９０１および送信モジュール１９０２の特定の機能を実行することが留意されるべきである。
【０３０９】
本出願において開示される内容を参照して説明される方法またはアルゴリズムは、ハードウェア手法で実装されてもよく、またはプロセッサによってソフトウェア命令を実行する手法で実装されてもよい。ソフトウェア命令は、対応するソフトウェアモジュールを含み得る。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、読み出し専用メモリ（Ｒｅａｄ  Ｏｎｌｙ  Ｍｅｍｏｒｙ、ＲＯＭ）、消去可能プログラマブル読み出し専用メモリ（Ｅｒａｓａｂｌｅ  Ｐｒｏｇｒａｍｍａｂｌｅ  ＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）、レジスタ、ハードディスク、リムーバブルハードディスク、コンパクトディスク読み出し専用メモリ（ＣＤ−ＲＯＭ）、または本技術分野において周知の任意の他の形態における記憶媒体に記憶されてもよい。一例として使用される記憶媒体は、プロセッサに結合され、その結果、プロセッサは、記憶媒体から情報を読み出すことができ、記憶媒体に情報を書き込むことができる。もちろん、代替として、記憶媒体は、プロセッサの一部であってもよい。プロセッサおよび記憶媒体は、ＡＳＩＣに設けられ得る。また、ＡＳＩＣは、コアネットワークインターフェースデバイスに設けられてもよい。もちろん、プロセッサおよび記憶媒体は、別個の構成要素として、コアネットワークインターフェースデバイスに存在してもよい。
【０３１０】
本出願において提供されるいくつかの実施形態において、開示されているシステム、装置、および方法が他の手法において実装されてもよいことが理解されるべきである。例えば、説明されている装置実施形態は、例にすぎない。例えば、ユニット分割は、論理的な機能分割にすぎず、実際の実装においては他の分割であってもよい。例えば、複数のユニットまたは構成要素は、組み合わされても、もしくは、別のシステムへ一体化されてもよく、または、いくつかの特徴は、無視されても、もしくは実行されなくてもよい。また、表示されたまたは論じられた、相互結合または直接的な結合または通信接続は、いくつかのインターフェースを通じて実装されてもよい。装置間またはユニット間の間接的な結合または通信接続は、電子的な形態または他の形態において実装されてもよい。
【０３１１】
別個の部分として説明されるユニットは、物理的に別個であっても、もしくは物理的に別個ではなくてもよく、ユニットとして表示された部品は、物理的なユニットであっても、もしくは物理的なユニットではなくてもよく、１つの位置に設けてもよく、または複数のネットワークデバイス上に分散されてもよい。ユニットの一部または全部は、実施形態の解決策の目的を達成するための実際の必要性に基づいて、選択され得る。
【０３１２】
また、本発明の実施形態における機能ユニットは、１つの処理ユニットへ一体化されてもよく、または機能ユニットの各々は、単独で存在してもよく、または２つ以上のユニットが、１つのユニットへ一体化される。一体化されたユニットは、ハードウェアの形態において実装されてもよく、またはソフトウェア機能ユニットに加えてハードウェアの形態において実装されてもよい。
【０３１３】
実装の前述の説明に基づいて、本出願が、必要なユニバーサルハードウェアに加えてソフトウェアによって実装されてもよく、または、もちろんハードウェアのみによって実装されてもよいことを、当業者は明確に理解し得る。ほとんどの状況において、前者が好適な実装である。そのような理解に基づいて、本出願の技術的解決策は実質的に、または、先行技術に貢献する部分は、ソフトウェア製品の形態において実装されてもよい。コンピュータソフトウェア製品は、可読記憶媒体、例えば、フロッピーディスク（登録商標）、ハードディスク、またはコンピュータの光ディスクなどに記憶され、コンピュータデバイス（パーソナルコンピュータ、サーバ、またはネットワークデバイスであってもよい）に、本出願の実施形態において説明される方法を実行するように指示するためのいくつかの命令を含む。
【０３１４】
前述の説明は、本出願の特定の実施形態にすぎず、本出願の保護範囲を限定するようには意図されていない。本出願において開示されるいかなるバリエーションまたは置換も、本出願の保護範囲内に収まるべきものである。したがって、本出願の保護範囲は、特許請求の範囲の保護範囲に従うべきものである。
【手続補正３】
【補正対象書類名】図面
【補正対象項目名】図７
【補正方法】変更
【補正の内容】
【図７】
2020532182.tif 000027
【国際調査報告】
2020532182.tif 000028
2020532182.tif 000029
2020532182.tif 000030
2020532182.tif 000031
2020532182.tif 000032
2020532182.tif 000033